(57)【要約】【課題】端末で参照信号に基づいてＣＳＩを報告するための方法及びこれを支援する装置を提供すること【解決手段】本明細書は、無線通信システムにおけるチャネル状態情報（Ｃｈａｎｎｅｌ  Ｓｔａｔｅ  Ｉｎｆｏｒｍａｔｉｏｎ：ＣＳＩ）を報告（ｒｅｐｏｒｔｉｎｇ）するための方法において、端末により行われる方法は、１２−ポート（ｐｏｒｔ）ＣＳＩ−ＲＳ（Ｒｅｆｅｒｅｎｃｅ  ｓｉｇｎａｌ）の構成と関連した制御情報を含むＲＲＣ（Ｒａｄｉｏ  Ｒｅｓｏｕｒｃｅ  Ｃｏｎｔｒｏｌ）シグナリング（ｓｉｇｎａｌｉｎｇ）を基地局から受信するステップと、前記受信された制御情報に基づいて前記基地局から前記１２−ポートＣＳＩ−ＲＳを１２−ポートＣＳＩ−ＲＳ資源を介して受信するステップと、前記受信されたＣＳＩ−ＲＳに基づいて前記基地局にチャネル状態情報を報告するステップとを含むことを特徴とする。【選択図】図49
2018023141.tif 000002
【特許請求の範囲】
【請求項１】
無線通信システムにおけるチャネル状態情報（Ｃｈａｎｎｅｌ  Ｓｔａｔｅ  Ｉｎｆｏｒｍａｔｉｏｎ：ＣＳＩ）を報告（ｒｅｐｏｒｔｉｎｇ）するための方法において、端末により行われる方法は、
１２−ポート（ｐｏｒｔ）ＣＳＩ−ＲＳ（Ｒｅｆｅｒｅｎｃｅ  ｓｉｇｎａｌ）の構成（ｃｏｎｆｉｇｕｒａｔｉｏｎ）と関連した制御情報を上位階層シグナリング（ｈｉｇｈｅｒ  ｌａｙｅｒ  ｓｉｇｎａｌｉｎｇ）を通じて基地局から受信するステップと、
前記受信された制御情報に基づいて前記基地局からＣＳＩ−ＲＳを１２−ポートＣＳＩ−ＲＳ資源を介して受信するステップと、
前記１２−ポートＣＳＩ−ＲＳ資源は３個の４−ポートＣＳＩ−ＲＳ資源が結合（ａｇｇｒｅｇａｔｉｏｎ）され、及び
前記受信されたＣＳＩ−ＲＳに基づいて前記基地局にチャネル状態情報（Ｃｈａｎｎｅｌ  Ｓｔａｔｅ  Ｉｎｆｏｒｍａｔｉｏｎ：ＣＳＩ）を報告（ｒｅｐｏｒｔｉｎｇ）するステップと、
を含み、
前記３個の４−ポートＣＳＩ−ＲＳ資源は各々４個の資源要素（Ｒｅｓｏｕｒｃｅ  Ｅｌｅｍｅｎｔ：ＲＥ）を含み、
前記１２−ポートＣＳＩ−ＲＳ資源で転送されるＣＳＩ−ＲＳはＣＤＭ（Ｃｏｄｅ  Ｄｉｖｉｓｉｏｎ  Ｍｕｌｔｉｐｌｅｘｉｎｇ）長さ４が適用され、
前記ＣＳＩ−ＲＳは前記３個の４−ポートＣＳＩ−ＲＳ資源の各々の４個のＲＥにマッピングされ、
前記４個のＲＥは時間領域で連続する２個のシンボル（ｓｙｍｂｏｌ）及び周波数領域で２個のサブキャリア（ｓｕｂｃａｒｒｉｅｒ）を含み、
前記２個のサブキャリアは６個のサブキャリア間隔の分だけ離れて位置し、
前記ＣＳＩ−ＲＳを転送するアンテナポートの数字（ｎｕｍｂｅｒ）ｎは４ポートＣＳＩ−ＲＳでのアンテナポートの数字（ｎｕｍｂｅｒ）と４ポートＣＳＩ−ＲＳ資源の個数に基づいて決定されることを特徴とする方法。
【請求項２】
前記ＣＤＭ長さ４は、
下記の数式のように定義されることを特徴とする請求項１に記載の方法。
（数式）
【数３２】
2018023141.tif 000044
【請求項３】
前記１２個のアンテナポートの数字ｎは（ｋ−１）＊４＋ｐとして定義され、
前記ｐは１５、１６、１７、１８であり、ｋは１からＫまでを有し、前記ＫはＣＳＩ−ＲＳ資源の個数を表すことを特徴とする請求項１に記載の方法。
【請求項４】
前記Ｋは３であることを特徴とする請求項３に記載の方法。
【請求項５】
前記１２−ポートＣＳＩ−ＲＳのアンテナポートは、３個の４−ポートＣＳＩ−ＲＳのアンテナポートグループを含み、
各４−ポートＣＳＩ−ＲＳアンテナポートグループに前記ＣＤＭ長さ４が適用されることを特徴とする請求項１に記載の方法。
【請求項６】
前記上位階層シグナリング（ｈｉｇｈｅｒ  ｌａｙｅｒ  ｓｉｇｎａｌｉｎｇ）は、ＣＤＭ長さを表すＣＤＭ長さ（ｌｅｎｇｔｈ）情報をさらに含むことを特徴とする請求項１に記載の方法。
【請求項７】
前記ＣＤＭ長さ（ｌｅｎｇｔｈ）は、ＣＤＭ２、ＣＤＭ４、またはＣＤＭ８であることを特徴とする請求項６に記載の方法。
【請求項８】
前記制御情報は、前記結合される４−ポートＣＳＩ−ＲＳ資源のそれぞれの開始位置を表す位置情報をさらに含むことを特徴とする請求項１に記載の方法。
【請求項９】
前記制御情報は、結合されるＣＳＩ−ＲＳ資源のそれぞれのポート数を表す情報をさらに含むことを特徴とする請求項８に記載の方法。
【請求項１０】
前記４−ポートＣＳＩ−ＲＳ資源は、前記ＣＤＭ長さ４が適用される４−ポートＣＳＩ−ＲＳ資源プール（ｒｅｓｏｕｒｃｅ  ｐｏｏｌ）に含まれることを特徴とする請求項１に記載の方法。
【請求項１１】
前記４−ポートＣＳＩ−ＲＳ資源プールは、複数の４−ポートＣＳＩ−ＲＳ資源を含み、
前記複数の４−ポートＣＳＩ−ＲＳ資源は、特定タイプ別に区分されることを特徴とする請求項１０に記載の方法。
【請求項１２】
前記特定タイプは、前記ＣＤＭ長さ４がシンボル（ｓｙｍｂｏｌ）及びサブキャリア（ｓｕｂｃａｒｒｉｅｒ）の両方に適用されるタイプと前記ＣＤＭ長さ４がシンボルのみに適用されるタイプとを含むことを特徴とする請求項１１に記載の方法。
【請求項１３】
前記特定タイプは、前記４−ポートＣＳＩ−ＲＳ資源の開始位置を表すＣＳＩ−ＲＳ構成（ｃｏｎｆｉｇｕｒａｔｉｏｎ）情報とマッピングされることを特徴とする請求項１１に記載の方法。
【請求項１４】
無線通信システムにおいてＣＳＩ（Ｃｈａｎｎｅｌ  Ｓｔａｔｅ  Ｉｎｆｏｒｍａｔｉｏｎ）を報告（ｒｅｐｏｒｔｉｎｇ）するための端末において、
無線信号を送受信するためのＲＦ（Ｒａｄｉｏ  Ｆｒｅｑｕｅｎｃｙ）ユニットと、
前記ＲＦユニットを制御するプロセッサと、
を備え、
前記プロセッサは、
１２−ポート（ｐｏｒｔ）ＣＳＩ−ＲＳ（Ｒｅｆｅｒｅｎｃｅ  ｓｉｇｎａｌ）の構成（ｃｏｎｆｉｇｕｒａｔｉｏｎ）と関連した制御情報を含む上位階層シグナリング（ｈｉｇｈｅｒ  ｌａｙｅｒ  ｓｉｇｎａｌｉｎｇ）を通じて基地局から受信し、
前記受信された制御情報に基づいて前記基地局からＣＳＩ−ＲＳを１２−ポートＣＳＩ−ＲＳ資源を介して受信し、
前記１２−ポートＣＳＩ−ＲＳ資源は、３個の４−ポートＣＳＩ−ＲＳの資源が結合（ａｇｇｒｅｇａｔｉｏｎ）され、
前記受信されたＣＳＩ−ＲＳに基づいて前記基地局にチャネル状態情報（Ｃｈａｎｎｅｌ  Ｓｔａｔｅ  Ｉｎｆｏｒｍａｔｉｏｎ：ＣＳＩ）を報告（ｒｅｐｏｒｔｉｎｇ）するように制御し、
前記３個の４−ポートＣＳＩ−ＲＳ資源らは、それぞれ４個の資源要素（Ｒｅｓｏｕｒｃｅ  Ｅｌｅｍｅｎｔ：ＲＥ）を含み、
前記１２−ポートＣＳＩ−ＲＳ資源で転送されるＣＳＩ−ＲＳはＣＤＭ（Ｃｏｄｅ  Ｄｉｖｉｓｉｏｎ  Ｍｕｌｔｉｐｌｅｘｉｎｇ）長さ４が適用され、
前記ＣＳＩ−ＲＳは前記３個の４−ポートＣＳＩ−ＲＳ資源の各々の４個のＲＥにマッピングされ、前記４個のＲＥは時間領域で連続する２個のシンボル（ｓｙｍｂｏｌ）及び周波数領域で２個のサブキャリア（ｓｕｂｃａｒｒｉｅｒ）を含み、
前記２個のサブキャリアは６個のサブキャリア間隔の分だけ離れて位置し、
前記ＣＳＩ−ＲＳを転送するアンテナポートの数字（ｎｕｍｂｅｒ）ｎは４ポートＣＳＩ−ＲＳでのアンテナポートの数字（ｎｕｍｂｅｒ）と４ポートＣＳＩ−ＲＳ資源の個数に基づいて決定されることを特徴とする端末。
【請求項１５】
前記ＣＤＭ長さ４は、
下記の数式のように定義されることを特徴とする請求項１４に記載の端末。
（数式）
【数３３】
2018023141.tif 000045
【請求項１６】
前記１２個のアンテナポートの数字ｎは（ｋ−１）＊４＋ｐとして定義され、
前記ｐは１５、１６、１７、１８であり、ｋは１からＫまでを有し、前記ＫはＣＳＩ−ＲＳ資源の個数を表すことを特徴とする請求項１４に記載の端末。
【請求項１７】
前記Ｋは３であることを特徴とする請求項１６に記載の端末。
【請求項１８】
前記３個の４−ポートＣＳＩ−ＲＳの資源は特定サブフレーム（ｓｕｂｆｒａｍｅ）の２番目のスロット（ｓｌｏｔ）に含まれることを特徴とする請求項１７に記載の端末。
【請求項１９】
前記３個の４−ポートＣＳＩ−ＲＳの資源は特定サブフレーム（ｓｕｂｆｒａｍｅ）の２番目のスロット（ｓｌｏｔ）に含まれることを特徴とする請求項４に記載の方法。
【発明の詳細な説明】
【技術分野】
【０００１】
本発明は、無線通信システムに関し、より詳細には、端末で参照信号（ｒｅｆｅｒｅｎｃｅ  ｓｉｇｎａｌ）に基づいてＣＳＩ（Ｃｈａｎｎｅｌ  Ｓｔａｔｅ  Ｉｎｆｏｒｍａｔｉｏｎ）を報告するための方法及びこれを支援する装置に関する。
【背景技術】
【０００２】
移動通信システムは、ユーザの活動性を保障しながら音声サービスを提供するために開発された。しかしながら、移動通信システムは、音声だけでなくデータサービスまで領域を拡張し、現在では、爆発的なトラフィックの増加によって資源の不足現象が引き起こされ、ユーザがより高速のサービスを要求するので、より発展した移動通信システムが要求されている。
【０００３】
次世代移動通信システムの要求条件は、大きく爆発的なデータトラフィックの収容、ユーザ当たりの送信率の画期的な増加、大幅増加した接続デバイス数の収容、非常に低いエンドツーエンド遅延（Ｅｎｄ-ｔｏ-Ｅｎｄ  Ｌａｔｅｎｃｙ）、高エネルギー効率を支援できなければならない。このために、多重続性（Ｄｕａｌ  Ｃｏｎｎｅｃｔｉｖｉｔｙ）、大規模多重入出力（Ｍａｓｓｉｖｅ  ＭＩＭＯ：Ｍａｓｓｉｖｅ  Ｍｕｌｔｉｐｌｅ  Ｉｎｐｕｔ  Ｍｕｌｔｉｐｌｅ  Ｏｕｔｐｕｔ）、全二重（Ｉｎ-ｂａｎｄ  Ｆｕｌｌ  Ｄｕｐｌｅｘ）、非直交多重接続（ＮＯＭＡ：Ｎｏｎ-Ｏｒｔｈｏｇｏｎａｌ  Ｍｕｌｔｉｐｌｅ  Ａｃｃｅｓｓ）、超広帯域（Ｓｕｐｅｒ  ｗｉｄｅｂａｎｄ）支援、端末ネットワーキング（Ｄｅｖｉｃｅ  Ｎｅｔｗｏｒｋｉｎｇ）等、多様な技術が研究されている。
【０００４】
現在、ＬＴＥ（−Ａ）システムの場合、ＣＳＩ−ＲＳパターン（または、ＣＳＩ−ＲＳ資源）は、１、２、４、または８ｐｏｒｔに対するＣＳＩ−ＲＳパターンのみが存在し、全て２の累乗（ｐｏｗｅｒ  ｏｆ  ２）形態である。
【０００５】
しかし、大規模多重入出力（ｍａｓｓｉｖｅ  ＭＩＭＯ）システムのように、送信端（または、送信装置）のアンテナ個数が多い場合、ＣＳＩ−ＲＳパターンは、様々な形態を有することができ、同じアンテナ個数に対しても、そのアンテナ設定（ａｎｔｅｎｎａ  ｃｏｎｆｉｇｕｒａｔｉｏｎ）が相違することもできる。
【０００６】
このように、様々な大きさ（ｓｉｚｅ）と様々なパターンを有する送信アンテナ構造に鑑みるとき、ＣＳＩ−ＲＳポートの個数を２の累乗形態のみに制限することは、非効率的でありうる。
【発明の概要】
【発明が解決しようとする課題】
【０００７】
したがって、本明細書は、ｍａｓｓｉｖｅ  ＭＩＭＯシステムにおいて、８ポートより多いアンテナポートを使用する新しいＣＳＩ−ＲＳパターン（ｐａｔｔｅｒｎ）または新しいＣＳＩ−ＲＳ資源（ｒｅｓｏｕｒｃｅ）構成方法を提供することを目的とする。
【０００８】
また、本明細書は、複数のＣＳＩ−ＲＳ資源で各ＣＳＩ−ＲＳ資源のアンテナポートナンバリングに対する規則を提供することを目的とする。
【０００９】
また、本明細書は、上位階層シグナリングを介して新しく定義されるＣＳＩ−ＲＳ  ｒｅｓｏｕｒｃｅと関連した情報を送信する方法を提供することを目的とする。
【００１０】
本発明においてなそうとする技術的課題は、以上で言及した技術的課題に制限されず、言及していないさらに他の技術的課題は、下記の記載から本発明の属する技術分野における通常の知識を有した者に明確に理解させ得るであろう。
【課題を解決するための手段】
【００１１】
本明細書は、無線通信システムにおけるチャネル状態情報（Ｃｈａｎｎｅｌ  Ｓｔａｔｅ  Ｉｎｆｏｒｍａｔｉｏｎ：ＣＳＩ）を報告（ｒｅｐｏｒｔｉｎｇ）するための方法において、端末により行われる方法は、１２−ポート（ｐｏｒｔ）ＣＳＩ−ＲＳ（Ｒｅｆｅｒｅｎｃｅ  ｓｉｇｎａｌ）の構成と関連した制御情報を含むＲＲＣ（Ｒａｄｉｏ  Ｒｅｓｏｕｒｃｅ  Ｃｏｎｔｒｏｌ）シグナリング（ｓｉｇｎａｌｉｎｇ）を基地局から受信するステップと、前記受信された制御情報に基づいて前記基地局から前記１２−ポートＣＳＩ−ＲＳを１２−ポートＣＳＩ−ＲＳ資源を介して受信するステップと、前記受信されたＣＳＩ−ＲＳに基づいて前記基地局にチャネル状態情報（Ｃｈａｎｎｅｌ  Ｓｔａｔｅ  Ｉｎｆｏｒｍａｔｉｏｎ：ＣＳＩ）を報告（ｒｅｐｏｒｔｉｎｇ）するステップとを含み、前記１２−ポートＣＳＩ−ＲＳ資源は、３個の４−ポートＣＳＩ−ＲＳの資源が結合（ａｇｇｒｅｇａｔｉｏｎ）され、前記４−ポートＣＳＩ−ＲＳ資源は、４個の資源要素（Ｒｅｓｏｕｒｃｅ  Ｅｌｅｍｅｎｔ：ＲＥ）を含み、４−ポートＣＳＩ−ＲＳのポートは、ＣＤＭ（Ｃｏｄｅ  Ｄｉｖｉｓｉｏｎ  Ｍｕｌｔｉｐｌｅｘｉｎｇ）長さ４が適用され、前記４個のＲＥにマッピングされることを特徴とする。
【００１２】
また、本明細書において前記４個のＲＥは、時間領域で連続する２個のシンボル（ｓｙｍｂｏｌ）及び周波数領域で２個のサブキャリア（ｓｕｂｃａｒｒｉｅｒ）を含むことを特徴とする。
【００１３】
また、本明細書において前記２個のサブキャリアは、６個のサブキャリア間隔の分だけ離れたことを特徴とする。
【００１４】
また、本明細書において前記１２−ポートＣＳＩ−ＲＳのポートは、３個の４−ポートＣＳＩ−ＲＳのポートグループを含み、各４−ポートＣＳＩ−ＲＳポートグループに前記ＣＤＭ長さ４が適用されることを特徴とする。
【００１５】
また、本明細書において前記ＲＲＣシグナリングは、ＣＤＭ長さを表すＣＤＭ長さ情報をさらに含むことを特徴とする。
【００１６】
また、本明細書において前記ＣＤＭ長さ（ｌｅｎｇｔｈ）は、ＣＤＭ２、ＣＤＭ４、またはＣＤＭ８であることを特徴とする。
【００１７】
また、本明細書において前記制御情報は、前記結合される４−ポートＣＳＩ−ＲＳ資源のそれぞれの開始位置を表す位置情報をさらに含むことを特徴とする。
【００１８】
また、本明細書において前記制御情報は、結合されるＣＳＩ−ＲＳ資源のそれぞれのポート数を表す情報をさらに含むことを特徴とする。
また、本明細書は、無線通信システムにおいてＣＳＩ（Ｃｈａｎｎｅｌ  Ｓｔａｔｅ  Ｉｎｆｏｒｍａｔｉｏｎ）を報告（ｒｅｐｏｒｔｉｎｇ）するための端末において、無線信号を送受信するためのＲＦ（Ｒａｄｉｏ  Ｆｒｅｑｕｅｎｃｙ）ユニットと、前記ＲＦユニットを制御するプロセッサとを備え、前記プロセッサは、１２−ポート（ｐｏｒｔ）ＣＳＩ−ＲＳ（Ｒｅｆｅｒｅｎｃｅ  ｓｉｇｎａｌ）の構成と関連した制御情報を含むＲＲＣ（Ｒａｄｉｏ  Ｒｅｓｏｕｒｃｅ  Ｃｏｎｔｒｏｌ）シグナリング（ｓｉｇｎａｌｉｎｇ）を基地局から受信し、前記受信された制御情報に基づいて前記基地局から前記１２−ポートＣＳＩ−ＲＳを１２−ポートＣＳＩ−ＲＳ資源を介して受信し、前記受信されたＣＳＩ−ＲＳに基づいて前記基地局にチャネル状態情報（Ｃｈａｎｎｅｌ  Ｓｔａｔｅ  Ｉｎｆｏｒｍａｔｉｏｎ：ＣＳＩ）を報告（ｒｅｐｏｒｔｉｎｇ）するように制御し、前記１２−ポートＣＳＩ−ＲＳ資源は、３個の４−ポートＣＳＩ−ＲＳの資源が結合（ａｇｇｒｅｇａｔｉｏｎ）され、４−ポートＣＳＩ−ＲＳのポートは、ＣＤＭ（Ｃｏｄｅ  Ｄｉｖｉｓｉｏｎ  Ｍｕｌｔｉｐｌｅｘｉｎｇ）長さ４が適用され、４個のＲＥにマッピングされることを特徴とする。
本発明は、例えば、以下の項目を提供する。
（項目１）
無線通信システムにおけるチャネル状態情報（Ｃｈａｎｎｅｌ  Ｓｔａｔｅ  Ｉｎｆｏｒｍａｔｉｏｎ：ＣＳＩ）を報告（ｒｅｐｏｒｔｉｎｇ）するための方法において、端末により行われる方法は、
１２−ポート（ｐｏｒｔ）ＣＳＩ−ＲＳ（Ｒｅｆｅｒｅｎｃｅ  ｓｉｇｎａｌ）の構成と関連した制御情報を含むＲＲＣ（Ｒａｄｉｏ  Ｒｅｓｏｕｒｃｅ  Ｃｏｎｔｒｏｌ）シグナリング（ｓｉｇｎａｌｉｎｇ）を基地局から受信するステップと、
前記受信された制御情報に基づいて前記基地局から前記１２−ポートＣＳＩ−ＲＳを１２−ポートＣＳＩ−ＲＳ資源を介して受信するステップと、
前記１２−ポートＣＳＩ−ＲＳ資源は、３個の４−ポートＣＳＩ−ＲＳの資源が結合（ａｇｇｒｅｇａｔｉｏｎ）され、及び
前記受信されたＣＳＩ−ＲＳに基づいて前記基地局にチャネル状態情報（Ｃｈａｎｎｅｌ  Ｓｔａｔｅ  Ｉｎｆｏｒｍａｔｉｏｎ：ＣＳＩ）を報告（ｒｅｐｏｒｔｉｎｇ）するステップと、
を含み、
前記４−ポートＣＳＩ−ＲＳ資源は、４個の資源要素（Ｒｅｓｏｕｒｃｅ  Ｅｌｅｍｅｎｔ：ＲＥ）を含み、
４−ポートＣＳＩ−ＲＳのポートは、ＣＤＭ（Ｃｏｄｅ  Ｄｉｖｉｓｉｏｎ  Ｍｕｌｔｉｐｌｅｘｉｎｇ）長さ４が適用され、前記４個のＲＥにマッピングされることを特徴とする方法。
（項目２）
前記ＣＤＭ長さ４は、
下記の数式のように定義されることを特徴とする項目１に記載の方法。
（数式）
【数３０】
2018023141.tif 000003
（項目３）
前記４個のＲＥは、時間領域で連続する２個のシンボル（ｓｙｍｂｏｌ）及び周波数領域で２個のサブキャリア（ｓｕｂｃａｒｒｉｅｒ）を含むことを特徴とする項目１に記載の方法。
（項目４）
前記２個のサブキャリアは、６個のサブキャリア間隔の分だけ離れたことを特徴とする項目３に記載の方法。
（項目５）
前記１２−ポートＣＳＩ−ＲＳのポートは、３個の４−ポートＣＳＩ−ＲＳのポートグループを含み、
各４−ポートＣＳＩ−ＲＳポートグループに前記ＣＤＭ長さ４が適用されることを特徴とする項目１に記載の方法。
（項目６）
前記ＲＲＣシグナリングは、ＣＤＭ長さを表すＣＤＭ長さ（ｌｅｎｇｔｈ）情報をさらに含むことを特徴とする項目１に記載の方法。
（項目７）
前記ＣＤＭ長さ（ｌｅｎｇｔｈ）は、ＣＤＭ２、ＣＤＭ４、またはＣＤＭ８であることを特徴とする項目１に記載の方法。
（項目８）
前記制御情報は、前記結合される４−ポートＣＳＩ−ＲＳ資源のそれぞれの開始位置を表す位置情報をさらに含むことを特徴とする項目１に記載の方法。
（項目９）
前記制御情報は、結合されるＣＳＩ−ＲＳ資源のそれぞれのポート数を表す情報をさらに含むことを特徴とする項目８に記載の方法。
（項目１０）
前記４−ポートＣＳＩ−ＲＳ資源は、前記ＣＤＭ長さ４が適用される４−ポートＣＳＩ−ＲＳ資源プール（ｒｅｓｏｕｒｃｅ  ｐｏｏｌ）に含まれることを特徴とする項目１に記載の方法。
（項目１１）
前記４−ポートＣＳＩ−ＲＳ資源プールは、複数の４−ポートＣＳＩ−ＲＳ資源を含み、
前記複数の４−ポートＣＳＩ−ＲＳ資源は、特定タイプ別に区分されることを特徴とする項目１０に記載の方法。
（項目１２）
前記特定タイプは、前記ＣＤＭ長さ４がシンボル（ｓｙｍｂｏｌ）及びサブキャリア（ｓｕｂｃａｒｒｉｅｒ）の両方に適用されるタイプと前記ＣＤＭ長さ４がシンボルのみに適用されるタイプとを含むことを特徴とする項目１１に記載の方法。
（項目１３）
前記特定タイプは、前記４−ポートＣＳＩ−ＲＳ資源の開始位置を表すＣＳＩ−ＲＳ構成（ｃｏｎｆｉｇｕｒａｔｉｏｎ）情報とマッピングされることを特徴とする項目１１に記載の方法。
（項目１４）
無線通信システムにおいてＣＳＩ（Ｃｈａｎｎｅｌ  Ｓｔａｔｅ  Ｉｎｆｏｒｍａｔｉｏｎ）を報告（ｒｅｐｏｒｔｉｎｇ）するための端末において、
無線信号を送受信するためのＲＦ（Ｒａｄｉｏ  Ｆｒｅｑｕｅｎｃｙ）ユニットと、
前記ＲＦユニットを制御するプロセッサと、
を備え、
前記プロセッサは、
１２−ポート（ｐｏｒｔ）ＣＳＩ−ＲＳ（Ｒｅｆｅｒｅｎｃｅ  ｓｉｇｎａｌ）の構成と関連した制御情報を含むＲＲＣ（Ｒａｄｉｏ  Ｒｅｓｏｕｒｃｅ  Ｃｏｎｔｒｏｌ）シグナリング（ｓｉｇｎａｌｉｎｇ）を基地局から受信し、
前記受信された制御情報に基づいて前記基地局から前記１２−ポートＣＳＩ−ＲＳを１２−ポートＣＳＩ−ＲＳ資源を介して受信し、
前記１２−ポートＣＳＩ−ＲＳ資源は、３個の４−ポートＣＳＩ−ＲＳの資源が結合（ａｇｇｒｅｇａｔｉｏｎ）され、
前記受信されたＣＳＩ−ＲＳに基づいて前記基地局にチャネル状態情報（Ｃｈａｎｎｅｌ  Ｓｔａｔｅ  Ｉｎｆｏｒｍａｔｉｏｎ：ＣＳＩ）を報告（ｒｅｐｏｒｔｉｎｇ）するように制御し、
前記４−ポートＣＳＩ−ＲＳ資源は、４個の資源要素（Ｒｅｓｏｕｒｃｅ  Ｅｌｅｍｅｎｔ：ＲＥ）を含み、
４−ポートＣＳＩ−ＲＳのポートは、ＣＤＭ（Ｃｏｄｅ  Ｄｉｖｉｓｉｏｎ  Ｍｕｌｔｉｐｌｅｘｉｎｇ）長さ４が適用され、４個のＲＥにマッピングされることを特徴とする端末。
（項目１５）
前記ＣＤＭ長さ４は、
下記の数式のように定義されることを特徴とする項目１４に記載の端末。
（数式）
【数３１】
2018023141.tif 000004
（項目１６）
前記４個のＲＥは、時間領域で連続する２個のシンボル（ｓｙｍｂｏｌ）及び周波数領域で２個のサブキャリア（ｓｕｂｃａｒｒｉｅｒ）を含むことを特徴とする項目１４に記載の端末。
（項目１７）
前記２個のサブキャリアは、６個のサブキャリア間隔の分だけ離れたことを特徴とする項目１６に記載の端末。
（項目１８）
前記１２−ポートＣＳＩ−ＲＳのポートは、３個の４−ポートＣＳＩ−ＲＳのポートグループを含み、
各４−ポートＣＳＩ−ＲＳポートグループに前記ＣＤＭ長さ４が適用されることを特徴とする項目１４に記載の端末。
【発明の効果】
【００１９】
本明細書は、レガシＣＳＩ−ＲＳ資源を併合して新しいＣＳＩ−ＲＳ資源を設定することにより、ｍａｓｓｉｖｅ  ＭＩＭＯシステムのように、送信端のアンテナ個数が多いシステムを効率的に支援できるだけでなく、ｌｅｇａｃｙシステムとの相互互換性も維持できるという効果がある。
【００２０】
また、本明細書は、８−ポートより多いポートを使用してＣＳＩ−ＲＳ構成の際、ｌｅｇａｃｙ  ＣＳＩ−ＲＳポート別にＣＤＭ長さ４を適用することにより、ＣＳＩ−ＲＳポート当たり、全体電力使用を可能にすることができるという効果がある。
【００２１】
本発明において得ることができる効果は、以上で言及した効果に制限されず、言及していないさらに他の効果は、下記の記載から本発明の属する技術分野における通常の知識を有した者に明確に理解され得るであろう。
【図面の簡単な説明】
【００２２】
本発明に関する理解のために詳細な説明の一部として含まれる添付図面は、本発明に対する実施形態を提供し、詳細な説明とともに本発明の技術的特徴を説明する。
【００２３】
【図１】本発明が適用され得る無線通信システムにおける無線フレームの構造を示す。
【図２】本発明が適用され得る無線通信システムにおいて１つの下向きリンクスロットに対する資源グリッド（ｒｅｓｏｕｒｃｅ  ｇｒｉｄ）を例示した図である。
【図３】本発明が適用され得る無線通信システムにおいて下向きリンクサブフレームの構造を示す。
【図４】本発明が適用され得る無線通信システムにおいて上向きリンクサブフレームの構造を示す。
【図５】一般的な多重入出力アンテナ（ＭＩＭＯ）通信システムの構成図である。
【図６】複数の送信アンテナから１つの受信アンテナへのチャネルを示した図である。
【図７】本発明が適用され得る無線通信システムにおいて下向きリンク資源ブロック対にマッピングされた参照信号パターンを例示する。
【図８】本発明が適用され得る無線通信システムにおいてＣＳＩ−ＲＳ構成を例示する図である。
【図９】本発明が適用され得る６４個のアンテナ要素を有する２Ｄ能動アンテナシステムの一例を示した図である。
【図１０】本発明が適用され得る無線通信システムにおいて基地局または端末がＡＡＳ基盤の３Ｄ（３−Ｄｉｍｅｎｓｉｏｎ）ビーム形成が可能な複数の送受信アンテナを有しているシステムを例示する。
【図１１】偏光（Ｐｏｌａｒｉｚａｔｉｏｎ）基盤の２Ｄ平面アンテナアレイモデルの一例を示した図である。
【図１２】送受信端ユニット（ｔｒａｎｓｃｅｉｖｅｒ  ｕｎｉｔｓ：ＴＸＲＵｓ）モデルの一例を示した図である。
【図１３】本明細書において提案する方法が適用され得る８ポートＣＳＩ−ＲＳ資源マッピングパターンの一例を示した図である。
【図１４】本明細書において提案する方法が適用され得る一般ＣＰでのＣＳＩ−ＲＳ構成の一例を示した図である。
【図１５】本明細書において提案する方法が適用され得る拡張ＣＰでのＣＳＩ−ＲＳ構成の一例を示した図である。
【図１６】ＦＤＭされる参照信号に対するパワーブースティングの一例を示した図である。
【図１７】本明細書において提案する一般ＣＰでの１６−ｐｏｒｔ  ＣＳＩ−ＲＳパターンの一例を示した図である。
【図１８】本明細書において提案する一般ＣＰでの１６−ｐｏｒｔ  ＣＳＩ−ＲＳパターンのさらに他の一例を示した図である。
【図１９】本明細書において提案する一般ＣＰでの１６−ｐｏｒｔ  ＣＳＩ−ＲＳパターンのさらに他の一例を示した図である。
【図２０】本明細書において提案する一般ＣＰでの１２−ｐｏｒｔ  ＣＳＩ−ＲＳパターンの一例を示した図である。
【図２１】本明細書において提案する拡張ＣＰでの１６−ｐｏｒｔ  ＣＳＩ−ＲＳ構成の一例を示した図である。
【図２２】本明細書において提案する拡張ＣＰでの１２−ｐｏｒｔ  ＣＳＩ−ＲＳ構成の一例を示した図である。
【図２３】本明細書において提案する一般ＣＰでの１６−ｐｏｒｔ  ＣＳＩ−ＲＳ  ｐａｔｔｅｒｎのさらに他の一例を示した図である。
【図２４】本明細書において提案する一般ＣＰでの１６−ｐｏｒｔ  ＣＳＩ−ＲＳ  ｐａｔｔｅｒｎのさらに他の一例を示した図である。
【図２５】本明細書において提案する一般ＣＰでの１６−ｐｏｒｔ  ＣＳＩ−ＲＳ  ｐａｔｔｅｒｎのさらに他の一例を示した図である。
【図２６】本明細書において提案する一般ＣＰでの１６−ｐｏｒｔ  ＣＳＩ−ＲＳ  ｐａｔｔｅｒｎのさらに他の一例を示した図である。
【図２７】本明細書において提案する一般ＣＰでの１２−ｐｏｒｔ  ＣＳＩ−ＲＳ  ｐａｔｔｅｒｎのさらに他の一例を示した図である。
【図２８】本明細書において提案する一般ＣＰでの１２−ｐｏｒｔ  ＣＳＩ−ＲＳ  ｐａｔｔｅｒｎのさらに他の一例を示した図である。
【図２９】本明細書において提案する拡張ＣＰでの１６−ｐｏｒｔ  ＣＳＩ−ＲＳ  ｐａｔｔｅｒｎのさらに他の一例を示した図である。
【図３０】本明細書において提案する拡張ＣＰでの１６−ｐｏｒｔ  ＣＳＩ−ＲＳ  ｐａｔｔｅｒｎのさらに他の一例を示した図である。
【図３１】本明細書において提案する拡張ＣＰでの１６−ｐｏｒｔ  ＣＳＩ−ＲＳ  ｐａｔｔｅｒｎのさらに他の一例を示した図である。
【図３２】本明細書において提案する拡張ＣＰでの１６−ｐｏｒｔ  ＣＳＩ−ＲＳ  ｐａｔｔｅｒｎのさらに他の一例を示した図である。
【図３３】本明細書において提案する一般ＣＰでの１２−ｐｏｒｔ  ＣＳＩ−ＲＳ  ｐａｔｔｅｒｎの一例を示した図である。
【図３４】本明細書において提案する一般ＣＰでの１６−ｐｏｒｔ  ＣＳＩ−ＲＳ  ｐａｔｔｅｒｎの一例を示した図である。
【図３５】本明細書において提案する一般ＣＰでの１６−ｐｏｒｔ  ＣＳＩ−ＲＳ  ｐａｔｔｅｒｎの一例を示した図である。
【図３６】本明細書において提案する一般ＣＰでの１６−ｐｏｒｔ  ＣＳＩ−ＲＳ  ｐａｔｔｅｒｎの一例を示した図である。
【図３７】本明細書において提案する一般ＣＰでの１２−ｐｏｒｔ  ＣＳＩ−ＲＳ  ｐａｔｔｅｒｎ構成のさらに他の一例を示した図である。
【図３８】本明細書において提案する一般ＣＰでの１２−ｐｏｒｔ  ＣＳＩ−ＲＳ  ｐａｔｔｅｒｎ構成のさらに他の一例を示した図である。
【図３９】本明細書において提案する一般ＣＰでの１２−ｐｏｒｔ  ＣＳＩ−ＲＳ  ｐａｔｔｅｒｎ構成のさらに他の一例を示した図である。
【図４０】本明細書において提案する一般ＣＰでの１２−ｐｏｒｔ  ＣＳＩ−ＲＳ  ｐａｔｔｅｒｎ構成のさらに他の一例を示した図である。
【図４１】本明細書において提案する一般ＣＰでの１２−ｐｏｒｔ  ＣＳＩ−ＲＳ  ｐａｔｔｅｒｎ構成のさらに他の一例を示した図である。
【図４２】本明細書において提案する一般ＣＰでの１２−ｐｏｒｔ  ＣＳＩ−ＲＳ  ｐａｔｔｅｒｎ構成のさらに他の一例を示した図である。
【図４３】本明細書において提案する一般ＣＰでの１２−ｐｏｒｔ及び１６−ｐｏｒｔ  ＣＳＩ−ＲＳ  ｐａｔｔｅｒｎ構成の一例を示した図である。
【図４４】本明細書において提案する一般ＣＰでの１２−ｐｏｒｔ及び１６−ｐｏｒｔ  ＣＳＩ−ＲＳ  ｐａｔｔｅｒｎ構成の一例を示した図である。
【図４５】本明細書において提案するＣＤＭ４のための４−ｐｏｒｔ  ＣＳＩ−ＲＳ単位の資源プールの一例を示す。
【図４６】本明細書において提案するＣＤＭ４のための４−ｐｏｒｔ  ＣＳＩ−ＲＳ単位の資源プールの一例を示す。
【図４７】本明細書において提案するＣＤＭ４のための４−ｐｏｒｔ  ＣＳＩ−ＲＳ単位の資源プールの一例を示す。
【図４８】本明細書において提案するＣＤＭ４のための４−ｐｏｒｔ  ＣＳＩ−ＲＳ単位の資源プールの一例を示す。
【図４９】本明細書において提案するＣＤＭ長さ４を用いた１２−ポートＣＳＩ−ＲＳ構成方法の一例を示した順序図である。
【図５０】本発明の一実施形態に係る無線通信装置のブロック構成図を例示する。
【発明を実施するための形態】
【００２４】
以下、本発明にかかる好ましい実施の形態を添付された図面を参照して詳細に説明する。添付された図面と共に以下に開示する詳細な説明は、本発明の例示的な実施の形態を説明するためのものであり、本発明が実施されうる唯一の実施の形態を示すためのものではない。以下の詳細な説明は、本発明の完全な理解を提供するために具体的細部事項を含む。しかしながら、当業者は、本発明がこのような具体的細部事項がなくても実施できることを理解すべきである。
【００２５】
いくつかの場合、本発明の概念が曖昧になることを避けるために、公知の構造及び装置は省略されるか、または各構造及び装置の核心機能を重心にしたブロック図形式で示されることができる。
【００２６】
本明細書において基地局は、端末と直接的に通信を行うネットワークの終端ノード（ｔｅｒｍｉｎａｌ  ｎｏｄｅ）としての意味を有する。本文書において基地局により行われると説明された特定動作は、場合によっては、基地局の上位ノード（ｕｐｐｅｒ  ｎｏｄｅ）により行われても良い。
【００２７】
すなわち、基地局を含む多数のネットワークノード（ｎｅｔｗｏｒｋ  ｎｏｄｅｓ）からなるネットワークにおいて端末との通信のために行われる多様な動作は、基地局または基地局以外の他のネットワークノードにより行われうることは明らかである。「基地局（ＢＳ：Ｂａｓｅ  Ｓｔａｔｉｏｎ）」は、固定局（ｆｉｘｅｄ  ｓｔａｔｉｏｎ）、Ｎｏｄｅ  Ｂ、ｅＮＢ（ｅｖｏｌｖｅｄ-ＮｏｄｅＢ）、ＢＴＳ（ｂａｓｅ  ｔｒａｎｓｃｅｉｖｅｒ  ｓｙｓｔｅｍ）、アクセスポイント（ＡＰ：Ａｃｃｅｓｓ  Ｐｏｉｎｔ）などの用語により代替されることができる。また、「端末（Ｔｅｒｍｉｎａｌ）」は、固定されるか、または移動性を有することができ、ＵＥ（Ｕｓｅｒ  Ｅｑｕｉｐｍｅｎｔ）、ＭＳ（Ｍｏｂｉｌｅ  Ｓｔａｔｉｏｎ）、ＵＴ（ｕｓｅｒ  ｔｅｒｍｉｎａｌ）、ＭＳＳ（Ｍｏｂｉｌｅ  ｓｕｂｓｃｒｉｂｅｒ  Ｓｔａｔｉｏｎ）、ＳＳ（Ｓｕｂｓｃｒｉｂｅｒ  Ｓｔａｔｉｏｎ）、ＡＭＳ（Ａｄｖａｎｃｅｄ  Ｍｏｂｉｌｅ  Ｓｔａｔｉｏｎ）、ＷＴ（Ｗｉｒｅｌｅｓｓ  ｔｅｒｍｉｎａｌ）、ＭＴＣ（Ｍａｃｈｉｎｅ-Ｔｙｐｅ  Ｃｏｍｍｕｎｉｃａｔｉｏｎ）装置、Ｍ２Ｍ（Ｍａｃｈｉｎｅ-ｔｏ-Ｍａｃｈｉｎｅ）装置、Ｄ２Ｄ（Ｄｅｖｉｃｅ-ｔｏ-Ｄｅｖｉｃｅ）装置などの用語に代替されることができる。
【００２８】
以下、ダウンリンク（ＤＬ：ｄｏｗｎｌｉｎｋ）は、基地局から端末への通信を意味し、アップリンク（ＵＬ：ｕｐｌｉｎｋ）は、端末から基地局への通信を意味する。ダウンリンクにおける送信機は、基地局の一部で、受信機は、端末の一部でありうる。アップリンクにおける送信機は、端末の一部で、受信機は、基地局の一部でありうる。
【００２９】
以下の説明において用いられる特定用語は、本発明の理解に役立つために提供されたものであり、このような特定用語の使用は、本発明の技術的思想から外れない範囲内で他の形態に変更されることができる。
【００３０】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ-ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）、ＮＯＭＡ（ｎｏｎ-ｏｒｔｈｏｇｏｎａｌ  ｍｕｌｔｉｐｌｅ  ａｃｃｅｓｓ）などのような多様な無線接続システムに利用されることができる。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）またはＣＤＭＡ２０００のような無線技術（ｒａｄｉｏ  ｔｅｃｈｎｏｌｏｇｙ）により具現化されることができる。ＴＤＭＡは、ＧＳＭ（登録商標）（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ  ｅｖｏｌｕｔｉｏｎ）のような無線技術により具現化されることができる。ＯＦＤＭＡは、ＩＥＥＥ  ８０２．１１（Ｗｉ-Ｆｉ）、ＩＥＥＥ  ８０２．１６（ＷｉＭＡＸ）、ＩＥＥＥ  ８０２-２０、Ｅ-ＵＴＲＡ（ｅｖｏｌｖｅｄ  ＵＴＲＡ）などのような無線技術により具現化されることができる。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ  ｔｅｒｍ  ｅｖｏｌｕｔｉｏｎ）は、Ｅ-ＵＴＲＡを使用するＥ-ＵＭＴＳ（ｅｖｏｌｖｅｄ  ＵＭＴＳ）の一部であり、ダウンリンクにおいてＯＦＤＭＡを採用し、アップリンクにおいてＳＣ-ＦＤＭＡを採用する。ＬＴＥ-Ａ（ａｄｖａｎｃｅｄ）は、３ＧＰＰ  ＬＴＥの進化である。
【００３１】
本発明の実施の形態は、無線接続システムであるＩＥＥＥ  ８０２、３ＧＰＰ及び３ＧＰＰ２のうち、少なくとも一つに開示された標準文書により裏付けられることができる。すなわち、本発明の実施の形態のうち、本発明の技術的思想を明確にあらわすために、説明しないステップまたは部分は、前記文書により裏付けられることができる。また、本文書に開示しているすべての用語は、前記標準文書により説明されることができる。
【００３２】
説明を明確にするために、３ＧＰＰ  ＬＴＥ／ＬＴＥ-Ａを中心に述べるが、本発明の
技術的特徴がこれに制限されることではない。
【００３３】
システム一般
【００３４】
図１は、本発明が適用されることができる無線通信システムにおける無線フレームの構造を示す。
【００３５】
３ＧＰＰ  ＬＴＥ／ＬＴＥ-Ａでは、ＦＤＤ（Ｆｒｅｑｕｅｎｃｙ  ｄｉｖｉｓｉｏｎ  Ｄｕｐｌｅｘ）に適用可能なタイプ１無線フレーム（ｒａｄｉｏ  ｆｒａｍｅ）構造とＴＤＤ（Ｔｉｍｅ  ｄｉｖｉｓｉｏｎ  Ｄｕｐｌｅｘ）に適用可能なタイプ２の無線フレーム構造を支援する。
【００３６】
図１（ａ）は、タイプ１無線フレームの構造を例示する。無線フレーム（ｒａｄｉｏ  ｆｒａｍｅ）は、１０個のサブフレーム（ｓｕｂｆｒａｍｅ）から構成される。一つのサブフレームは、時間領域（ｔｉｍｅ  ｄｏｍａｉｎ）において２個のスロット（ｓｌｏｔ）から構成される。一つのサブフレームを送信するのにかかる時間をＴＴＩ（ｔｒａｎｓｍｉｓｓｉｏｎ  ｔｉｍｅ  ｉｎｔｅｒｖａｌ）という。例えば、一つのサブフレームの長さは１ｍｓで、一つのスロットの長さは、０．５ｍｓでありうる。
一つのスロットは、時間領域において複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含み、周波数領域において多数の資源ブロック（ＲＢ：Ｒｅｓｏｕｒｃｅ  Ｂｌｏｃｋ）を含む。３ＧＰＰ  ＬＴＥは、ダウンリンクにおいてＯＦＤＭＡを使用するから、ＯＦＤＭシンボルは、一つのシンボル区間（ｓｙｍｂｏｌ  ｐｅｒｉｏｄ）を表現するためのものである。ＯＦＤＭシンボルは、一つのＳＣ-ＦＤＭＡシンボルまたはシンボル区間ということができ
る。資源ブロック（ｒｅｓｏｕｒｃｅ  ｂｌｏｃｋ）は、資源割り当て単位で、一つのスロットにおいて複数の連続的な副搬送波（ｓｕｂｃａｒｒｉｅｒ）を含む。
【００３７】
図１の（ｂ）は、タイプ２フレーム構造（ｆｒａｍｅ  ｓｔｒｕｃｔｕｒｅ  ｔｙｐｅ  ２）を示す。タイプ２無線フレームは、２個のハーフフレーム（ｈａｌｆ  ｆｒａｍｅ）から構成され、各ハーフフレームは、５個のサブフレームとＤｗＰＴＳ（Ｄｏｗｎｌｉｎｋ  Ｐｉｌｏｔ  Ｔｉｍｅ  Ｓｌｏｔ）、保護区間（ＧＰ：Ｇｕａｒｄ  Ｐｅｒｉｏｄ）、ＵｐＰＴＳ（Ｕｐｌｉｎｋ  Ｐｉｌｏｔ  Ｔｉｍｅ  Ｓｌｏｔ）から構成され、この中で１個のサブフレームは、２個のスロットから構成される。ＤｗＰＴＳは、端末での初期セルサーチ、同期化またはチャネル推定に使用される。ＵｐＰＴＳは、基地局でのチャネル推定と端末のアップリンク送信同期とを合せるのに使用される。保護区間は、アップリンクとダウンリンクとの間にダウンリンク信号の多重経路遅延によりアップリンクにおいて生じる干渉を除去するための区間である。
【００３８】
ＴＤＤシステムのタイプ２フレーム構造においてアップリンク-ダウンリンク構成（ｕｐｌｉｎｋ-ｄｏｗｎｌｉｎｋ  ｃｏｎｆｉｇｕｒａｔｉｏｎ）は、すべてのサブフレームに対してアップリンクとダウンリンクが割り当て（または予約）されるかどうかを表す規則である。表１は、アップリンク-ダウンリンク構成を示す。
【００３９】
【表１】
2018023141.tif 000005
【００４０】
表１に示すように、無線フレームの各サブフレーム別に、「Ｄ」は、下向きリンク送信のためのサブフレームを表し、「Ｕ」は、上向きリンク送信のためのサブフレームを表し、「Ｓ」は、ＤｗＰＴＳ（Ｄｏｗｎｌｉｎｋ  Ｐｉｌｏｔ  Ｔｉｍｅ  Ｓｌｏｔ）、保護区間（ＧＰ：Ｇｕａｒｄ  Ｐｅｒｉｏｄ）、ＵｐＰＴＳ（Ｕｐｌｉｎｋ  Ｐｉｌｏｔ  Ｔｉｍｅ  Ｓｌｏｔ）の３つのフィールドで構成されるスペシャルサブフレーム（ｓｐｅｃｉａｌ  ｓｕｂｆｒａｍｅ）を表す。
【００４１】
ＤｗＰＴＳは、端末での初期セル探索、同期化、またはチャネル推定に使用される。ＵｐＰＴＳは、基地局でのチャネル推定と端末の上向きリンク送信同期とを合わせるのに使用される。ＧＰは、上向きリンクと下向きリンクとの間に下向きリンク信号の多重経路遅延のため、上向きリンクで生じる干渉を除去するための区間である。
【００４２】
各サブフレームｉは、各Ｔ＿ｓｌｏｔ＝１５３６０＊Ｔ＿ｓ＝０．５ｍｓ長さのスロット２ｉ及びスロット２ｉ＋１で構成される。
【００４３】
上向きリンク−下向きリンク構成は、７つに区分されることができ、各構成別に下向きリンクサブフレーム、スペシャルサブフレーム、上向きリンクサブフレームの位置及び／又は個数が異なる。
【００４４】
下向きリンクから上向きリンクに変更される時点または上向きリンクから下向きリンクに切り換えられる時点を切換時点（ｓｗｉｔｃｈｉｎｇ  ｐｏｉｎｔ）という。切換時点の周期性（Ｓｗｉｔｃｈ−ｐｏｉｎｔ  ｐｅｒｉｏｄｉｃｉｔｙ）は、上向きリンクサブフレームと下向きリンクサブフレームとが切り換えられる様子が同様に繰り返される周期を意味し、５ｍｓまたは１０ｍｓが全て支援される。５ｍｓ下向きリンク−上向きリンク切換時点の周期を有する場合には、スペシャルサブフレーム（Ｓ）は、ハーフ−フレーム毎に存在し、５ｍｓ下向きリンク−上向きリンク切換時点の周期を有する場合には、１番目のハーフ−フレームのみに存在する。
【００４５】
全ての構成において、０番、５番サブフレーム、及びＤｗＰＴＳは、下向きリンク送信のみのための区間である。ＵｐＰＴＳ及びサブフレームにまっすぐ繋がるサブフレームは、常に上向きリンク送信のための区間である。
【００４６】
このような、上向きリンク−下向きリンク構成はシステム情報であって、基地局と端末とが共に知っていることができる。基地局は、上向きリンク−下向きリンク構成情報が変わる度に構成情報のインデックスのみを送信することにより、無線フレームの上向きリンク−下向きリンク割当状態の変更を端末に知らせることができる。また、構成情報は、一種の下向きリンク制御情報であって、他のスケジューリング情報と同様に、ＰＤＣＣＨ（Ｐｈｙｓｉｃａｌ  Ｄｏｗｎｌｉｎｋ  Ｃｏｎｔｒｏｌ  Ｃｈａｎｎｅｌ）を介して送信されることができ、放送情報としてブロードキャストチャネル（ｂｒｏａｄｃａｓｔ  ｃｈａｎｎｅｌ）を介してセル内の全ての端末に共通に送信されることもできる。
【００４７】
表２は、スペシャルサブフレームの構成（ＤｗＰＴＳ／ＧＰ／ＵｐＰＴＳの長さ）を表す。
【００４８】
【表２】
2018023141.tif 000006
【００４９】
図１の例示による無線フレームの構造は、１つの例示に過ぎず、無線フレームに含まれる副搬送波の数、またはサブフレームに含まれるスロットの数、スロットに含まれるＯＦＤＭシンボルの数は、様々に変更されることができる。
【００５０】
図２は、本発明が適用されることができる無線通信システムにおける一つのダウンリンクスロットに対する資源グリッド（ｒｅｓｏｕｒｃｅ  ｇｒｉｄ）を示した図である。
【００５１】
図２に示すように、一つのダウンリンクスロットは、時間領域において複数のＯＦＤＭシンボルを含む。ここで、一つのダウンリンクスロットは、７個のＯＦＤＭシンボルを含み、一つの資源ブロックは、周波数領域において１２個の副搬送波を含むことを例示的に述べるが、これに限定されるものではない。
【００５２】
資源グリッド上において各要素（ｅｌｅｍｅｎｔ）を資源要素（ｒｅｓｏｕｒｃｅ  ｅｌｅｍｅｎｔ）とし、一つの資源ブロック（ＲＢ：ｒｅｓｏｕｒｃｅ  ｂｌｏｃｋ）は、１２×７個の資源要素を含む。ダウンリンクスロットに含まれる資源ブロックの数ＮＤＬは、ダウンリンク送信帯域幅（ｂａｎｄｗｉｄｔｈ）に従属する。
【００５３】
アップリンクスロットの構造は、ダウンリンクスロットの構造と同一でありうる。
【００５４】
図３は、本発明が適用されることができる無線通信システムにおけるダウンリンクサブフレームの構造を示す。
【００５５】
図３を参照すると、サブフレーム内の第１番目のスロットにおいて前の最大３個のＯＦＤＭシンボルが制御チャネルが割り当てられる制御領域（ｃｏｎｔｒｏｌ  ｒｅｇｉｏｎ）であり、残りのＯＦＤＭシンボルは、ＰＤＳＣＨ（Ｐｈｙｓｉｃａｌ  Ｄｏｗｎｌｉｎｋ  Ｓｈａｒｅｄ  Ｃｈａｎｎｅｌ）が割り当てられるデータ領域（ｄａｔａ  ｒｅｇｉｏｎ）である。３ＧＰＰ  ＬＴＥで使用されるダウンリンク制御チャネルの一例にＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ    ｃｏｎｔｒｏｌ  Ｃｈａｎｎｅｌ）、ＰＨＩＣＨ（Ｐｈｙｓｉｃａｌ  Ｈｙｂｒｉｄ-ＡＲＱ  Ｉｎｄｉｃａｔｏｒ  Ｃｈａｎｎｅｌ）などがある。
【００５６】
ＰＣＦＩＣＨは、サブフレームの第１番目のＯＦＤＭシンボルにおいて送信され、サブフレーム内に制御チャネルの送信のために使用されるＯＦＤＭシンボルの数（すなわち、制御領域の大きさ）に関する情報を運ぶ。ＰＨＩＣＨは、アップリンクに対する応答チャネルで、ＨＡＲＱ（Ｈｙｂｒｉｄ  Ａｕｔｏｍａｔｉｃ  Ｒｅｐｅａｔ  Ｒｅｑｕｅｓｔ）に対するＡＣＫ（Ａｃｋｎｏｗｌｅｄｇｅｍｅｎｔ）／ＮＡＣＫ（Ｎｏｔ-Ａｃｋｎｏｗｌｅｄｇｅｍｅｎｔ）信号を運ぶ。ＰＤＣＣＨを介して送信される制御情報をダウンリンク制御情報（ＤＣＩ：ｄｏｗｎｌｉｎｋ  ｃｏｎｔｒｏｌ  ｉｎｆｏｒｍａｔｉｏｎ）という。ダウンリンク制御情報は、アップリンク資源割り当て情報、ダウンリンク資源割り当て情報または任意の端末グループに対するアップリンク送信（Ｔｘ）パワー制御命令を含む。
【００５７】
ＰＤＣＣＨは、ＤＬ-ＳＣＨ（Ｄｏｗｎｌｉｎｋ  Ｓｈａｒｅｄ  Ｃｈａｎｎｅｌ）の資源割り当て及び送信フォーマット（これをダウンリンクグラントともいう）、ＵＬ-ＳＣＨ（Ｕｐｌｉｎｋ  Ｓｈａｒｅｄ  Ｃｈａｎｎｅｌ）の資源割り当て情報（これをアップリンクグラントともいう）、ＰＣＨ（Ｐａｇｉｎｇ  Ｃｈａｎｎｅｌ）でのページング（ｐａｇｉｎｇ）情報、ＤＬ-ＳＣＨでのシステム情報、ＰＤＳＣＨから送信されるランダムアクセス応答（ｒａｎｄｏｍ  ａｃｃｅｓｓ  ｒｅｓｐｏｎｓｅ）のような上位階層（ｕｐｐｅｒ-ｌａｙｅｒ）制御メッセージに対する資源割り当て、任意の端末グループ内の個別端末に対する送信パワー制御命令の集合、ＶｏＩＰ（Ｖｏｉｃｅ  ｏｖｅｒ  ＩＰ）の活性化などを運ぶことができる。複数のＰＤＣＣＨは、制御領域内で送信されることができ、端末は、複数のＰＤＣＣＨをモニタリングできる。ＰＤＣＣＨは、一つまたは複数の連続的なＣＣＥ（ｃｏｎｔｒｏｌ  ｃｈａｎｎｅｌ  ｅｌｅｍｅｎｔｓ）の集合から構成される。ＣＣＥは、無線チャネルの状態に応じる符号化率（ｃｏｄｉｎｇ  ｒａｔｅ）をＰＤＣＣＨに提供するために使用される論理的割り当て単位である。ＣＣＥは、複数の資源要素グループ（ｒｅｓｏｕｒｃｅ  ｅｌｅｍｅｎｔ  ｇｒｏｕｐ）に対応する。ＰＤＣＣＨのフォーマット及び使用可能なＰＤＣＣＨのビット数は、ＣＣＥの数とＣＣＥにより提供される符号化率間の関連関係によって決定される。
【００５８】
基地局は、端末に送信しようとするＤＣＩに応じてＰＤＣＣＨフォーマットを決定し、制御情報にＣＲＣ（Ｃｙｃｌｉｃ  Ｒｅｄｕｎｄａｎｃｙ  Ｃｈｅｃｋ）を付ける。ＣＲＣには、ＰＤＣＣＨの所有者（ｏｗｎｅｒ）または用途に応じて、固有の識別子（これをＲＮＴＩ（Ｒａｄｉｏ  Ｎｅｔｗｏｒｋ  Ｔｅｍｐｏｒａｒｙ  Ｉｄｅｎｔｉｆｉｅｒ）という。）がマスキングされる。特定の端末のためのＰＤＣＣＨであれば、端末の固有の識別子、例えばＣ-ＲＮＴＩ（Ｃｅｌｌ-ＲＮＴＩ）がＣＲＣにマスキングされることができる。またはページングメッセージのためのＰＤＣＣＨであれば、ページング指示識別子、例えばＰ-ＲＮＴＩ（Ｐａｇｉｎｇ-ＲＮＴＩ）がＣＲＣにマスキングされることができる。システム情報、さらに具体的にシステム情報ブロック（ＳＩＢ：ｓｙｓｔｅｍ  ｉｎｆｏｒｍａｔｉｏｎ  ｂｌｏｃｋ）のためのＰＤＣＣＨであれば、システム情報識別子、ＳＩ-ＲＮＴＩ（ｓｙｓｔｅｍ  ｉｎｆｏｒｍａｔｉｏｎ  ＲＮＴＩ）がＣＲＣにマスキ
ングされることができる。端末のランダムアクセスプリアンブルの送信に対する応答であるランダムアクセス応答を指示するために、ＲＡ-ＲＮＴＩ（ｒａｎｄｏｍ  ａｃｃｅｓｓ-ＲＮＴＩ）がＣＲＣにマスキングされることができる。
【００５９】
図４は、本発明が適用されることができる無線通信システムにおけるアップリンクサブフレームの構造を示す。
【００６０】
図４に示すように、アップリンクサブフレームは、周波数領域において制御領域とデータ領域とに分けられる。制御領域には、アップリンク制御情報を運ぶＰＵＣＣＨ（Ｐｈｙｓｉｃａｌ  Ｕｐｌｉｎｋ  ｃｏｎｔｒｏｌ  Ｃｈａｎｎｅｌ）が割り当てられる。データ領域は、ユーザデータを運ぶＰＵＳＣＨ（Ｐｈｙｓｉｃａｌ  Ｕｐｌｉｎｋ  Ｓｈａｒｅｄ  Ｃｈａｎｎｅｌ）が割り当てられる。単一搬送波特性を維持するために、一つの端末は、ＰＵＣＣＨとＰＵＳＣＨを同時に送信しない。
【００６１】
一つの端末に対するＰＵＣＣＨには、サブフレーム内に資源ブロック（ＲＢ：Ｒｅｓｏｕｒｃｅ  Ｂｌｏｃｋ）対が割り当てられる。ＲＢ対に属するＲＢは、２個のスロットの各々で互いに異なる副搬送波を占める。これをＰＵＣＣＨに割り当てられたＲＢ対は、スロット境界（ｓｌｏｔ  ｂｏｕｎｄａｒｙ）から周波数跳躍（ｆｒｅｑｕｅｎｃｙ  ｈｏｐｐｉｎｇ）されるという。
【００６２】
ＭＩＭＯ（Ｍｕｌｔｉ-Ｉｎｐｕｔ  Ｍｕｌｔｉ-Ｏｕｔｐｕｔ）
【００６３】
ＭＩＭＯ技術は、いままで一般に一個の送信アンテナと一個の受信アンテナを使用したことから脱皮して、多重送信（Ｔｘ）アンテナと多重受信（Ｒｘ）アンテナを使用する。言い換えれば、ＭＩＭＯ技術は、無線通信システムの送信端または受信端で多重入出力アンテナを使用して、容量増大または性能改善を試みるための技術である。以下、「ＭＩＭＯ」を「多重入出力アンテナ」と称する。
【００６４】
さらに具体的に、多重入出力アンテナ技術は、一つの完全なメッセージ（ｔｏｔａｌ  ｍｅｓｓａｇｅ）を受信するために、一個のアンテナ経路に依存せず、いくつかのアンテナを介して受信した複数のデータ片を収集して、完全なデータを完成させる。結果的に、多重入出力アンテナ技術は、特定システム範囲内でデータ送信率を増加させることができ、また特定データ送信率を介してシステムの範囲を増加させることができる。
【００６５】
次世代移動通信は、既存の移動通信に比べてはるかに高いデータ送信率を要求するので、効率的な多重入出力アンテナ技術が必ず必要であると予想される。このような状況でＭＩＭＯ通信技術は、移動通信端末と中継器などに幅広く使用することができる次世代移動通信技術であり、データ通信拡大などにより限界状況により他の移動通信の送信量限界を克服できる技術として関心を集めている。
【００６６】
一方、現在研究されている多様な送信効率の向上技術のうち、多重入出力アンテナ（ＭＩＭＯ）技術は、追加的な周波数割り当てまたは電力増加がなくても通信容量及び送受信性能を画期的に向上させることができる方法として、現在最も大きな注目を受けている。
【００６７】
図5は、一般的な多重入出力アンテナ（ＭＩＭＯ）通信システムの構成図である。
【００６８】
図5を参照すると、送信アンテナの数をＮＴ個に、受信アンテナの数をＮＲ個に同時に増やすと、送信機または受信機においてのみ多数のアンテナを使用するようになる場合とは異なり、アンテナ数に比例して理論的なチャネル送信容量が増加するので、送信レート（ｔｒａｎｓｆｅｒ  ｒａｔｅ）を向上させ、周波数効率を画期的に向上させることができる。この場合、チャネル送信容量の増加に応じる送信レートは、一つのアンテナを利用する場合の最大送信レート（Ｒｏ）に次のようなレート増加率（Ｒｉ）が掛け算された分だけ理論的に増加できる。
【００６９】
【数１】
2018023141.tif 000007
【００７０】
すなわち、例えば、４個の送信アンテナと４個の受信アンテナとを利用するＭＩＭＯ通信システムでは、単一アンテナシステムに比べて理論上４倍の送信レートを獲得できる。
【００７１】
このような多重入出力アンテナの技術は、多様なチャネル経路を通過したシンボルを利用して送信信頼度を高める空間ダイバーシチ（ｓｐａｔｉａｌ  ｄｉｖｅｒｓｉｔｙ）方式と、多数の送信アンテナを利用して多数のデータシンボルを同時に送信して送信率を向上させる空間マルチプレクス（ｓｐａｔｉａｌ  ｍｕｌｔｉｐｌｅｘｉｎｇ）方式とに分けられる。また、このような２通りの方式を適切に結合して各々の長所を適切に得るための方式に対する研究も、最近多く研究されている分野である。
【００７２】
各々の方式についてさらに具体的に述べると、以下の通りである。
【００７３】
第１に、空間ダイバーシチ方式の場合には、時空間ブロック符号系列と、ダイバーシチ利得と符号化利得とを同時に利用する時空間トレリス（Ｔｒｅｌｉｓ）符号系列方式がある。一般に、ビットエラー率改善性能と符号生成自由度は、トレリス符号方式が優秀であるが、演算複雑度は、時空間ブロック符号が簡単である。このような空間ダイバーシティー利得は、送信アンテナ数（ＮＴ）と受信アンテナ数（ＮＲ）の積  （ＮＴ×ＮＲ）に該当する量を得ることができる。
【００７４】
第２に、空間マルチプレクス技法は、各送信アンテナで互いに異なるデータ列を送信する方法であるが、このとき、受信機では、送信機から同時に送信されたデータ間に相互干渉が発生するようになる。受信機では、この干渉を適切な信号処理技法を利用して除去した後に受信する。ここに使用される雑音除去方式は、ＭＬＤ（ｍａｘｉｍｕｍ  ｌｉｋｅｌｉｈｏｏｄ  ｄｅｔｅｃｔｉｏｎ）受信機、ＺＦ（ｚｅｒｏ-ｆｏｒｃｉｎｇ）受信機
、ＭＭＳＥ（ｍｉｎｉｍｕｍ  ｍｅａｎ  ｓｑｕａｒｅ  ｅｒｒｏｒ）受信機、Ｄ-ＢＬＡＳＴ（Ｄｉａｇｏｎａｌ-Ｂｅｌｌ  Ｌａｂｏｒａｔｏｒｉｅｓ  Ｌａｙｅｒｅｄ  Ｓｐａｃｅ-Ｔｉｍｅ）、Ｖ-ＢＬＡＳＴ（Ｖｅｒｔｉｃａｌ-Ｂｅｌｌ  Ｌａｂｏｒａｔｏｒｉｅｓ  Ｌａｙｅｒｅｄ  Ｓｐａｃｅ-Ｔｉｍｅ）などがあり、特に送信端でチャネル情報が分かる場合には、ＳＶＤ（ｓｉｎｇｕｌａｒ  ｖａｌｕｅ  ｄｅｃｏｍｐｏｓｉｔｉｏｎ）方式などを使用することができる。
【００７５】
第３に、空間ダイバーシチと空間マルチプレクスとの結合された技法を例に挙げることができる。空間ダイバーシチ利得だけを得る場合、ダイバーシチ次数の増加に応じる性能改善利得が順次飽和され、空間マルチプレクス利得だけを取ると、無線チャネルにおいて送信信頼度が低下する。これを解決しながら２通りの利得を全部得る方式が研究されてきたのであり、このうち、時空間ブロック符号（Ｄｏｕｂｌｅ-ＳＴＴＤ）、時空間ＢＩＣＭ（ＳＴＢＩＣＭ）などの方式がある。
【００７６】
上述のような多重入出力アンテナシステムにおける通信方法をより具体的な方法で説明するために、これを数学的にモデリングする場合、以下のように表すことができる。
【００７７】
まず、図5に示すように、ＮＴ個の送信アンテナとＮＲ個の受信アンテナが存在すると
仮定する。
【００７８】
まず、送信信号に対して述べると、このようにＮＴ個の送信アンテナがある場合、最大送信可能な情報は、ＮＴ個であるので、これを次のようなベクトルで表すことができる。
【００７９】
【数２】
2018023141.tif 000008
【００８０】
一方、各々の送信情報ｓ１，  ｓ２，  ．．．，  ｓＮＴにおいて送信電力を異なるようにすることができ、このとき、各々の送信電力をＰ１，Ｐ２，．．．，ＰＮＴとすると、送信電力が調整された送信情報は、次のようなベクトルで表すことができる。
【００８１】
【数３】
2018023141.tif 000009
【００８２】
また、
【化１】
2018023141.tif 000010
を送信電力の対角行列Ｐで次のように表すことができる。
【００８３】
【数４】
2018023141.tif 000011
【００８４】
一方、送信電力が調整された情報ベクトル
【化２】
2018023141.tif 000012
は、その後に加重値行列Ｗが掛け算されて実際に送信されるＮＴ個の送信信号ｘ１，ｘ２，．．．，ｘＮＴを構成する。ここで、加重値行列は、送信チャネル状況などに応じて、送信情報を各アンテナに適切に分配する役割を行う。このような送信信号ｘ１，ｘ２，．．．，ｘＮＴをベクトルｘを利用して次のように表すことができる。
【００８５】
【数５】
2018023141.tif 000013
【００８６】
ここで、ｗｉｊは、ｉ番目の送信アンテナとｊ番目の送信情報間の加重値を表し、Ｗは、これを行列で表したものである。このような行列Ｗを加重値行列（Ｗｅｉｇｈｔ  Ｍａｔｒｉｘ）またはプレコーディング行列（Ｐｒｅｃｏｄｉｎｇ  Ｍａｔｒｉｘ）と呼ぶ。
【００８７】
一方、上述のような送信信号（ｘ）は、空間ダイバーシチを使用する場合と空間マルチプレクス使用する場合とに分けて考慮することができる。
【００８８】
空間マルチプレクスを使用する場合は、互いに異なる信号を多重化して送信するようになるので、情報ベクトルｓの元素が全部異なる値を有するようになることに対し、空間ダイバーシチを使用するようになると、同じ信号を複数のチャネル経路を介して送信するようになるので、情報ベクトルｓの元素が全て同一の値を有するようになる。
【００８９】
もちろん、空間マルチプレクスと空間ダイバーシチとを混合する方法も考慮可能である。すなわち、例えば、３個の送信アンテナを介して同じ信号を空間ダイバーシチを利用して送信し、残りは、各々異なる信号を空間マルチプレクスして送信する場合も考慮することができる。
【００９０】
次に、受信信号は、ＮＲ個の受信アンテナがある場合、各アンテナの受信信号ｙ１，ｙ２，．．．，ｙＮＲをベクトルｙで次の通りに表すことにする。
【００９１】
【数６】
2018023141.tif 000014
【００９２】
一方、多重入出力アンテナ通信システムにおけるチャネルをモデリングする場合、各々のチャネルは、送受信アンテナインデックスに応じて区分でき、送信アンテナｊから受信アンテナｉを経るチャネルをｈｉｊと表示することにする。ここで、ｈｉｊのインデックスの順序が受信アンテナインデックスが先、送信アンテナのインデックスが後であることに留意する。
【００９３】
このようなチャネルは、いくつかを束にしてベクトル及び行列形態でも表示可能である。ベクトル表示の例を挙げて説明すると、以下のとおりである。
【００９４】
図6は、多数の送信アンテナから一つの受信アンテナへのチャネルを示した図である。
【００９５】
図6に示すように、総ＮＴ個の送信アンテナから受信アンテナｉに到着するチャネルは
、以下のとおりに表現可能である。
【００９６】
【数７】
2018023141.tif 000015
【００９７】
また、前記式７のような行列表現を介してＮＴ個の送信アンテナからＮＲ個の受信アンテナを経るチャネルを全て表す場合、以下のように表すことができる。
【００９８】
【数８】
2018023141.tif 000016
【００９９】
一方、実際のチャネルは、上のようなチャネル行列Ｈを経た後に白色雑音（ＡＷＧＮ：Ａｄｄｉｔｉｖｅ  Ｗｈｉｔｅ  Ｇａｕｓｓｉａｎ  Ｎｏｉｓｅ）が加えられるので、ＮＲ個の受信アンテナの各々に加えられる白色雑音ｎ１，ｎ２，．．．，ｎＮＲをベクトルで表現すると、以下のとおりである。
【０１００】
【数９】
2018023141.tif 000017
【０１０１】
上述のような送信信号、受信信号、チャネル、及び白色雑音のモデリングを介して多重入出力アンテナ通信システムでの各々は、次のような関係を介して表すことができる。
【０１０２】
【数１０】
2018023141.tif 000018
【０１０３】
一方、チャネルの状態を表すチャネル行列Ｈの行と列の数は、送受信アンテナの数によって決定される。チャネル行列Ｈは、上述のように、行の数は、受信アンテナの数ＮＲと同じくなり、列の数は、送信アンテナの数ＮＴと同じくなる。すなわち、チャネル行列Ｈは、ＮＲ×ＮＴ行列になる。
【０１０４】
一般に、行列のランク（ｒａｎｋ）は、互いに独立である（ｉｎｄｅｐｅｎｄｅｎｔ）行または列の数の中で最小数と定義される。したがって、行列のランクは、行または列の数より大きくはありえなくなる。式的に、例えば、チャネル行列Ｈのランク（ｒａｎｋ（Ｈ））は、以下のとおりに制限される。
【０１０５】
【数１１】
2018023141.tif 000019
【０１０６】
また、行列を固有値分解（Ｅｉｇｅｎ  ｖａｌｕｅ  ｄｅｃｏｍｐｏｓｉｔｉｏｎ）をしたとき、ランクは、固有値（ｅｉｇｅｎ  ｖａｌｕｅ）のうち、０でない固有値の数と定義することができる。類似の方法で、ランクをＳＶＤ（ｓｉｎｇｕｌａｒ  ｖａｌｕｅ  ｄｅｃｏｍｐｏｓｉｔｉｏｎ）したとき、０でない特異値（ｓｉｎｇｕｌａｒ  ｖａｌｕｅ）の数と定義することができる。したがって、チャネル行列においてランクの物理的な意味は、与えられたチャネルで互いに異なる情報を送ることができる最大数ということができる。
【０１０７】
本明細書において、ＭＩＭＯ送信に対する「ランク（Ｒａｎｋ）」は、特定時点及び特定周波数資源において独立的に信号を送信できる経路の数を表し、「階層（ｌａｙｅｒ）の数」は、各経路を介して送信される信号ストリームの数を示す。一般に、送信端は、信号の送信に利用されるランク数に対応する数の階層を送信するから、特別な言及がない限り、ランクは、階層数と同じ意味を有する。
【０１０８】
参照信号（ＲＳ：Ｒｅｆｅｒｅｎｃｅ  ｓｉｇｎａｌ）
【０１０９】
無線通信システムにおいてデータは、無線チャネルを介して送信されるので、信号は、送信中に歪むことができる。受信端で歪んだ信号を正確に受信するために、受信された信号の歪みは、チャネル情報を利用して補正されなければならない。チャネル情報を検出するために、送信側と受信側の両方で知っている信号送信方法と、信号がチャネルを介して送信されるとき、歪んだ程度を利用してチャネル情報を検出する方法とを主に利用する。上述した信号をパイロット信号または参照信号（ＲＳ：ｒｅｆｅｒｅｎｃｅ  ｓｉｇｎａｌ）という。
【０１１０】
また、近年、ほとんどの移動通信システムでパケットを送信するとき、今まで１個の送信アンテナと１個の受信アンテナとを使用したことから外れて、多重送信アンテナと多重受信アンテナとを採択して送受信データ効率を向上させ得る方法を使用する。多重入出力アンテナを用いてデータを送受信するとき、信号を正確に受信するために、送信アンテナと受信アンテナとの間のチャネル状態が検出されなければならない。したがって、各送信アンテナは、個別的な参照信号を有さなければならない。
【０１１１】
移動通信システムにおいてＲＳは、その目的に応じて大きく２つに区分されることができる。チャネル情報取得のための目的のＲＳと、データ復調のために使用されるＲＳとがある。前者は、ＵＥが下向きリンクへのチャネル情報を取得するのにその目的があるので、広帯域に送信されなければならず、特定サブフレームで下向きリンクデータを受信しないＵＥでも、そのＲＳを受信し、測定できなければならない。また、これは、ハンドオーバーなどの測定などのためにも使用される。後者は、基地局が下向きリンクを送るとき、当該リソースに共に送るＲＳであって、ＵＥは、当該ＲＳを受信することによってチャネル推定をすることができ、したがって、データを復調できるようになる。このＲＳは、データが送信される領域に送信されなければならない。
【０１１２】
下向き参照信号は、セル内の全ての端末が共有するチャネル状態に関する情報取得及びハンドオーバーなどの測定などのための１つの共通参照信号（ＣＲＳ：ｃｏｍｍｏｎ  ＲＳ）と特定端末だけのために、データ復調のために使用される専用参照信号（ｄｅｄｉｃａｔｅｄ  ＲＳ）がある。このような参照信号を用いて復調（ｄｅｍｏｄｕｌａｔｉｏｎ）とチャネル測定（ｃｈａｎｎｅｌ  ｍｅａｓｕｒｅｍｅｎｔ）のための情報を提供できる。すなわち、ＤＲＳは、データ復調用のみに使用され、ＣＲＳは、チャネル情報取得及びデータ復調の２つの目的で使用される。
【０１１３】
受信側（すなわち、端末）は、ＣＲＳからチャネル状態を測定し、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｅｘ）、及び／又はＲＩ（Ｒａｎｋ  Ｉｎｄｉｃａｔｏｒ）のようなチャネル品質と関連した指示子を送信側（すなわち、基地局）にフィードバックする。ＣＲＳは、セル特定基準信号（ｃｅｌｌ−ｓｐｅｃｉｆｉｃ  ＲＳ）ともいう。それに対し、チャネル状態情報（ＣＳＩ：Ｃｈａｎｎｅｌ  Ｓｔａｔｅ  Ｉｎｆｏｒｍａｔｉｏｎ）のフィードバックと関連した参照信号をＣＳＩ−ＲＳと定義することができる。
【０１１４】
ＤＲＳは、ＰＤＳＣＨ上のデータ復調が必要な場合、資源要素を介して送信されることができる。端末は、上位階層を介してＤＲＳの存在可否を受信でき、相応するＰＤＳＣＨがマッピングされたときのみに有効である。ＤＲＳを端末特定参照信号（ＵＥ−ｓｐｅｃｉｆｉｃ  ＲＳ）または復調参照信号（ＤＭＲＳ：Ｄｅｍｏｄｕｌａｔｉｏｎ  ＲＳ）といえる。
【０１１５】
図７は、本発明が適用され得る無線通信システムにおいて下向きリンク資源ブロック対にマッピングされた参照信号パターンを例示する。
【０１１６】
図７に示すように、参照信号がマッピングされる単位として下向きリンク資源ブロック対は、時間領域で１つのサブフレーム×周波数領域で１２個の副搬送波で表すことができる。すなわち、時間軸（ｘ軸）上で１つの資源ブロック対は、一般循環前置（ｎｏｒｍａｌ  ＣＰ：ｎｏｒｍａｌ  Ｃｙｃｌｉｃ  Ｐｒｅｆｉｘ）である場合、１４個のＯＦＤＭシンボルの長さを有し（図７（ａ）の場合）、拡張循環前置（ｅｘｔｅｎｄｅｄ  ＣＰ：ｅｘｔｅｎｄｅｄ  Ｃｙｃｌｉｃ  Ｐｒｅｆｉｘ）である場合、１２個のＯＦＤＭシンボルの長さを有する（図７（ｂ）の場合）。資源ブロック格子で「０」、「１」、「２」、及び「３」で記載された資源要素ＲＥｓは、各々アンテナポートインデックス「０」、「１」、「２」、及び「３」のＣＲＳの位置を意味し、「Ｄ」で記載された資源要素は、ＤＲＳの位置を意味する。
【０１１７】
以下、ＣＲＳについてさらに詳細に記述すれば、ＣＲＳは、物理的アンテナのチャネルを推定するために使用され、セル内に位置した全ての端末に共通的に受信され得る参照信号として全体周波数帯域に分布される。すなわち、このＣＲＳは、ｃｅｌｌ−ｓｐｅｃｉｆｉｃなシグナルであって、広帯域に対してサブフレーム毎に送信される。また、ＣＲＳは、チャネル品質情報ＣＳＩ及びデータ復調のために用いられることができる。
【０１１８】
ＣＲＳは、送信側（基地局）でのアンテナ配列によって様々なフォーマットで定義される。３ＧＰＰ  ＬＴＥシステム（例えば、リリース−８）では、基地局の送信アンテナ個数によって最大４個のアンテナポートに対するＲＳが送信される。下向きリンク信号送信側は、単一の送信アンテナ、２個の送信アンテナ、及び４個の送信アンテナのように、３種類のアンテナ配列を有する。例えば、基地局の送信アンテナの個数が２個である場合、０番と１番アンテナポートに対するＣＲＳが送信され、４個である場合、０〜３番アンテナポートに対するＣＲＳが各々送信される。基地局の送信アンテナが４個である場合、１つのＲＢでのＣＲＳパターンは、図７のとおりである。
【０１１９】
基地局が単一の送信アンテナを使用する場合、単一アンテナポートのための参照信号が配列される。
【０１２０】
基地局が２個の送信アンテナを使用する場合、２個の送信アンテナポートのための参照信号は、時分割多重化（ＴＤＭ：Ｔｉｍｅ  Ｄｉｖｉｓｉｏｎ  Ｍｕｌｔｉｐｌｅｘｉｎｇ）及び／又は周波数分割多重化（ＦＤＭ  Ｆｒｅｑｕｅｎｃｙ  Ｄｉｖｉｓｉｏｎ  Ｍｕｌｔｉｐｌｅｘｉｎｇ）方式を利用して配列される。すなわち、２個のアンテナポートのための参照信号は、各々が区別されるために、互いに異なる時間資源及び／又は互いに異なる周波数資源が割り当てられる。
【０１２１】
さらに、基地局が４個の送信アンテナを使用する場合、４個の送信アンテナポートのための参照信号は、ＴＤＭ及び／又はＦＤＭ方式を利用して配列される。下向きリンク信号の受信側（端末）によって測定されたチャネル情報は、単一の送信アンテナ送信、送信ダイバーシティ、閉鎖ループ空間多重化（ｃｌｏｓｅｄ−ｌｏｏｐ  ｓｐａｔｉａｌ  ｍｕｌｔｉｐｌｅｘｉｎｇ）、開放ループ空間多重化（ｏｐｅｎ−ｌｏｏｐ  ｓｐａｔｉａｌ  ｍｕｌｔｉｐｌｅｘｉｎｇ）、または多重ユーザ−多重入出力アンテナ（Ｍｕｌｔｉ−Ｕｓｅｒ  ＭＩＭＯ）のような送信方式を利用して送信されたデータを復調するために使用されることができる。
【０１２２】
多重入出力アンテナが支援される場合、参照信号が特定のアンテナポートから送信されるとき、前記参照信号は、参照信号のパターンによって特定された資源要素の位置に送信され、他のアンテナポートのために特定された資源要素の位置に送信されない。すなわち、互いに異なるアンテナ間の参照信号は互いに重ならない。
【０１２３】
以下、ＤＲＳについてさらに詳細に記述すれば、ＤＲＳは、データを復調するために使用される。多重入出力アンテナ送信で特定の端末のために使用される先行符号化（ｐｒｅｃｏｄｉｎｇ）加重値は、端末が参照信号を受信したとき、各送信アンテナで送信された送信チャネルと結合されて相応するチャネルを推定するために変更無しで使用される。
【０１２４】
３ＧＰＰ  ＬＴＥシステム（例えば、リリース−８）は、最大４個の送信アンテナを支援し、ランク１ビームフォーミング（ｂｅａｍｆｏｒｍｉｎｇ）のためのＤＲＳが定義される。ランク１ビームフォーミングのためのＤＲＳは、さらにアンテナポートインデックス５のための参照信号を示す。
【０１２５】
ＬＴＥシステムの進化発展した形態のＬＴＥ−Ａシステムにおいて、基地局の下向きリンクに最大８個の送信アンテナを支援できるようにデザインされなければならない。したがって、最大８個の送信アンテナに対するＲＳも支援されなければならない。ＬＴＥシステムにおいて下向きリンクＲＳは、最大４個のアンテナポートに対するＲＳのみ定義されているので、ＬＴＥ−Ａシステムで基地局が４個以上最大８個の下向きリンク送信アンテナを有する場合、これらのアンテナポートに対するＲＳが追加的に定義され、デザインされなければならない。最大８個の送信アンテナポートに対するＲＳは、上述したチャネル測定のためのＲＳとデータ復調のためのＲＳとの両方が全てデザインされなければならない。
【０１２６】
ＬＴＥ−Ａシステムをデザインするにあって重要な考慮事項のうちの１つは、下位互換性（ｂａｃｋｗａｒｄ  ｃｏｍｐａｔｉｂｉｌｉｔｙ）、すなわち、ＬＴＥ端末がＬＴＥ−Ａシステムでも何の無理もなくよく動作しなければならず、システムもこれを支援しなければならないということである。ＲＳ送信観点でみたとき、ＬＴＥで定義されているＣＲＳが全帯域にサブフレーム毎に送信される時間−周波数領域で追加的に最大８個の送信アンテナポートに対するＲＳが定義されなければならない。ＬＴＥ−Ａシステムにおいて既存ＬＴＥのＣＲＳのような方式で最大８個の送信アンテナに対するＲＳパターンをサブフレーム毎に全帯域に追加するようになると、ＲＳオーバーヘッドが過度に大きくなる。
【０１２７】
したがって、ＬＴＥ−Ａシステムで新しくデザインされるＲＳは、大きく２つの分類に分けられるようになるが、ＭＣＳ、ＰＭＩなどの選択のためのチャネル測定目的のＲＳ（ＣＳＩ−ＲＳ：Ｃｈａｎｎｅｌ  Ｓｔａｔｅ  Ｉｎｆｏｒｍａｔｉｏｎ−ＲＳ、Ｃｈａｎｎｅｌ  Ｓｔａｔｅ  Ｉｎｄｉｃａｔｉｏｎ−ＲＳ等）と８個の送信アンテナに送信されるデータ復調のためのＲＳ（ＤＭ−ＲＳ：Ｄａｔａ  Ｄｅｍｏｄｕｌａｔｉｏｎ−ＲＳ）である。
【０１２８】
チャネル測定目的のＣＳＩ−ＲＳは、既存のＣＲＳがチャネル測定、ハンドオーバーなどの測定などの目的と同時に、データ復調のために使用されることとは異なり、チャネル測定中心の目的のためにデザインされる特徴がある。もちろん、これもまたハンドオーバーなどの測定などの目的としても使用され得る。ＣＳＩ−ＲＳがチャネル状態に関する情報を得る目的のみで送信されるので、ＣＲＳとは異なり、サブフレーム毎に送信されなくてもよい。ＣＳＩ−ＲＳのオーバーヘッドを減らすために、ＣＳＩ−ＲＳは、時間軸上で間歇的に送信される。
【０１２９】
データ復調のために、当該時間−周波数領域でスケジューリングされたＵＥに専用的（ｄｅｄｉｃａｔｅｄ）にＤＭ−ＲＳが送信される。すなわち、特定ＵＥのＤＭ−ＲＳは、当該ＵＥがスケジューリングされた領域、すなわち、データの受信を受ける時間−周波数領域のみに送信される。
【０１３０】
ＬＴＥ−ＡシステムにおいてｅＮＢは、全てのアンテナポートに対するＣＳＩ−ＲＳを送信しなければならない。最大８個の送信アンテナポートに対するＣＳＩ−ＲＳをサブフレーム毎に送信することは、オーバーヘッドがあまり大きいという短所があるので、ＣＳＩ−ＲＳは、サブフレーム毎に送信されずに、時間軸で間歇的に送信されてこそ、そのオーバーヘッドを減らすことができる。すなわち、ＣＳＩ−ＲＳは、１つのサブフレームの整数倍の周期にて周期的に送信されるか、特定送信パターンで送信されることができる。このとき、ＣＳＩ−ＲＳが送信される周期やパターンは、ｅＮＢが設定できる。
【０１３１】
ＣＳＩ−ＲＳを測定するためにＵＥは、必ず自分の属したセルのそれぞれのＣＳＩ−ＲＳアンテナポートに対するＣＳＩ−ＲＳの送信サブフレームインデックス、送信サブフレーム内でＣＳＩ−ＲＳ資源要素（ＲＥ）時間−周波数位置、そして、ＣＳＩ−ＲＳシーケンス等に関する情報を知っていなければならない。
【０１３２】
ＬＴＥ−ＡシステムにおいてｅＮＢは、ＣＳＩ−ＲＳを最大８個のアンテナポートに対して各々送信しなければならない。互いに異なるアンテナポートのＣＳＩ−ＲＳ送信のために使用される資源は、互いに直交（ｏｒｔｈｏｇｏｎａｌ）しなければならない。１つのｅＮＢが互いに異なるアンテナポートに対するＣＳＩ−ＲＳを送信するとき、それぞれのアンテナポートに対するＣＳＩ−ＲＳを互いに異なるＲＥにマッピングすることにより、ＦＤＭ／ＴＤＭ方式でこれらの資源をｏｒｔｈｏｇｏｎａｌに割り当てることができる。または、互いに異なるアンテナポートに対するＣＳＩ−ＲＳを互いにｏｒｔｈｏｇｏｎａｌなコードにマッピングさせるＣＤＭ方式で送信することができる。
【０１３３】
ＣＳＩ−ＲＳに関する情報をｅＮＢが自分のセルＵＥに知らせるとき、まず、各アンテナポートに対するＣＳＩ−ＲＳがマッピングされる時間−周波数に関する情報を知らせなければならない。具体的に、ＣＳＩ−ＲＳが送信されるサブフレーム番号、またはＣＳＩ−ＲＳが送信される周期、ＣＳＩ−ＲＳが送信されるサブフレームオフセットであり、特定アンテナのＣＳＩ−ＲＳ  ＲＥが送信されるＯＦＤＭシンボル番号、周波数間隔（ｓｐａｃｉｎｇ）、周波数軸でのＲＥのオフセットまたはシフト値などがある。
【０１３４】
ＣＳＩ−ＲＳは、１個、２個、４個、または８個のアンテナポートを介して送信される。このとき、使用されるアンテナポートは、各々ｐ＝１５、ｐ＝１５、１６、ｐ＝１５、．．．、１８、ｐ＝１５、．．．、２２である。ＣＳＩ−ＲＳは、サブキャリア間隔Δｆ＝１５ｋＨｚに対してのみ定義されることができる。
【０１３５】
（ｋ´、ｌ´）（ここで、ｋ´は、資源ブロック内の副搬送波インデックスであり、ｌ´は、スロット内のＯＦＤＭシンボルインデックスを示す。）及びｎ＿ｓの条件は、下記の表３または表４のようなＣＳＩ−ＲＳ設定（ｃｏｎｆｉｇｕｒａｔｉｏｎ）によって決定される。
【０１３６】
表３は、一般ＣＰでのＣＳＩ−ＲＳ構成から（ｋ´、ｌ´）のマッピングを例示する。
【０１３７】
【表３】
2018023141.tif 000020
【０１３８】
表４は、拡張ＣＰでのＣＳＩ−ＲＳ構成から（ｋ´、ｌ´）のマッピングを例示する。
【０１３９】
【表４】
2018023141.tif 000021
【０１４０】
表３及び表４を参照すれば、ＣＳＩ−ＲＳの送信において、異種ネットワーク（ＨｅｔＮｅｔ：ｈｅｔｅｒｏｇｅｎｅｏｕｓ  ｎｅｔｗｏｒｋ）環境を含んでマルチセル環境でセル間干渉（ＩＣＩ：ｉｎｔｅｒ−ｃｅｌｌ  ｉｎｔｅｒｆｅｒｅｎｃｅ）を減らすために、最大３２個（一般ＣＰの場合）または最大２８個（拡張ＣＰの場合）の互いに異なる構成（ｃｏｎｆｉｇｕｒａｔｉｏｎ）が定義される。
【０１４１】
ＣＳＩ−ＲＳ構成は、セル内のアンテナポートの個数及びＣＰによって互いに異なり、隣接したセルは、最大限互いに異なる構成を有することができる。また、ＣＳＩ−ＲＳ構成は、フレーム構造によってＦＤＤフレームとＴＤＤフレームとに全て適用する場合と、ＴＤＤフレームのみに適用する場合とに分けられることができる。
【０１４２】
表３及び表４に基づいてＣＳＩ−ＲＳ構成によって（ｋ´、ｌ´）及びｎ＿ｓが決められ、各ＣＳＩ−ＲＳアンテナポートがＣＳＩ−ＲＳ送信に用いる時間−周波数資源が決定される。
【０１４３】
図８は、本発明が適用され得る無線通信システムにおいてＣＳＩ−ＲＳ構成を例示する図である。
【０１４４】
図８（ａ）は、１個または２個のＣＳＩ−ＲＳアンテナポートによるＣＳＩ−ＲＳ送信に使用可能な２０つのＣＳＩ−ＲＳ構成を示したものであり、図８（ｂ）は、４個のＣＳＩ−ＲＳアンテナポートにより使用可能な１０つのＣＳＩ−ＲＳ構成を示したものであり、図８（ｃ）は、８個のＣＳＩ−ＲＳアンテナポートによりＣＳＩ−ＲＳ送信に使用可能な５つのＣＳＩ−ＲＳ構成を示したものである。
【０１４５】
このように、各ＣＳＩ−ＲＳ構成によってＣＳＩ−ＲＳが送信される無線資源（すなわち、ＲＥ対）が決定される。
【０１４６】
特定セルに対してＣＳＩ−ＲＳ送信のために、１個あるいは２個のアンテナポートが設定されれば、図８（ａ）に示された２０つのＣＳＩ−ＲＳ構成のうち、設定されたＣＳＩ−ＲＳ構成による無線資源上でＣＳＩ−ＲＳが送信される。
【０１４７】
同様に、特定セルに対してＣＳＩ−ＲＳ送信のために４個のアンテナポートが設定されれば、図８（ｂ）に示された１０つのＣＳＩ−ＲＳ構成のうち、設定されたＣＳＩ−ＲＳ構成による無線資源上でＣＳＩ−ＲＳが送信される。また、特定セルに対してＣＳＩ−ＲＳ送信のために８個のアンテナポートが設定されれば、図８（ｃ）に示された５つのＣＳＩ−ＲＳ構成のうち、設定されたＣＳＩ−ＲＳ構成による無線資源上でＣＳＩ−ＲＳが送信される。
【０１４８】
２個のアンテナポート別（すなわち、｛１５、１６｝、｛１７、１８｝、｛１９、２０｝、｛２１、２２｝）にそれぞれのアンテナポートに対するＣＳＩ−ＲＳは、同じ無線資源にＣＤＭされて送信される。アンテナポート１５及び１６を例に挙げると、アンテナポート１５及び１６に対するそれぞれのＣＳＩ−ＲＳ複素シンボルは同じであるが、互いに異なる直交コード（例えば、ワルシコード（ｗａｌｓｈ  ｃｏｄｅ）が掛けられて同じ無線資源にマッピングされる。アンテナポート１５に対するＣＳＩ−ＲＳの複素シンボルには［１、１］が掛けられ、アンテナポート１６に対するＣＳＩ−ＲＳの複素シンボルには［１−１］が掛けられて、同じ無線資源にマッピングされる。これは、アンテナポート｛１７、１８｝、｛１９、２０｝、｛２１、２２｝も同様である。
【０１４９】
ＵＥは、送信されたシンボルに掛けられたコードを掛けて特定アンテナポートに対するＣＳＩ−ＲＳを検出できる。すなわち、アンテナポート１５に対するＣＳＩ−ＲＳを検出するために掛けられたコード［１、１］を掛け、アンテナポート１６に対するＣＳＩ−ＲＳを検出するために掛けられたコード［１−１］を掛ける。
【０１５０】
図８（ａ）〜（ｃ）に示すように、同じＣＳＩ−ＲＳ構成インデックスに該当するようになると、アンテナポート数が多いＣＳＩ−ＲＳ構成による無線資源は、ＣＳＩ−ＲＳアンテナポート数が少ないＣＳＩ−ＲＳ構成による無線資源を含む。例えば、ＣＳＩ−ＲＳ構成が０の場合、８個のアンテナポート数に対する無線資源は、４個のアンテナポート数に対する無線資源と１または２個のアンテナポート数に対する無線資源とを全て含む。
【０１５１】
１つのセルで複数のＣＳＩ−ＲＳ構成が使用され得る。ノン−ゼロ電力（ＮＺＰ：ｎｏｎ−ｚｅｒｏ  ｐｏｗｅｒ）ＣＳＩ−ＲＳは、０個または１個のＣＳＩ−ＲＳ構成のみが用いられ、ゼロ電力（ＺＰ：ｚｅｒｏ  ｐｏｗｅｒ）ＣＳＩ−ＲＳは、０個または幾つのＣＳＩ−ＲＳ構成が用いられ得る。
【０１５２】
上位階層により設定される１６ビットのビットマップであるＺＰ  ＣＳＩ−ＲＳ（ＺｅｒｏＰｏｗｅｒＣＳＩ−ＲＳ）で１に設定された各ビット別に、ＵＥは、上記の表３及び表４の４個のＣＳＩ−ＲＳ列（ｃｏｌｕｍｎ）に該当するＲＥで（上位階層により設定されたＮＺＰ  ＣＳＩ−ＲＳを仮定するＲＥと重複する場合を除外）ゼロ送信電力を仮定する。最上位ビット（ＭＳＢ：Ｍｏｓｔ  Ｓｉｇｎｉｆｉｃａｎｔ  Ｂｉｔ）は、最も低いＣＳＩ−ＲＳ構成インデックスに該当し、ビットマップ内でその次のビットは、順序どおりに次のＣＳＩ−ＲＳ構成インデックスに該当する。
【０１５３】
ＣＳＩ−ＲＳは、上記の表３及び表４で（ｎ＿ｓｍｏｄ２）の条件を満たす下向きリンクスロット及びＣＳＩ−ＲＳサブフレーム構成を満たすサブフレームのみで送信される。
【０１５４】
フレーム構造タイプ２（ＴＤＤ）の場合、スペシャルサブフレーム、同期信号（ＳＳ）、ＰＢＣＨまたはＳＩＢ１（ＳｙｓｔｅｍＩｎｆｏｒｍａｔｉｏｎＢｌｏｃｋＴｙｐｅ１）メッセージ送信と衝突するサブフレームまたはページングメッセージ送信のために設定されたサブフレームでＣＳＩ−ＲＳは送信されない。
【０１５５】
また、アンテナポートセットＳ（Ｓ＝｛１５｝、Ｓ＝｛１５、１６｝、Ｓ＝｛１７、１８｝、Ｓ＝｛１９、２０｝、またはＳ＝｛２１、２２｝）内に属するどのアンテナポートに対するＣＳＩ−ＲＳが送信されるＲＥは、ＰＤＳＣＨまたは他のアンテナポートのＣＳＩ−ＲＳ送信に使用されない。
【０１５６】
ＣＳＩ−ＲＳ送信に使用される時間−周波数資源は、データ送信に使用されることができないので、ＣＳＩ−ＲＳオーバーヘッドが増加するほど、データ処理量（ｔｈｒｏｕｇｈｐｕｔ）が減少するようになる。これを考慮して、ＣＳＩ−ＲＳはサブフレーム毎に送信されるように構成されず、複数のサブフレームに該当する所定の送信周期毎に送信されるように構成される。この場合、サブフレーム毎にＣＳＩ−ＲＳが送信される場合に比べてＣＳＩ−ＲＳ送信オーバーヘッドが大きく低くなることができる。
【０１５７】
ＣＳＩ−ＲＳ送信のためのサブフレーム周期（以下、「ＣＳＩ送信周期」と呼ぶ）（Ｔ＿ＣＳＩ−ＲＳ）及びサブフレームオフセット（Δ＿ＣＳＩ−ＲＳ）は、下記の表５のとおりである。
【０１５８】
表５は、ＣＳＩ−ＲＳサブフレーム構成を例示する。
【０１５９】
【表５】
2018023141.tif 000022
【０１６０】
表５に示すように、ＣＳＩ−ＲＳサブフレーム構成（Ｉ＿ＣＳＩ−ＲＳ）によってＣＳＩ−ＲＳ送信周期（Ｔ＿ＣＳＩ−ＲＳ）及びサブフレームオフセット（Δ＿ＣＳＩ−ＲＳ）が決定される。
【０１６１】
表５のＣＳＩ−ＲＳサブフレーム構成は、先の「ＳｕｂｆｒａｍｅＣｏｎｆｉｇ」フィールド及び「ｚｅｒｏＴｘＰｏｗｅｒＳｕｂｆｒａｍｅＣｏｎｆｉｇ」フィールドのうち、いずれか１つに設定されることができる。ＣＳＩ−ＲＳサブフレーム構成は、ＮＺＰ  ＣＳＩ−ＲＳ及びＺＰ  ＣＳＩ−ＲＳに対して個別的に（ｓｅｐａｒａｔｅｌｙ）設定されることができる。
【０１６２】
ＣＳＩ−ＲＳを含むサブフレームは、下記の数式１２を満たす。
【０１６３】
【数１２】
2018023141.tif 000023
【０１６４】
数式１２においてＴ＿ＣＳＩ−ＲＳは、ＣＳＩ−ＲＳ送信周期、Δ＿ＣＳＩ−ＲＳは、サブフレームオフセット値、ｎ＿ｆは、システムフレームナンバー、ｎ＿ｓは、スロットナンバーを意味する。
【０１６５】
サービングセルに対して送信モード９（ｔｒａｎｓｍｉｓｓｉｏｎ  ｍｏｄｅ  ９）が設定されたＵＥの場合、ＵＥは、１つのＣＳＩ−ＲＳ資源構成が設定され得る。サービングセルに対して送信モード１０（ｔｒａｎｓｍｉｓｓｉｏｎ  ｍｏｄｅ  １０）が設定されたＵＥの場合、ＵＥは、１つまたはそれ以上のＣＳＩ−ＲＳ資源構成（等）が設定され得る。
【０１６６】
各ＣＳＩ−ＲＳ資源構成のために、下記のようにパラメータが上位階層シグナリングを介して設定される。
【０１６７】
・送信モード１０が設定された場合、ＣＳＩ−ＲＳ資源構成識別子
・ＣＳＩ−ＲＳポート個数
・ＣＳＩ−ＲＳ構成（表３及び表４参照）
・ＣＳＩ−ＲＳサブフレーム構成（Ｉ＿ＣＳＩ−ＲＳ）（表５参照）
・送信モード９が設定された場合、ＣＳＩフィードバックのための送信パワー（Ｐ＿Ｃ）・送信モード１０が設定された場合、各ＣＳＩプロセスに対してＣＳＩフィードバックのための送信パワー（Ｐ＿Ｃ）。ＣＳＩプロセスに対してＣＳＩサブフレームセットＣ＿ＣＳＩ、０及びＣ＿ＣＳＩ、１が上位階層により設定されれば、Ｐ＿Ｃは、ＣＳＩプロセスの各ＣＳＩサブフレームセット別に設定される。
・任意ランダム（ｐｓｅｕｄｏ−ｒａｎｄｏｍ）シーケンス発生器パラメータ（ｎ＿ＩＤ）
・送信モード１０が設定された場合、ＱＣＬ（ＱｕａｓｉＣｏ−Ｌｏｃａｔｅｄ）タイプＢ  ＵＥ仮定のためのＱＣＬスクランブリング識別子（ｑｃｌ−ＳｃｒａｍｂｌｉｎｇＩｄｅｎｔｉｔｙ−ｒ１１）、ＣＲＳポートカウント（ｃｒｓ−ＰｏｒｔｓＣｏｕｎｔ−ｒ１１）、ＭＢＳＦＮサブフレーム設定リスト（ｍｂｓｆｎ−ＳｕｂｆｒａｍｅＣｏｎｆｉｇＬｉｓｔ−ｒ１１）パラメータを含む上位階層パラメータ（「ｑｃｌ−ＣＲＳ−Ｉｎｆｏ−ｒ１１」）
【０１６８】
ＵＥが導き出したＣＳＩフィードバック値が［−８、１５］ｄＢ範囲内の値を有するとき、Ｐ＿Ｃは、ＣＳＩ−ＲＳ  ＥＰＲＥに対するＰＤＳＣＨ  ＥＰＲＥの割合と仮定される。ここで、ＰＤＳＣＨ  ＥＰＲＥは、ＣＲＳ  ＥＰＲＥに対するＰＤＳＣＨ  ＥＰＲＥの比率がρ＿Ａであるシンボルに該当する。
【０１６９】
サービングセルの同じサブフレームでＣＳＩ−ＲＳとＰＭＣＨとが共に設定されない。
【０１７０】
フレーム構造タイプ２で４個のＣＲＳアンテナポートが設定された場合、ＵＥは、一般ＣＰの場合、［２０−３１］セット（表３参照）、または拡張ＣＰの場合、［１６−２７］セット（表４参照）に属するＣＳＩ−ＲＳ構成インデックスが設定されない。
【０１７１】
ＵＥは、ＣＳＩ−ＲＳ資源構成のＣＳＩ−ＲＳアンテナポートが遅延拡散（ｄｅｌａｙ  ｓｐｒｅａｄ）、ドップラー拡散（Ｄｏｐｐｌｅｒ  ｓｐｒｅａｄ）、ドップラーシフト（Ｄｏｐｐｌｅｒ  ｓｈｉｆｔ）、平均利得（ａｖｅｒａｇｅ  ｇａｉｎ）、及び平均遅延（ａｖｅｒａｇｅ  ｄｅｌａｙ）に対してＱＣＬ関係を有すると仮定することができる。
【０１７２】
送信モード１０、そしてＱＣＬタイプＢが設定されたＵＥは、ＣＳＩ−ＲＳ資源構成に該当するアンテナポート０−３とＣＳＩ−ＲＳ資源構成に該当するアンテナポート１５−２２とがドップラー拡散（Ｄｏｐｐｌｅｒ  ｓｐｒｅａｄ）、ドップラーシフト（Ｄｏｐｐｌｅｒ  ｓｈｉｆｔ）に対してＱＣＬ関係であると仮定することができる。
【０１７３】
送信モード１０が設定されたＵＥの場合、サービングセルに対して１つまたはそれ以上のＣＳＩ−ＩＭ（Ｃｈａｎｎｅｌ−Ｓｔａｔｅ  Ｉｎｆｏｒｍａｔｉｏｎ−Ｉｎｔｅｒｆｅｒｅｎｃｅ  Ｍｅａｓｕｒｅｍｅｎｔ）資源構成が設定され得る。
【０１７４】
上位階層シグナリングを介して各ＣＳＩ−ＩＭ資源構成のための下記のようなパラメータが設定され得る。
【０１７５】
・ＺＰ  ＣＳＩ−ＲＳ構成（表３及び表４参照）
・ＺＰ  ＣＳＩ  ＲＳサブフレーム構成（Ｉ＿ＣＳＩ−ＲＳ）（表５参照）
【０１７６】
ＣＳＩ−ＩＭ資源構成は、設定されたＺＰ  ＣＳＩ−ＲＳ資源構成のうち、いずれか１つと同様である。
【０１７７】
サービングセルの同じサブフレーム内のＣＳＩ−ＩＭ資源とＰＭＣＨとが同時に設定されない。
【０１７８】
送信モード１−９が設定されたＵＥの場合、サービングセルに対してＵＥは、１つのＺＰ  ＣＳＩ−ＲＳ資源構成が設定され得る。送信モード１０が設定されたＵＥの場合、サービングセルに対してＵＥは、１つまたはそれ以上のＺＰ  ＣＳＩ−ＲＳ資源構成が設定され得る。
【０１７９】
上位階層シグナリングを介してＺＰ  ＣＳＩ−ＲＳ資源構成のための下記のようなパラメータが設定され得る。
【０１８０】
・ＺＰ  ＣＳＩ−ＲＳ構成リスト（表３及び表４参照）
・ＺＰ  ＣＳＩ−ＲＳサブフレーム構成（Ｉ＿ＣＳＩ−ＲＳ）（表５参照）
【０１８１】
サービングセルの同じサブフレームでＺＰ  ＣＳＩ−ＲＳとＰＭＣＨとが同時に設定されない。
【０１８２】
セル測定（Ｃｅｌｌ  Ｍｅａｓｕｒｅｍｅｎｔ）／測定報告（Ｍｅａｓｕｒｅｍｅｎｔ
Ｒｅｐｏｒｔ）
【０１８３】
端末の移動性（ｍｏｂｉｌｉｔｙ）保障のための種々の方法（ハンドオーバー、ランダムアクセス、セル探索等）のうち、１つまたはその種々の方法のためにＵＥは、セル測定（ｃｅｌｌ  ｍｅａｓｕｒｅｍｅｎｔ）した結果を基地局（あるいは、ネットワーク）に報告する。
【０１８４】
３ＧＰＰ  ＬＴＥ／ＬＴＥ−Ａシステムにおいてセル特定参照信号ＣＲＳは、時間軸に各サブフレーム内の０、４、７、１１番目のＯＦＤＭシンボルを介して送信され、これは、セル測定（ｃｅｌｌ  ｍｅａｓｕｒｅｍｅｎｔ）のために基本的に使用される。すなわち、端末は、サービングセル（ｓｅｒｖｉｎｇ  ｃｅｌｌ）と隣接セル（ｎｅｉｇｈｂｏｒ  ｃｅｌｌ）とから各々受信されるＣＲＳを用いてセル測定を行う。
【０１８５】
セル測定（ｃｅｌｌ  ｍｅａｓｕｒｅｍｅｎｔ）は、サービングセル及び隣接セルの信号強さあるいは総受信電力に対する信号強さなどを測定する参照信号受信電力（ＲＳＲＰ：Ｒｅｆｅｒｅｎｃｅ  ｓｉｇｎａｌ  ｒｅｃｅｉｖｅ  ｐｏｗｅｒ）、受信信号強度（ＲＳＳＩ：Ｒｅｃｅｉｖｅｄ  ｓｉｇｎａｌ  ｓｔｒｅｎｇｔｈ  ｉｎｄｉｃａｔｏｒ）、参照信号受信品質（ＲＳＲＱ：Ｒｅｆｅｒｅｎｃｅ  ｓｉｇｎａｌ  ｒｅｃｅｉｖｅｄ
ｑｕａｌｉｔｙ）などのＲＲＭ（Ｒａｄｉｏ  ｒｅｓｏｕｒｃｅ  ｍａｎａｇｅｍｅｎｔ）測定とサービングセルとのリンク品質を測定して、ラジオリンク失敗（ｒａｄｉｏ  ｌｉｎｋ  ｆａｉｌｕｒｅ）可否を評価できるＲＬＭ（Ｒａｄｉｏ  Ｌｉｎｋ  Ｍｏｎｉｔｏｒｉｎｇ）測定を含む概念である。
【０１８６】
ＲＳＲＰは、測定周波数帯域内でＣＲＳが送信されるＲＥの電力分配の線形平均である。ＲＳＲＰ決定のために、アンテナポート「０」に該当するＣＲＳ（Ｒ０）が使用され得る。また、ＲＳＲＰ決定のために、アンテナポート「１」に該当するＣＲＳ（Ｒ１）がさらに使用されることもできる。ＲＳＲＰを決定するために、ＵＥにより用いられる測定周波数帯域及び測定区間内で用いるＲＥの数は、当該測定正確度要求（ａｃｃｕｒａｃｙ  ｒｅｑｕｉｒｅｍｅｎｔｓ）が満たされる限度でＵＥが決定できる。また、ＲＥ当たりの電力は、循環前置ＣＰを除いたシンボルの残りの部分内で受信したエネルギーから決定されることができる。
【０１８７】
ＲＳＳＩは、測定帯域内でアンテナポート「０」に該当するＲＳを含むＯＦＤＭシンボルで同一チャネル（ｃｏ−ｃｈａｎｎｅｌ）のサービングセル（ｓｅｒｖｉｎｇ  ｃｅｌｌ）とノン−サービングセル（ｎｏｎ−ｓｅｒｖｉｎｇ  ｃｅｌｌ）、隣接チャネルからの干渉、熱雑音（ｔｈｅｒｍａｌ  ｎｏｉｓｅ）などを含む当該ＵＥにより全てのソースから感知された総受信電力の線形平均で導き出される。上位階層シグナリングによってＲＳＲＱ測定を行うための特定サブフレームが指示される場合、ＲＳＳＩは、指示されたサブフレーム内の全てのＯＦＤＭシンボルを介して測定される。
【０１８８】
ＲＳＲＱは、Ｎ×ＲＳＲＰ／ＲＳＳＩで導き出される。ここで、Ｎは、ＲＳＳＩ測定帯域幅のＲＢ個数を意味する。また、上記の式において分子及び分母の測定は、同じＲＢのセットで求められることができる。
【０１８９】
基地局は、上位階層シグナリング（例えば、ＲＲＣ連結再構成（ＲＲＣ  Ｃｏｎｎｅｃｔｉｏｎ  Ｒｅｃｏｎｆｉｇｕｒａｔｉｏｎ）メッセージ）を介してＵＥに測定（ｍｅａｓｕｒｅｍｅｎｔ）のための設定情報を伝達できる。
【０１９０】
ＲＲＣ連結再構成メッセージは、無線資源構成専用（「ｒａｄｉｏＲｅｓｏｕｒｃｅＣｏｎｆｉｇＤｅｄｉｃａｔｅｄ」）情報要素（ＩＥ：Ｉｎｆｏｒｍａｔｉｏｎ  Ｅｌｅｍｅｎｔ）と、測定設定（「ｍｅａｓＣｏｎｆｉｇ」）ＩＥとを含む。
【０１９１】
「ｍｅａｓＣｏｎｆｉｇ」ＩＥは、ＵＥにより行われなければならない測定を特定し、測定ギャップ（ｍｅａｓｕｒｅｍｅｎｔ  ｇａｐ）の構成だけでなく、イントラ−周波数（ｉｎｔｒａ−ｆｒｅｑｕｅｎｃｙ）移動性、インター−周波数（ｉｎｔｅｒ−ｆｒｅｑｕｅｎｃｙ）移動性、インター−ＲＡＴ（ｉｎｔｅｒ−ＲＡＴ）移動性のための設定情報を含む。
【０１９２】
特に、「ｍｅａｓＣｏｎｆｉｇ」ＩＥは、測定から除去される測定対象（「ｍｅａｓＯｂｊｅｃｔ」）のリストを表す「ｍｅａｓＯｂｊｅｃｔＴｏＲｅｍｏｖｅＬｉｓｔ」と新しく追加されるか、修正されるリストを表す「ｍｅａｓＯｂｊｅｃｔＴｏＡｄｄＭｏｄＬｉｓｔ」とが含まれる。また、「ｍｅａｓＯｂｊｅｃｔ」には、通信技術によって「ＭｅａｓＯｂｊｅｃｔＣＤＭＡ２０００」、「ＭｅａｓＯｂｊｃｔＥＵＴＲＡ」、「ＭｅａｓＯｂｊｅｃｔＧＥＲＡＮ」などが含まれる。
【０１９３】
「ＲａｄｉｏＲｅｓｏｕｒｃｅＣｏｎｆｉｇＤｅｄｉｃａｔｅｄ」ＩＥは、無線ベアラー（Ｒａｄｉｏ  Ｂｅａｒｅｒ）を設定／変更／解除（ｓｅｔｕｐ／ｍｏｄｉｆｙ／ｒｅｌｅａｓｅ）するか、ＭＡＣメイン構成を変更するか、半永続スケジューリング（ＳＰＳ：Ｓｅｍｉ−Ｐｅｒｓｉｓｔｅｎｔ  Ｓｃｈｅｄｕｌｉｎｇ）設定を変更するか、及び専用物理的設定（ｄｅｄｉｃａｔｅｄ  ｐｈｙｓｉｃａｌ  ｃｏｎｆｉｇｕｒａｔｉｏｎ）を変更するために使用される。
【０１９４】
「ＲａｄｉｏＲｅｓｏｕｒｃｅＣｏｎｆｉｇＤｅｄｉｃａｔｅｄ」ＩＥは、サービングセル測定のための時間領域測定資源制限パターン（ｔｉｍｅ  ｄｏｍａｉｎ  ｍｅａｓｕｒｅｍｅｎｔ  ｒｅｓｏｕｒｃｅ  ｒｅｓｔｒｉｃｔｉｏｎ  ｐａｔｔｅｒｎ）を指示する「ｍｅａｓＳｕｂｆｒａｍｅＰａｔｔｅｒｎ−Ｓｅｒｖ」フィールドを含む。また、ＵＥにより測定される隣接セルを指示する「ｍｅａｓＳｕｂｆｒａｍｅＣｅｌｌＬｉｓｔ」と隣接セル測定のための時間領域測定資源制限パターンを指示する「ｍｅａｓＳｕｂｆｒａｍｅＰａｔｔｅｒｎ−Ｎｅｉｇｈ」とを含む。
【０１９５】
測定セル（サービングセル及び隣接セルを含む）のために設定された時間領域測定資源制限パターン（ｔｉｍｅ  ｄｏｍａｉｎ  ｍｅａｓｕｒｅｍｅｎｔ  ｒｅｓｏｕｒｃｅ  ｒｅｓｔｒｉｃｔｉｏｎ  ｐａｔｔｅｒｎ）は、ＲＳＲＱ測定を行うための無線フレーム当たり、少なくとも１つのサブフレームを指示できる。測定セルのために設定された時間領域測定資源制限パターンによって指示されたサブフレーム以外では、ＲＳＲＱ測定が行われない。
【０１９６】
このように、ＵＥ（例えば、３ＧＰＰ  Ｒｅｌ−１０）は、サービングセル測定のためのサブフレームパターン（「ｍｅａｓＳｕｂｆｒａｍｅＰａｔｔｅｒｎ−Ｓｅｒｖ」）及び隣接セル測定のためのサブフレームパターン（「ｍｅａｓＳｕｂｆｒａｍｅＰａｔｔｅｒｎ−Ｎｅｉｇｈ」）により設定された区間のみでＲＳＲＱが測定されなければならない。
【０１９７】
ただし、ＲＳＲＰは、このようなパターン内の測定が制約されていないが、正確度要求（ａｃｃｕｒａｃｙ  ｒｅｑｕｉｒｅｍｅｎｔ）のためには、このようなパターン内のみで測定されることが好ましい。
【０１９８】
マッシブＭＩＭＯ（Ｍａｓｓｉｖｅ  ＭＩＭＯ）
【０１９９】
ＬＴＥリリース（Ｒｅｌ：ｒｅｌｅａｓｅ）−１２以後の無線通信システムにおいては、能動アンテナシステム（ＡＡＳ：Ａｃｔｉｖｅ  Ａｎｔｅｎｎａ  Ｓｙｓｔｅｍ）の導入が考慮されている。
【０２００】
信号の位相及び大きさを調整できる増幅器とアンテナとが分離されている既存の手動アンテナシステムと異なり、ＡＡＳは、それぞれのアンテナが増幅器のような能動素子を含むように構成されたシステムを意味する。
【０２０１】
ＡＡＳは、能動アンテナの使用によって増幅器とアンテナとを連結するための別のケーブル、コネクタ、その他、ハードウェアなどが必要でなく、したがって、エネルギー及び運用費用の側面で効率性が高いという特徴を有する。特に、ＡＡＳは、各アンテナ別の電子式ビーム制御（ｅｌｅｃｔｒｏｎｉｃ  ｂｅａｍ  ｃｏｎｔｒｏｌ）方式を支援するので、ビーム方向及びビーム幅を考慮した精巧なビームパターン形成または３次元ビームパターンを形成するなどの進歩したＭＩＭＯ技術を可能なようにする。
【０２０２】
ＡＡＳ等の進歩したアンテナシステムの導入により、複数の入出力アンテナと多次元アンテナ構造を有する大規模ＭＩＭＯ構造も考慮されている。一例として、既存の一字形アンテナ配列と異なり、２次元アンテナ配列を形成する場合、ＡＡＳの能動アンテナにより３次元ビームパターンを形成できる。
【０２０３】
図９は、本発明が適用され得る６４個のアンテナ要素を有する２Ｄ能動アンテナシステムの一例を示した図である。
【０２０４】
図９に示されたように、一般的な２次元アンテナ配列としてＮｔ＝Ｎｖ・Ｎｈ個のアンテナが正方形の形状を有する場合を考慮できる。
【０２０５】
ここで、Ｎｈは、水平方向にアンテナ列の個数を、Ｎｖは、垂直方向にアンテナ行の個数を示す。
【０２０６】
送信アンテナの観点で前記３次元ビームパターンを活用する場合、ビームの水平方向だけでなく、垂直方向への準−静的または動的なビーム形成を行うことができ、一例として、垂直方向のセクタ形成などの応用を考慮できる。
【０２０７】
また、受信アンテナの観点では、大規模受信アンテナを活用して受信ビームを形成するとき、アンテナ配列利得（ａｎｔｅｎｎａ  ａｒｒａｙ  ｇａｉｎ）による信号電力上昇の効果を期待できる。したがって、上向きリンクの場合、基地局が複数のアンテナを介して端末から送信される信号を受信でき、このとき、端末は、干渉影響を減らすために、大規模受信アンテナの利得を考慮して自分の送信電力を極めて低く設定できるという長所がある。
【０２０８】
図１０は、本発明が適用され得る無線通信システムにおいて、基地局または端末がＡＡＳ基盤の３Ｄ（３−Ｄｉｍｅｎｓｉｏｎ）ビーム形成が可能な複数の送受信アンテナを有しているシステムを例示する。
【０２０９】
図１０は、前述した例を図式化したものであって、２次元アンテナ配列（すなわち、２Ｄ−ＡＡＳ）を用いた３Ｄ  ＭＩＭＯシステムを例示する。
【０２１０】
マッシブＭＩＭＯのセルカバレッジ（Ｃｅｌｌ  ｃｏｖｅｒａｇｅ  ｏｆ  ｍａｓｓｉｖｅ  ＭＩＭＯ）
【０２１１】
多重アンテナシステム、例えば、Ｎ個の送信アンテナを有するシステムは、単一アンテナシステムに比べて全体送信電力を同一に送信すると仮定すれば、特定地点に受信パワーが最大Ｎ倍高いように、ビームフォーミング（ｂｅａｍｆｏｒｍｉｎｇ）することができる。
【０２１２】
多重アンテナを有する基地局でもＣＲＳ、ＰＳＳ／ＳＳＳ、ＰＢＣＨ、及びブロードキャスト（ｂｒｏａｄｃａｓｔ）情報を伝達するチャネルは、基地局カバレッジ領域内の全てのＵＥが受信できるように、特定方向にｂｅａｍｆｏｒｍｉｎｇしてはいない。
【０２１３】
これとは異なり、特定ＵＥにユニキャスト（ｕｎｉｃａｓｔ）情報を伝達するチャネルであるＰＤＳＣＨは、当該ＵＥの位置及びリンク状況に合わせてｂｅａｍｆｏｒｍｉｎｇして送信効率を高めるようにする。すなわち、ＰＤＳＣＨの送信データストリームは、特定方向にビームを形成するために、プリコーディング（ｐｒｅｃｏｄｉｎｇ）されて、多重のアンテナポートを介して送信される。したがって、代表的にＣＲＳとＰＤＳＣＨの送信電力が同じ場合に、特定ＵＥにＣＲＳの平均受信電力と比較して当該ＵＥに向かってｂｅａｍｆｏｒｍｉｎｇされたプリコーディングされた（ｐｒｅｃｏｄｅｄ）ＰＤＳＣＨの受信電力は、最大Ｎ倍まで高いことができる。
【０２１４】
現在までＬＴＥ  Ｒｅｌ−１１システムで最大８個の送信アンテナを有する基地局を考慮するが、これは、ＣＲＳ平均受信電力に比べてｐｒｅｃｏｄｅｄ  ＰＤＳＣＨ受信電力が８倍大きいことができることを意味する。しかし、今後、マッシブＭＩＭＯシステムの導入により、基地局の送信アンテナが１００個以上となる場合に、ＣＲＳとｐｒｅｃｏｄｅｄ  ＰＤＳＣＨの受信電力は１００倍以上の差を表すことができる。結論として、ｍａｓｓｉｖｅ  ＭＩＭＯシステムの導入により、特定基地局で送信するＣＲＳのカバレッジ領域とＤＭ−ＲＳ基盤ＰＤＳＣＨのカバレッジ領域とが一致しなくなる。
【０２１５】
特に、このような現象は、隣接した２つの基地局の送信アンテナ個数の差が大きいときに大きく表れることができる。代表的に、６４個の送信アンテナを有するマクロセル（ｍａｃｒｏ  ｃｅｌｌ）と単一送信アンテナを有するマイクロセル（ｍｉｃｒｏ  ｃｅｌｌ）（例えば、ピコセル（ｐｉｃｏ  ｃｅｌｌ））とが隣接している場合を例に挙げることができる。Ｍａｓｓｉｖｅ  ＭＩＭＯの初期配置（ｄｅｐｌｏｙｍｅｎｔ）過程でサービングされる（ｓｅｒｖｅｄ）ＵＥが多いｍａｃｒｏ  ｃｅｌｌから先にアンテナ個数を増やすことと期待しているため、ｍａｃｒｏ  ｃｅｌｌ、ｍｉｃｒｏ  ｃｅｌｌ、そしてｐｉｃｏ  ｃｅｌｌが混在されている異種のネットワーク（ｈｅｔｅｒｏｇｅｎｅｏｕｓ  ｎｅｔｗｏｒｋ）の場合に、隣接した基地局間に送信アンテナの個数に大きい差が生じるようになる。
【０２１６】
例えば、単一送信アンテナを有するｐｉｃｏ  ｃｅｌｌの場合に、ＣＲＳとＰＤＳＣＨとのカバレッジ領域が一致するようになる。
【０２１７】
しかし、６４個の送信アンテナを有するｍａｃｒｏ  ｃｅｌｌの場合に、ＣＲＳのカバレッジ領域よりＰＤＳＣＨのカバレッジ領域がより大きくなる。したがって、ｍａｃｒｏ
ｃｅｌｌとｐｉｃｏ  ｃｅｌｌの境界でＣＲＳの受信品質であるＲＳＲＰまたはＲＳＲＱのみに依存して初期接続及びハンドオーバーを決定するようになると、ＰＤＳＣＨの最大品質を提供する基地局をサービングセル（ｓｅｒｖｉｎｇ  ｃｅｌｌ）として選択できなくなる。これに関する単純な解決策として、Ｎ個の送信アンテナを有する基地局のＰＤＳＣＨ受信電力は、Ｎ倍大きいことと仮定できるが、基地局が可能な全ての方向にｂｅａｍｆｏｒｍｉｎｇすることができない場合を考慮するとき、最適の解決策ではない。
【０２１８】
以下、遅延（ｌａｔｅｎｃｙ）を減らすための端末のＣＳＩ測定及び報告動作方法について説明する。
【０２１９】
以下において記述される方法は、３Ｄ−ＭＩＭＯ、ｍａｓｓｉｖｅ  ＭＩＭＯなどのシステムだけでなく、ａｍｏｒｐｈｏｕｓ  ｃｅｌｌ（非晶質セル）環境などでも拡張されて適用可能でありうることはもちろんである。
【０２２０】
まず、３Ｄ−ＭＩＭＯシステムについて簡略に説明する。
【０２２１】
３Ｄ−ＭＩＭＯシステムは、ＬＴＥ標準（Ｒｅｌ−１２）を基盤として前述した図１２のようなｓｉｎｇｌｅ−ｃｅｌｌ  ２Ｄ−ＡＡＳ（Ａｄａｐｔｉｖｅ  Ａｎｔｅｎｎａ  Ｓｙｓｔｅｍ）基地局に適した最適の送信方式のうちの１つであり、次のような動作を考慮できる。
【０２２２】
図１０に示されたように、８−ｂｙ−８（８×８）のａｎｔｅｎｎａ  ａｒｒａｙからＣＳＩ−ＲＳ  ｐｏｒｔｓを構成する例を挙げて説明すれば、縦に各々８個のアンテナに対しては、特定ｔａｒｇｅｔ  ＵＥに最適化された「ＵＥ−ｄｅｄｉｃａｔｅｄ  ｂｅａｍ  ｃｏｅｆｆｉｃｉｅｎｔｓ」を適用したｐｒｅｃｏｄｅｄ  ＣＳＩ−ＲＳ  ｐｏｒｔの１つずつを構成させることにより、横に総８−ｐｏｒｔ（ｖｅｒｔｉｃａｌｌｙ  ｐｒｅｃｏｄｅｄ）  ＣＳＩ−ＲＳを設定／送信させる。
【０２２３】
これにより、端末は、従来のような８−ｐｏｒｔに対するＣＳＩ  ｆｅｅｄｂａｃｋを行えるようになる。
【０２２４】
つまり、基地局は、個別端末（または、特定端末グループ）に最適化された垂直方向ｂｅａｍ  ｇａｉｎが既に適用された（ｐｒｅｃｏｄｅｄ）ＣＳＩ−ＲＳ  ８  ｐｏｒｔｓを端末に送信する。
【０２２５】
したがって、前記端末は、無線チャネルを経たＣＳＩ−ＲＳを測定（ｍｅａｓｕｒｅ）するので、前記端末は、従来の水平方向コードブックによる同じフィードバック方式を行っても、前記（ｖｅｒｔｉｃａｌｌｙ  ｐｒｅｃｏｄｅｄ）  ＣＳＩ−ＲＳに対するＣＳＩ測定及び報告（ｍｅａｓｕｒｅｍｅｎｔ  ａｎｄ  ｒｅｐｏｒｔｉｎｇ）動作を介して既に無線チャネルの垂直方向のｂｅａｍ  ｇａｉｎ効果を得ることができるようになる。
【０２２６】
このとき、個別端末に最適化された垂直方向のｂｅａｍを決定するための方法として、（１）（ｖｅｒｔｉｃａｌｌｙ  ｐｒｅｃｏｄｅｄ）  ｓｍａｌｌ−ｃｅｌｌ  ｄｉｓｃｏｖｅｒｙ  ＲＳ（ＤＲＳ）によるＲＲＭ  ｒｅｐｏｒｔ結果を利用する方法、（２）端末のｓｏｕｎｄｉｎｇ  ＲＳ（ＳＲＳ）を基地局が最適の受信ｂｅａｍ方向に受信し、当該受信ｂｅａｍ方向をチャネル相互関係（ｃｈａｎｎｅｌ  ｒｅｃｉｐｒｏｃｉｔｙ）によりＤＬ最適ｂｅａｍ方向に変換して適用する方法などがある。
【０２２７】
もし、基地局が端末の移動性のため、前記ＵＥ−ｄｅｄｉｃａｔｅｄ  ｂｅｓｔ  Ｖ−ｂｅａｍ方向が変わったと判断する場合、従来動作によれば、基地局は、ＣＳＩ−ＲＳ及び連関ＣＳＩ  ｐｒｏｃｅｓｓなどと関連したＲＲＣ設定を全て再構成（ｒｅ−ｃｏｎｆｉｇｕｒｅ）した。
【０２２８】
このように、ＲＲＣ再構成（ｒｅｃｏｎｆｉｇｕｒａｔｉｏｎ）過程を行うべき場合、ＲＲＣレベルの遅延（ｌａｔｅｎｃｙ）（ｅ．ｇ．、数十〜数百ｍｓ単位）発生は不回避である。
【０２２９】
すなわち、ネットワーク次元では、前もってターゲットＶ−ｂｅａｍ方向を例えば、４個に分割しておき、それぞれのＶ−方向にｐｒｅｃｏｄｉｎｇがかかった別の８ｐｏｒｔ
ＣＳＩ−ＲＳを当該別の送信資源位置で送信するようになる。
【０２３０】
また、各ＵＥは、８ｐｏｒｔ  ＣＳＩ−ＲＳのうち、特定の１つのＣＳＩ−ＲＳ設定に対するＣＳＩ測定及び報告（ｍｅａｓｕｒｅｍｅｎｔ  ａｎｄ  ｒｅｐｏｒｔｉｎｇ）をしなければならないので、ターゲットＶ−方向が変わるときには、変更されるＣＳＩ−ＲＳ設定でネットワークとＲＲＣ  ｒｅｃｏｎｆｉｇｕｒａｔｉｏｎ手順を行うしかなくなる。
【０２３１】
２Ｄ  Ｐｌａｎａｒ  Ａｎｔｅｎｎａ  Ａｒｒａｙ  Ｍｏｄｅｌ
【０２３２】
図１１は、偏光（Ｐｏｌａｒｉｚａｔｉｏｎ）基盤の２Ｄ平面アンテナアレイモデルの一例を示した図である。
【０２３３】
すなわち、図１１は、交差偏光（ｃｒｏｓｓ  ｐｏｌａｒｉｚａｔｉｏｎ）を有する２Ｄ  ＡＡＳ（ａｃｔｉｖｅ  ａｎｔｅｎｎａ  ｓｙｓｔｅｍ）の一例を示す。
【０２３４】
図１１に示すように、２Ｄ平面（Ｐｌａｎａｒ）アンテナアレイモデルは、（Ｍ、Ｎ、Ｐ）で示すことができる。
【０２３５】
ここで、Ｍは、各列に同じｐｏｌａｒｉｚａｔｉｏｎを有しているａｎｔｅｎｎａ  ｅｌｅｍｅｎｔの個数を表し、Ｎは、水平方向の列の個数を表し、Ｐは、ｐｏｌａｒｉｚａｔｉｏｎのｄｉｍｅｎｓｉｏｎの個数を表す。
【０２３６】
図１１において、ｃｒｏｓｓ−ｐｏｌａｒｉｚａｔｉｏｎである場合、Ｐ＝２となる。
【０２３７】
図１２は、送受信端ユニット（ｔｒａｎｓｃｅｉｖｅｒ  ｕｎｉｔｓ：ＴＸＲＵｓ）モデルの一例を示した図である。
【０２３８】
図１２のａｎｔｅｎｎａ  ａｒｒａｙ  ｍｏｄｅｌ  ｃｏｎｆｉｇｕｒａｔｉｏｎ（Ｍ、Ｎ、Ｐ）に相応するＴＸＲＵ  ｍｏｄｅｌ  ｃｏｎｆｉｇｕｒａｔｉｏｎは、（ＭＴＸＲＵ、Ｎ、Ｐ）で示すことができる。
【０２３９】
この場合、ＭＴＸＲＵは、２Ｄ同じ列、同じｐｏｌａｒｉｚａｔｉｏｎに存在するＴＸＲＵの個数を意味し、ＭＴＸＲＵ＜＝Ｍを常に満たす。
【０２４０】
また、ＴＸＲＵ  ｖｉｒｔｕａｌｉｚａｔｉｏｎモデルは、ＴＸＲＵのｓｉｇｎａｌとａｎｔｅｎｎａ  ｅｌｅｍｅｎｔｓのｓｉｇｎａｌの関係によって定義される。
【０２４１】
ここで、ｑは、同じ列内の同じｐｏｌａｒｉｚａｔｉｏｎを有するＭ個のａｎｔｅｎｎａ  ｅｌｅｍｅｎｔｓの送信ｓｉｇｎａｌ  ｖｅｃｔｏｒであり、ｗとＷは、ｗｉｄｅｂａｎｄ  ＴＸＲＵ  ｖｉｒｔｕａｌｉｚａｔｉｏｎ  ｗｅｉｇｈｔ  ｖｅｃｔｏｒとｍａｔｒｉｘを表し、ｘは、ＭＴＸＲＵ  ＴＸＲＵのｓｉｇｎａｌ  ｖｅｃｔｏｒを表す。
【０２４２】
具体的に、図１２ａは、ＴＸＲＵ仮想化モデルオプション−１（ｓｕｂ−ａｒｒａｙ  ｐａｒｔｉｔｉｏｎ  ｍｏｄｅｌ）を示し、図１２ｂは、ＴＸＲＵ仮想化モデルオプション−２（ｆｕｌｌ  ｃｏｎｎｅｃｔｉｏｎ  ｍｏｄｅｌ）を示す。
【０２４３】
すなわち、ＴＸＲＵ  ｖｉｒｔｕａｌｉｚａｔｉｏｎモデルは、ａｎｔｅｎｎａ  ｅｌｅｍｅｎｔｓとＴＸＲＵとの相関関係によって図１２ａ及び図１２ｂのように、ｓｕｂ−ａｒｒａｙモデル、ｆｕｌｌ−ｃｏｎｎｅｃｔｉｏｎモデルなどに区分される。
【０２４４】
また、ＣＳＩ−ＲＳ  ｐｏｒｔｓとＴＸＲＵとのｍａｐｐｉｎｇは、１−ｔｏ−１または１−ｔｏ−ｍａｎｙでありうる。
【０２４５】
図１０で説明した、２Ｄ−ＡＡＳアンテナ構造などを使用するｍａｓｓｉｖｅ  ＭＩＭＯシステムの場合、端末は、基地局から送信されるＣＳＩ−ＲＳを介してＣＳＩを取得し、これを基地局に報告するために、多数のＣＳＩ−ＲＳ  ｐｏｒｔｓがデザインされる必要がある。
【０２４６】
すなわち、ｍａｓｓｉｖｅ  ＭＩＭＯシステムでは、従来の１、２、４、ｏｒ  ８ｐｏｒｔのＣＳＩ−ＲＳパターンを支援することに比べて、１２ｐｏｒｔ  ＣＳＩ−ＲＳ  ｐａｔｔｅｒｎ、１６ｐｏｒｔ  ＣＳＩ−ＲＳ  ｐａｔｔｅｒｎなど、より多くのポート数を有する新しいＣＳＩ−ＲＳパターン及び設定方法が考慮される必要がある。
【０２４７】
本明細書において表記されるＮ−ｐｏｒｔ  ＣＳＩ−ＲＳ  ｐａｔｔｅｒｎは、Ｎ−ｐｏｒｔ  ＣＳＩ−ＲＳ  ｒｅｓｏｕｒｃｅと同じ意味と解釈され得る。
【０２４８】
ここで、Ｎ−ｐｏｒｔ  ＣＳＩ−ＲＳ  ｒｅｓｏｕｒｃｅまたはＮ−ｐｏｒｔ  ＣＳＩ−ＲＳ  ｐａｔｔｅｒｎは、ＣＳＩ−ＲＳがＮ個のｐｏｒｔを介して送信されるＲＥ（または、ＲＥのグループ）を表す資源（グループ）であって、１つのサブフレームまたは複数のサブフレームで１つまたはそれ以上が存在し得る。
【０２４９】
複数のＮ−ｐｏｒｔ  ＣＳＩ−ＲＳ  ｒｅｓｏｕｒｃｅは、Ｎ−ｐｏｒｔ  ＣＳＩ−ＲＳ  ｒｅｓｏｕｒｃｅ  ｐｏｏｌに表現されることもできる。
【０２５０】
例えば、４−ｐｏｒｔ  ＣＳＩ−ＲＳ  ｒｅｓｏｕｒｃｅは、４個のＲＥで構成され、各ＲＥには、ＣＳＩ−ＲＳが送信されるａｎｔｅｎｎａ  ｐｏｒｔ  ｎｕｍｂｅｒが各々マッピングされる。
【０２５１】
ｍａｓｓｉｖｅ  ＭＩＭＯシステムのように、多くの数（ｅ．ｇ．、ＭＮＰ）のｔｒａｎｓｍｉｔ  ａｎｔｅｎｎａ  ｅｌｅｍｅｎｔｓを備えた送信端（例：基地局）で効果的な（ｃｌｏｓｅｄ−ｌｏｏｐ）ＭＩＭＯ送信を支援するためには、Ｑ−ｐｏｒｔ  ＣＳＩ−ＲＳ  ｐａｔｔｅｒｎ（ｅ．ｇ．、Ｑ＜＝ＭＮＰ）が端末に設定されなければならない。
【０２５２】
その理由は、前記端末は、前記設定されたＱ−ｐｏｒｔ  ＣＳＩ−ＲＳを共にｍｅａｓｕｒｅし、これに基づいてＣＳＩを計算及び報告する動作が支援され得なければならないためである。
【０２５３】
一例として、前記端末に設定されるＱ−ｐｏｒｔ  ＣＳＩ−ＲＳは、ｎｏｎ−ｐｒｅｃｏｄｅｄ  ＣＳＩ−ＲＳでありうる。
【０２５４】
前記ｎｏｎ−ｐｒｅｃｏｄｅｄ  ＣＳＩ−ＲＳは、ｔｙｐｅ  Ａまたはｔｙｐｅ  Ｂに表現されることができる。
【０２５５】
前記ｎｏｎ−ｐｒｅｃｏｄｅｄ  ＣＳＩ−ＲＳは、送信端でｂｅａｍｆｏｒｍｉｎｇを適用せずに送信するＣＳＩ−ＲＳを意味するものであって、通常、ｗｉｄｅ  ｂｅａｍ  ｗｉｄｔｈを有する各ＣＳＩ−ＲＳ  ｐｏｒｔを送信する形態でありうる。
【０２５６】
図１３及び図１４を参照して従来のＣＳＩ−ＲＳパターン（または、ＣＳＩ−ＲＳ  ｒｅｓｏｕｒｃｅ）についてさらに説明する。
【０２５７】
図１３は、８ポートＣＳＩ−ＲＳ資源マッピングパターンの一例を示した図である。
【０２５８】
すなわち、図１３は、ＬＴＥ（−Ａ）システムにおいて１２個のｓｕｂｃａｒｒｉｅｒで構成された１  ｒｅｓｏｕｒｃｅ  ｂｌｏｃｋ（ＲＢ）で８  ａｎｔｅｎｎａ  ｐｏｒｔを有したＣＳＩ−ＲＳの送信可能な資源または資源ｐａｔｔｅｒｎを示す。
【０２５９】
図１３において、互いに異なるように斜線を引いた部分は、各々１つのＣＳＩ−ＲＳ  ｒｅｓｏｕｒｃｅ（または、１つのＣＳＩ−ＲＳ  ｐａｔｔｅｒｎ、１３１０、１３２０、１３３０、１３４０、１３５０）を示す。
【０２６０】
すなわち、図１３の場合、１つのサブフレーム内に５個のＣＳＩ−ＲＳｒｅｓｏｕｒｃｅまたは５個のＣＳＩ−ＲＳ  ｐａｔｔｅｒｎが存在することが分かる。
【０２６１】
図１３に示すように、１つのｐｏｒｔに対するＣＳＩ−ＲＳは、２個のＯＦＤＭ  ｓｙｍｂｏｌにわたってｓｐｒｅａｄされて送信される。
【０２６２】
２個のＣＳＩ−ＲＳは、２個のＲＥを共有し、２個のＲＥに共有された２個のＣＳＩ−ＲＳは、直交コード（ｏｒｔｈｏｇｏｎａｌ  ｃｏｄｅ）を使用して区分されることができる。
【０２６３】
図１３において、「０」と「１」の数字で表現されたＲＥは、ＣＳＩ−ＲＳ  ｐｏｒｔ０と１が送信される２個のＲＥを意味する。
【０２６４】
本明細書では、説明の都合上、ＣＳＩ−ＲＳ  ｐｏｒｔ０、１のような表現を使用しているが、ＣＲＳやＵＥ−ｓｐｅｃｉｆｉｃ  ＲＳのような他の種類のＲＳとの区分のために、前記ＣＳＩ−ＲＳ  ｐｏｒｔ０、１の表現は、ＣＳＩ−ＲＳ  ｐｏｒｔ１５、１６などのようなｉｎｄｅｘ形態で表現されることができる。
【０２６５】
ＣＳＩ−ＲＳは、８ｐｏｒｔの他にも、１、２、４ｐｏｒｔを有するように設定されることができる。
【０２６６】
表３及び図１５に示すように、ＬＴＥシステムのｆｒａｍｅ  ｓｔｒｕｃｔｕｒｅ  ｔｙｐｅ１（ＦＤＤモード）とｔｙｐｅ２（ＴＤＤモード）とに共通に、８−ｐｏｒｔ  ＣＳＩ−ＲＳは、１つのｓｕｂｆｒａｍｅで５個のＣＳＩ−ＲＳ送信パターン（または、５個のＣＳＩ−ＲＳ  ｒｅｓｏｕｒｃｅ）のみを有することを見ることができる。
【０２６７】
図１４は、一般ＣＰでｌｅｇａｃｙ  ＣＳＩ−ＲＳ資源構成の一例を示した図である。
【０２６８】
すなわち、図１４ａ、図１４ｂ、図１４ｃは、各々２−ｐｏｒｔ、４−ｐｏｒｔ、そして８−ｐｏｒｔ  ＣＳＩ−ＲＳ構成の一例を示す。
【０２６９】
図１４ａ、図１４ｂ、図１４ｃにおいて、互いに異なる斜線で表示された部分は、各々１つのＣＳＩ−ＲＳ  ｒｅｓｏｕｒｃｅまたは１つのＣＳＩ−ＲＳ  ｐａｔｔｅｒｎを示す。
【０２７０】
図１５は、拡張ＣＰでｌｅｇａｃｙ  ＣＳＩ−ＲＳ資源構成の一例を示した図である。
【０２７１】
すなわち、図１５は、拡張ＣＰが適用されたサブフレームでＣＳＩ−ＲＳアンテナポートが１、２及び４個である場合に対するＣＳＩ−ＲＳ構成またはパターンを示す。
【０２７２】
図１６は、ＦＤＭされる参照信号に対するパワーブースティングの一例を示した図である。
【０２７３】
具体的に、図１６は、ＦＤＭされた参照信号（Ｒｅｆｅｒｅｎｃｅ  ｓｉｇｎａｌ：ＲＳ）に対する６ｄＢ  ＲＳパワーブースティング（Ｐｏｗｅｒ  Ｂｏｏｓｔｉｎｇ）の一例を示す。
【０２７４】
まず、ＲＥ（ｋ、ｌ、ｎ）は、ｎ番目サブフレーム、ｋ番目サブキャリア、ｌ番目ＯＦＤＭシンボルで送信されるＣＳＩ−ＲＳに対する資源要素（ＲＥ）であると定義する。
【０２７５】
同じＯＦＤＭシンボルのサブキャリア間送信電力共有（ｐｏｗｅｒ  ｓｈａｒｉｎｇ）を考慮すれば、当該ＯＦＤＭシンボルでＲＳ送信の際、ｋ≠ｋ´であるＲＥ（ｋ´、ｌ、ｎ）にＲＳ送信がない場合、ＲＥ（ｋ´、ｌ、ｎ）の送信パワーを（同じＯＦＤＭシンボル、他のサブキャリアの）ＲＥ（ｋ、ｌ、ｎ）送信に使用できるようになることにより、ＲＳ  ｐｏｗｅｒ  ｂｏｏｓｔｉｎｇが可能である。
【０２７６】
図１６を介して具体的に説明する。図１８は、８−ｐｏｒｔ  ＣＳＩ−ＲＳの場合にＮＺＰ（Ｎｏｎ−Ｚｅｒｏ  Ｐｏｗｅｒ）  ＣＳＩ−ＲＳ  ｐｏｒｔ１５の送信がＲＥ（２、ｌ、１５）を介してなされる。
【０２７７】
また、ＲＥ（３、ｌ、１５）、ＲＥ（８、ｌ、１５）とＲＥ（９、ｌ、１５）は、ＮＺＰ  ＣＳＩ−ＲＳ  ｐｏｒｔ１７ないし２２送信に干渉を起こさないようにするために、ｐｏｗｅｒ  ｍｕｔｉｎｇとされた場合を示す。
【０２７８】
この場合、ＲＥ（２、ｌ、１５）は、ｐｏｗｅｒ  ｍｕｔｉｎｇされたＲＥ（等）のｐｏｗｅｒをｓｈａｒｅし、総４ＥａのパワーでＣＳＩ−ＲＳ送信に使用できるようになる。
【０２７９】
ここで、Ｅａは、平均ＲＥ当たり、エネルギー（ＥＰＲＥ：Ｅｎｅｒｇｙ  Ｐｅｒ  ＲＥ）を示す。
【０２８０】
現在、ＬＴＥスペックでは、最大許容ＥＰＲＥを６ｄＢ  ｐｏｗｅｒ  ｂｏｏｓｔｉｎｇ（すなわち、４Ｅａ）に制限している。
【０２８１】
したがって、ＰＲＢ（Ｐｈｙｓｉｃａｌ  Ｒｅｓｏｕｒｃｅ  Ｂｌｏｃｋ）ｐａｉｒで最大にｓｕｐｐｏｒｔ可能なｆｒｅｑｕｅｎｃｙ  ｄｉｖｉｓｉｏｎ  ｍｕｌｔｉｐｌｅｘｉｎｇ（ＦＤＭ）されたＣＳＩ−ＲＳ  ｐｏｒｔの数は４となる。
【０２８２】
前述した、ＦＤＭされたＣＳＩ−ＲＳ  ｐｏｒｔの電力ブースティング制限（ｐｏｗｅｒ  ｂｏｏｓｔｉｎｇ  ｒｅｓｔｒｉｃｔｉｏｎ）を考慮するようになると、ＦＤ−ＭＩＭＯ（または、ｅｎｈａｎｃｅｄ  ＭＩＭＯ或いはｍａｓｓｉｖｅ  ＭＩＭＯで表現可能である）で考慮している１２−ｐｏｒｔ、１６−ｐｏｒｔなどのａｎｔｅｎｎａ  ｐｏｒｔ  ｃｏｎｆｉｇｕｒａｔｉｏｎでは、ｆｕｌｌ  ｐｏｗｅｒを使用できなくなる。
【０２８３】
すなわち、このような状況発生の一例として、ＣＳＩ−ＲＳ  １６−ｐｏｒｔの場合には、ＣＳＩ−ＲＳ  ｐｏｒｔ当たり、全体パワーの１／１６のパワーを共有するようになる。
【０２８４】
このとき、前述した４−ｐｏｒｔ  ＦＤＭを用いたｐｏｗｅｒ  ｂｏｏｓｔｉｎｇを使用する場合、ＣＳＩ−ＲＳ  ｐｏｒｔ当たり、全体パワーの１／４を使用できるようになり、依然としてｆｕｌｌ  ｐｏｗｅｒ使用が難しくなる。
【０２８５】
したがって、本明細書では、前述した問題を解決するために、ｃｏｄｅｄｉｖｉｓｉｏｎ  ｍｕｌｔｉｐｌｅｘｉｎｇ（ＣＤＭ）を用いて８ｐｏｒｔより多いＣＳＩ−ＲＳ構成方法を提案する。
【０２８６】
以下、本明細書において提案する８ｐｏｒｔより多いＣＳＩ−ＲＳ  ｒｅｓｏｕｒｃｅの構成方法について１２ｐｏｒｔ及び１６ｐｏｒｔを一例として具体的に説明する。
【０２８７】
第１実施形態：時間領域のみでＣＤＭ使用（ＣＤＭ  ｔｈｅ  ｔｉｍｅ  ｄｏｍａｉｎ
ｏｎｌｙ）
【０２８８】
図１７は、本明細書において提案する一般ＣＰでの１６−ｐｏｒｔ  ＣＳＩ−ＲＳパターンの一例を示した図である。
【０２８９】
本明細書において使用するＣＳＩ−ＲＳ  ｐａｔｔｅｒｎは、ＣＳＩ−ＲＳが送信され得る資源領域（１つまたはそれ以上のＲＥを含む）の形態を表すものであって、各ポート別にＣＳＩ−ＲＳ  ｐａｔｔｅｒｎは異なるように設定されることができる。
【０２９０】
また、ＣＳＩ−ＲＳ  ｐａｔｔｅｒｎは、ＣＳＩ−ＲＳ  ｒｅｓｏｕｒｃｅなどに表現されることができる。
【０２９１】
図１７において１７１０及び１７２０は、１６−ｐｏｒｔでのＣＳＩ−ＲＳ  ｐａｔｔｅｒｎ（または、ＣＳＩ−ＲＳ  ｒｅｓｏｕｒｃｅ）を示す。
【０２９２】
また、ｌｅｇａｃｙ  ＣＳＩ−ＲＳ  ｐａｔｔｅｒｎと異なるように、本明細書において提案するＣＳＩ−ＲＳ  ｐａｔｔｅｒｎ（１２−ｐｏｒｔ、１６ｐｏｒｔなどを含む）を都合上「Ｎｅｗ  ｐａｔｔｅｒｎ」と通称する。
【０２９３】
図１７での１６−ｐｏｒｔ  ＣＳＩ−ＲＳ  ｐａｔｔｅｒｎを構成するにあって、下記のような特徴要素（（１）〜（５））のうち、少なくとも１つが適用され得る。
【０２９４】
（１）Ｌｅｇａｃｙ１、２、４、ｏｒ  ８ｐｏｒｔ  ＣＳＩ−ＲＳ  ｐａｔｔｅｒｎのうち、一部を結合する形態で１つのＮｅｗ  ｐａｔｔｅｒｎを作る。
【０２９５】
第１実施形態では、ＦＤＭとｔｉｍｅ  ｄｏｍａｉｎとしてＣＤＭ  ｌｅｎｇｔｈ４を考慮するので、Ｎｅｗ  ｐａｔｔｅｒｎでは、１つのＮｅｗ  ｐａｔｔｅｒｎを構成するために４個のＯＦＤＭシンボルが必要であり、図１９は、この一例を示す。
【０２９６】
図１７の場合、２個のｌｅｇａｃｙ  ８−ｐｏｒｔ  ＣＳＩ−ＲＳ  ｐａｔｔｅｒｎが結合して１つの１６−ｐｏｒｔ  ＣＳＩ−ＲＳ  ｐａｔｔｅｒｎを構成することを示す。
【０２９７】
このように、ｌｅｇａｃｙ  ｐａｔｔｅｒｎ間の結合形態に限定する場合、ｌｅｇａｃｙ端末（例：ＵＥ）に現在３ｇｐｐ標準によって支援される特定ＺＰ  ＣＳＩ−ＲＳ  ｒｅｓｏｕｒｃｅ（ｓ）を設定することにより、ｌｅｇａｃｙ  ｉｍｐａｃｔを最小化できるという長所がある。
【０２９８】
（２）前記Ｎｅｗ  ｐａｔｔｅｒｎ内のＣＳＩ−ＲＳ  ｐｏｒｔは、下記の数式１３に示されたウェイトベクトル（ｗｅｉｇｈｔ  ｖｅｃｔｏｒ）を当該ＣＳＩ−ＲＳ  ｐｏｒｔに掛けてＣＤＭすることができる。
【０２９９】
【数１３】
2018023141.tif 000024
【０３００】
すなわち、図１７に表示されたｎｅｗ  １６−ｐｏｒｔ  ＣＳＩ−ＲＳ  ｐａｔｔｅｒｎ１を例に挙げると、｛０、１、２、３｝、｛４、５、６、７｝、｛８、９、１０、１１｝、｛１２、１３、１４、１５｝に表記された４個のＦＤＭされたＣＳＩ−ＲＳ  ｐｏｒｔグループの各々に前記数式１３に示されたｗｅｉｇｈｔ  ｖｅｃｔｏｒを掛けて総計１６−ｐｏｒｔを設定できる。
【０３０１】
このように、ｔｉｍｅ  ｄｏｍａｉｎとしてＣＤＭ  ｌｅｎｇｔｈ４を用いることの長所は、前述した６ｄＢ  ｐｏｗｅｒ  ｂｏｏｓｔｉｎｇ制限のためのｐｏｗｅｒ損失を保全できるという点である。
【０３０２】
より具体的に、各ＣＳＩ−ＲＳポートは、本来１／１６のパワーを使用できるが、第１実施形態で提案する方法を利用する場合、ＦＤＭとして６ｄＢを保全でき、ＣＤＭとして６ｄＢを保全することにより、ＣＳＩ−ＲＳポートが全体パワー（ｆｕｌｌ  ｐｏｗｅｒ）を使用できるようにすることができるという長所を有するようになる。
【０３０３】
（３）Ｎｅｗ  ｐａｔｔｅｒｎ内のＣＳＩ−ＲＳ  ｐｏｒｔ  ｎｕｍｂｅｒｉｎｇに関する規則
【０３０４】
図１７のように、まず、ｐｏｒｔ０、１、２、３（実際には、ｐｏｒｔ１５、１６、１７、１８などでありうる。したがって、ｐｏｒｔ  ｎｕｍｂｅｒｉｎｇの開始点は、０からではなく、１５からでありうる）を最も低い（または、高い）ｓｕｂｃａｒｒｉｅｒ  ｉｎｄｅｘに該当するＲＥに先にマッピングする。
【０３０５】
ここで、最も低いｓｕｂｃａｒｒｉｅｒ  ｉｎｄｅｘは、ｋ＝０であり、図１７においてｋ＝０値は、ｆｒｅｑｕｅｎｃｙ軸で一番下にあるＲＥを示すことができる。（２）でのＣＤＭされる順序は、ＣＤＭ  ｗｅｉｇｈｔ  ｖｅｃｔｏｒ数式１３の順序にしたがうことができ、Ｗ０〜Ｗ４がｐｅｒｍｕｔａｔｉｏｎされる方式によって、それに相応する順序にしたがってＣＳＩ−ＲＳ  ｐｏｒｔ  ｎｕｍｂｅｒｉｎｇされることもできる。
【０３０６】
図１７は、現在ＬＴＥ  ｓｐｅｃに表記された（図１４参照）４０個のＲＥに２個のＮｅｗ  １６−ｐｏｒｔ  ＣＳＩ−ＲＳ  ｐａｔｔｅｒｎを構成する例を示す。
【０３０７】
また、図１７において「Ｙ」で表記されたｌｅｇａｃｙ  ＣＳＩ−ＲＳのためのＲＥグループが同じ状況で図１８のようなさらに他の実施形態で構成されることができる。
【０３０８】
図１８及び図１９は、本明細書において提案する一般ＣＰでの１６−ｐｏｒｔ  ＣＳＩ−ＲＳパターンのさらに他の一例を示した図である。
【０３０９】
すなわち、図１８及び図１９において、与えられた「Ｙ」で表記されたｌｅｇａｃｙ  ＣＳＩ−ＲＳのためのＲＥグループの位置に図１８及び図１９のように、２つのＮｅｗ  ｐａｔｔｅｒｎを考慮できる。
【０３１０】
「Ｙ」で表記されたｌｅｇａｃｙ  ＣＳＩ−ＲＳのためのＲＥグループの位置は、図１７〜図１９に示された位置の他にも、ｋ＝｛２、３｝、｛８、９｝、またはｋ＝｛４、５｝、｛１０、１１｝に位置することができ、この２つの場合共に、図１７〜図１９のように、２つのＮｅｗ  ｐａｔｔｅｒｎを構成できる。
【０３１１】
図１７形態の１６−ｐｏｒｔ  ＣＳＩ−ＲＳ構成が有する長所は、ｌｅｇａｃｙ  ＣＳＩ−ＲＳ  ｐａｔｔｅｒｎと同一サブフレームに共に設定するにあたって、ネットワーク柔軟性（ｎｅｔｗｏｒｋ  ｆｌｅｘｉｂｉｌｉｔｙ）を高めるという点である。
【０３１２】
これは、例えば、特定ｃｅｌｌ／ＴＰ  Ａが図１７において「Ｎｅｗ  １６−ｐｏｒｔ  ＣＳＩ−ＲＳ  ｐａｔｔｅｒｎ＃１」のみを送信する場合、空いている「Ｎｅｗ  １２−ｐｏｒｔ  ＣＳＩ−ＲＳ  ｐａｔｔｅｒｎ＃２」のＲＥに他のｃｅｌｌ／ＴＰが（または、同一ｃｅｌｌ／ＴＰ  Ａが追加に）ｌｅｇａｃｙ１、２、ｏｒ  ４ｐｏｒｔ  ＣＳＩ−ＲＳパターンのうち、取捨選択して送信できるようになる。
【０３１３】
その理由は、各ＣＳＩ−ＲＳ  ｐａｔｔｅｒｎ間にｏｖｅｒｌａｐが発生しないためである。
【０３１４】
しかし、前記１６−ｐｏｒｔ  ＣＳＩ−ＲＳ構成に対するオプションはこれに限定されず、追加的な様々な構成のオプションがありうる。
【０３１５】
すなわち、図１７を含んで図１８及び図１９などの種々のオプションのうち、少なくとも１つが定義／設定され得る。
【０３１６】
この場合、ネットワークまたは基地局は、あるパターンを端末が仮定してＣＳＩ−ＲＳ受信及びＣＳＩ  ｄｅｒｉｖａｔｉｏｎを行わなければならないかをｈｉｇｈｅｒ−ｌａｙｅｒ  ｓｉｇｎａｌｉｎｇを介して設定する方式も適用可能である。
【０３１７】
図２０は、本明細書において提案する一般ＣＰでの１２−ｐｏｒｔ  ＣＳＩ−ＲＳパターンの一例を示した図である。
【０３１８】
図２０は、ＣＤＭ（Ｃｏｄｅ  Ｄｉｖｉｓｉｏｎ  Ｍｕｌｔｉｐｌｅｘｉｎｇ）を用いたＣＳＩ−ＲＳ  ｐｏｒｔ構成の一例であって、１６−ｐｏｒｔのＣＳＩ−ＲＳ構成と同様に、１２−ｐｏｒｔ  ＣＳＩ−ＲＳ  ｐａｔｔｅｒｎは、Ｌｅｇａｃｙ１、２、４、ｏｒ  ８ｐｏｒｔ  ＣＳＩ−ＲＳ  ｐａｔｔｅｒｎのうち、一部を結合する形態で１つのＮｅｗ  ｐａｔｔｅｒｎが構成され得る。
【０３１９】
第１実施形態では、ＦＤＭと、ｔｉｍｅ  ｄｏｍａｉｎとしてＣＤＭ  ｌｅｎｇｔｈ４を考慮するので、Ｎｅｗ  ｐａｔｔｅｒｎでは、１つのＮｅｗ  ｐａｔｔｅｒｎを構成するために、４個のＯＦＤＭシンボルが必要であることを見ることができた。
【０３２０】
図２０では、６個の２−ｐｏｒｔ  ＣＳＩ−ＲＳ  ｐａｔｔｅｒｎが結合あるいは２個の４−ｐｏｒｔと２個の２−ｐｏｒｔ  ＣＳＩ−ＲＳパターンの結合と解釈することができる。
【０３２１】
このように、ｔｉｍｅ  ｄｏｍａｉｎとしてＣＤＭ  ｌｅｎｇｔｈ４を用いることの長所は、前述した６ｄＢ  ｐｏｗｅｒ  ｂｏｏｓｔｉｎｇ制限のためのｐｏｗｅｒ損失を保全できるという点である。
【０３２２】
より具体的に、１２−ｐｏｒｔ  ＣＳＩ−ＲＳで各ＣＳＩ−ＲＳポートは、本来１／１２のパワーを使用できるが、第１実施形態で説明した方法を利用する場合、ＦＤＭとして４．７７ｄＢ（３Ｅａ）を保全でき、ＣＤＭとして６ｄＢを保全でき、結果として、ＣＳＩ−ＲＳ  ｐｏｒｔがｆｕｌｌ  ｐｏｗｅｒを使用できるようにすることができるという長所を有するようになる。
【０３２３】
ＣＤＭを用いる方法は、前述した第１実施形態（１６−ｐｏｒｔ例題）の（２）ステップで記述した方法で容易に拡張適用することができる。
【０３２４】
また、ｐｏｒｔ  ｎｕｍｂｅｒｉｎｇの方式も第１実施形態の（３）ステップで記述した方法で容易に拡張適用することができる。
【０３２５】
図２０は、現在ＬＴＥ  ｓｐｅｃに表記された（図１４参照）４０個のＲＥに２個のＮｅｗ  ｐａｔｔｅｒｎを構成する一例であり、「Ａ」〜「Ｈ」で表記されたｌｅｇａｃｙ  ＣＳＩ−ＲＳの位置及び前記１６−ｐｏｒｔ例題のように、Ｎｅｗ  ｐａｔｔｅｒｎを構成するＲＥの位置にしたがって容易に拡張適用されることができる。
【０３２６】
すなわち、ＦＤＭ  ｌｅｎｇｔｈ３とＣＤＭ  ｌｅｎｇｔｈ４を用いてＮｅｗ  ｐａｔｔｅｒｎを構成する原則にしたがってより様々なＣＳＩ−ＲＳパターンに容易に拡張適用されることができる。
【０３２７】
今までは、一般（ｎｏｒｍａｌ）ＣＰ（Ｃｙｃｌｉｃ  Ｐｒｅｆｉｘ）の場合のＮｅｗ  ｐａｔｔｅｒｎ構成について説明したが、以下では、拡張（Ｅｘｔｅｎｄｅｄ）ＣＰの場合のＮｅｗ  ｐａｔｔｅｒｎ構成について説明する。
【０３２８】
拡張ＣＰでのＮｅｗ  ｐａｔｔｅｒｎ構成に対する原理は、前述したｎｏｒｍａｌ  ＣＰの場合で説明した方式と同様に拡張適用することができる。
【０３２９】
すなわち、第１実施形態で説明したｐｏｒｔ  ｎｕｍｂｅｒｉｎｇ規則も拡張ＣＰの場合と同様に適用することができる。
【０３３０】
図２１は、本明細書において提案する拡張ＣＰでの１６−ｐｏｒｔ  ＣＳＩ−ＲＳ構成の一例を示した図である。
【０３３１】
図２１は、２個の８−ｐｏｒｔ  ＣＳＩ−ＲＳを結合した例題と解釈することができる。
【０３３２】
ここでは、説明の都合上、ＣＳＩ−ＲＳポート０、１のような表現を使用し、ＣＲＳ及びその他、ＵＥ特定ＲＳのような他の種類のＲＳとの区分のために、ＣＳＩ−ＲＳポート０、１などをＣＳＩ−ＲＳポート１５、１６などのように表示することができる。
【０３３３】
図２２は、本明細書において提案する拡張ＣＰでの１２−ｐｏｒｔ  ＣＳＩ−ＲＳ構成の一例を示した図である。
【０３３４】
１２−ｐｏｒｔの場合もｎｏｒｍａｌ  ＣＰの場合と同様にＮｅｗ  ｐａｔｔｅｒｎ構成を拡張適用できる。
【０３３５】
１６ｐｏｒｔの場合と異なり、ｌｅｇａｃｙ  ＣＳＩ−ＲＳのためのＲＥが３２個であるから（図１５参照）、最大２個のＮｅｗ  ｐａｔｔｅｒｎを適用でき、残りの８個のＲＥに対しては、ｌｅｇａｃｙ  ＣＳＩ−ＲＳのために、（再）使用できるように設定することができる。
【０３３６】
図２２において「Ｙ」で表記したＲＥの位置の変化によってＮｅｗ  ｐａｔｔｅｒｎ構成は多様となることができるが、ＦＤＭ  ｌｅｎｇｔｈ３とＣＤＭ  ｌｅｎｇｔｈ４を用いてＮｅｗ  ｐａｔｔｅｒｎを構成する原則にしたがってより様々なパターンの構成に容易に拡張適用されることができる。
【０３３７】
第２実施形態：時間及び周波数領域でＣＤＭ使用（ＣＤＭ  ａｃｒｏｓｓ  ｔｈｅ  ｔｉｍｅ  ａｎｄ  ｆｒｅｑｕｅｎｃｙ  ｄｏｍａｉｎｓ）
【０３３８】
第２実施形態は、ＣＤＭ  ｌｅｎｇｔｈ４をｔｉｍｅとｆｒｅｑｕｅｎｃｙ  ｄｏｍａｉｎとに各々ｌｅｎｇｔｈ２ずつ適用する方法を提案する。
【０３３９】
図２３は、本明細書において提案する一般ＣＰでの１６−ｐｏｒｔ  ＣＳＩ−ＲＳ  ｐａｔｔｅｒｎのさらに他の一例を示した図である。
【０３４０】
図２３で適用するＣＤＭ方式は、｛０、１、２、３｝、｛４、５、６、７｝、｛８、９、１０、１１｝、｛１２、１３、１４、１５｝で表記されたＣＳＩ−ＲＳ  ｐｏｒｔグループに数式１３に示されたウェイトベクトル（ｗｅｉｇｈｔ  ｖｅｃｔｏｒ）を掛けて総計１６−ｐｏｒｔを設定するようになる。
【０３４１】
｛０、１、２、３｝を一例に挙げて説明すれば、互いに連続した２個のＯＦＤＭシンボルに対してＣＤＭ  ｌｅｎｇｔｈ２とｌｅｇａｃｙ  ＣＳＩ−ＲＳ  ｐｏｒｔの設定によるＦＤＭされた２個の小グループ（または、サブグループ）間（｛０、１、２、３｝の例示で｛０、１｝と｛２、３｝が小グループ（または、サブグループ）を意味する）のＣＤＭ  ｌｅｎｇｔｈ２を設定して新しいＣＳＩ−ＲＳ１６−ｐｏｒｔを設定するようになる。
【０３４２】
説明の都合上、図２３において説明した方式を第２実施形態の「方法１」と定義する。
【０３４３】
図２４は、本明細書において提案する一般ＣＰでの１６−ｐｏｒｔ  ＣＳＩ−ＲＳ  ｐａｔｔｅｒｎのさらに他の一例を示した図である。
【０３４４】
図２４の場合、図２３とは異なり、ＣＤＭ  ｌｅｎｇｔｈ４を行うグループは、既存のｌｅｇａｃｙ  ＣＳＩ−ＲＳ方式にしたがうのではなく、互いに連続した２個のＯＦＤＭシンボルと互いに連続した２個のｓｕｂｃａｒｒｉｅｒを選択してＣＤＭ４を設定するようになる。
【０３４５】
図２４を参考してさらに具体的に説明すれば、｛０、１、２、３｝、｛４、５、６、７｝、｛８、９、１０、１１｝、｛１２、１３、１４、１５｝（または、｛１５、１６、１７、１８｝、｛１９、２０、２１、２２｝、｛２３、２４、２５、２６｝、｛２７、２８、２９、３０｝）で表記されたＣＳＩ−ＲＳ  ｐｏｒｔグループに数式１３に示されたｗｅｉｇｈｔ  ｖｅｃｔｏｒを掛けて総計１６−ｐｏｒｔを設定するようになる。
【０３４６】
｛０、１、２、３｝を一例に挙げて説明すれば、ＣＤＭ  ｌｅｎｇｔｈ４を（１）互いに連続した２個のＯＦＤＭシンボルに対してＣＤＭ  ｌｅｎｇｔｈ２と、（２）互いに連続した２個のｓｕｂｃａｒｒｉｅｒに対してＣＤＭ  ｌｅｎｇｔｈ２を各々設定して新しいＣＳＩ−ＲＳ  １６−ｐｏｒｔを設定するようになる。
【０３４７】
図２３において説明した方式との区分のために、図２４において説明する方式を第２実施形態の「方法２」と定義する。
【０３４８】
方法１及び方法２共にｆｕｌｌ  ｐｏｗｅｒ使用が可能な設定方式という側面では同じであるが、異なる点は、方法２の場合、使用可能なＮｅｗ  １６−ｐｏｒｔ  ＣＳＩ−ＲＳ  ｐａｔｔｅｒｎが１個である点である。
【０３４９】
もし、ｆｕｌｌ  ｐｏｗｅｒ  ｔｒａｎｓｍｉｓｓｉｏｎを放棄する場合を考慮すれば、図２５のように、Ｎｅｗ  １６−ｐｏｒｔ  ＣＳＩ−ＲＳ  ｐａｔｔｅｒｎ２が新しく追加されることが考慮できる。
【０３５０】
図２５は、本明細書において提案する一般ＣＰでの１６−ｐｏｒｔ  ＣＳＩ−ＲＳ  ｐａｔｔｅｒｎのさらに他の一例を示した図である。
【０３５１】
すなわち、Ｎｅｗ  １６−ｐｏｒｔ  ＣＳＩ−ＲＳ  ｐａｔｔｅｒｎ１は、ｆｕｌｌ  ｐｏｗｅｒ  ｔｒａｎｓｍｉｓｓｉｏｎを行うパターンであり、Ｎｅｗ  １６−ｐｏｒｔ
ＣＳＩ−ＲＳ  ｐａｔｔｅｒｎ２は、３ｄＢ  ｌｏｓｓがあるｐｏｗｅｒ  ｔｒａｎｓｍｉｓｓｉｏｎを行うパターンである。
【０３５２】
したがって、基地局は、Ｎｅｗ  １６−ｐｏｒｔ  ＣＳＩ−ＲＳ  ｐａｔｔｅｒｎを考慮するとき、優先順位をＮｅｗ  １６−ｐｏｒｔ  ＣＳＩ−ＲＳ  ｐａｔｔｅｒｎ１＞Ｎｅｗ  １６−ｐｏｒｔ  ＣＳＩ−ＲＳ  ｐａｔｔｅｒｎ２に設定することができる。
【０３５３】
そして、基地局は、Ｎｅｗ  １６−ｐｏｒｔ  ＣＳＩ−ＲＳ  ｐａｔｔｅｒｎ２を構成するとき、「Ｙ」で表記されたｌｅｇａｃｙ  ＣＳＩ−ＲＳに相応するＲＥを考慮して様々に設定することもできる。
【０３５４】
図２６は、本明細書において提案する一般ＣＰでの１６−ｐｏｒｔ  ＣＳＩ−ＲＳ  ｐａｔｔｅｒｎのさらに他の一例を示した図である。
【０３５５】
図２６は、Ｎｅｗ  ｐａｔｔｅｒｎ１及びＮｅｗ  ｐａｔｔｅｒｎ２が共に３ｄＢ  ｌｏｓｓを有するｔｒａｎｓｍｉｓｓｉｏｎを行うパターン構成を示す。
【０３５６】
したがって、基地局が考慮する優先順位は、２つのパターンが同じである。
【０３５７】
また、Ｎｅｗ  ｐａｔｔｅｒｎ２を構成するとき、「Ｙ」で表記されたｌｅｇａｃｙ  ＣＳＩ−ＲＳに相応するＲＥを考慮して様々に設定することもできる。
【０３５８】
図２７及び図２８は、本明細書において提案する一般ＣＰでの１２−ｐｏｒｔ  ＣＳＩ−ＲＳ  ｐａｔｔｅｒｎのさらに他の一例を示した図である。
【０３５９】
前述した方法１と方法２は、各々図２７及び図２８に適用されることができる。
【０３６０】
すなわち、図２７の場合、方法１と同様に、互いに連続した２個のＯＦＤＭシンボルに対してＣＤＭ  ｌｅｎｇｔｈ２とｌｅｇａｃｙ  ＣＳＩ−ＲＳ  ｐｏｒｔの設定によるＦＤＭされた２個の小グループ（または、サブグループ）間のＣＤＭ  ｌｅｎｇｔｈ２を設定して新しいＣＳＩ−ＲＳ  １２−ｐｏｒｔを設定するようになる。
【０３６１】
ここで、ｌｅｇａｃｙ  ＣＳＩ−ＲＳ  ｐｏｒｔ設定によるＦＤＭされた２個の小グループは、図１６ｂ（４  ＣＳＩ−ＲＳ  ｐｏｒｔｓ）で（０、１）と（２、３）を表し、２個の小グループは、６個のｓｕｂｃａｒｒｉｅｒ間隔を有して位置する。
【０３６２】
図２７を参考してさらに具体的に説明すれば、｛０、１、２、３｝、｛４、５、６、７｝、｛８、９、１０、１１｝（または、｛１５、１６、１７、１８｝、｛１９、２０、２１、２２｝、｛２３、２４、２５、２６｝）で表記されたＣＳＩ−ＲＳ  ｐｏｒｔグループに数１３に示されたｗｅｉｇｈｔ  ｖｅｃｔｏｒを掛けて総計１２−ｐｏｒｔを設定するようになる。
【０３６３】
｛０、１、２、３｝を一例に挙げて説明すれば、ＣＤＭ  ｌｅｎｇｔｈ４を、（１）互いに連続した２個のＯＦＤＭシンボル２９１０、２９２０に対してＣＤＭ  ｌｅｎｇｔｈ２と、（２）ｌｅｇａｃｙ  ＣＳＩ−ＲＳ  ｐｏｒｔの設定によるＦＤＭされた２個の小グループ（または、サブグループ、２７１０、２７２０）間（｛０、１、２、３｝の例示で｛０、１｝と｛２、３｝が小グループ（または、サブグループ）を意味する）のＣＤＭ
ｌｅｎｇｔｈ２を各々設定して新しいＣＳＩ−ＲＳ  １２−ｐｏｒｔを設定するようになる。
【０３６４】
また、図２７の場合、方法２と同様に、互いに連続した２個のＯＦＤＭシンボルと互いに連続した２個のｓｕｂｃａｒｒｉｅｒとを選択してＣＤＭ４を設定するようになる。
【０３６５】
前述した１６−ｐｏｒｔ  ＣＳＩ−ＲＳ  ｐａｔｔｅｒｎ構成とは異なり、２個のｆｕｌｌ  ｐｏｗｅｒ設定が可能なパターンが存在し得る。
【０３６６】
また、このような１２−ｐｏｒｔ  ＣＳＩ−ＲＳ  ｐａｔｔｅｒｎ構成は、「Ｙ」で表記されたｌｅｇａｃｙ  ＣＳＩ−ＲＳに相応するＲＥの位置にしたがって様々に存在するが、前述したＮｅｗ  ｐａｔｔｅｒｎ構成の原則は同様に適用可能である。
【０３６７】
第２実施形態でのＣＤＭ４を適用する方式を除いた残りの過程及び特徴（ｐｏｒｔ  ｎｕｍｂｅｒｉｎｇ規則など）は、前述した第１実施形態にしたがう。
【０３６８】
今までは、第２実施形態を一般ＣＰに適用する場合について説明したが、以下では、拡張ＣＰに第２実施形態を適用する場合について説明する。
【０３６９】
図２９及び図３０は、本明細書において提案する拡張ＣＰでの１６−ｐｏｒｔ  ＣＳＩ−ＲＳ  ｐａｔｔｅｒｎのさらに他の一例を示した図であり、図３１及び図３２は、本明細書において提案する拡張ＣＰでの１６−ｐｏｒｔ  ＣＳＩ−ＲＳ  ｐａｔｔｅｒｎのさらに他の一例を示した図である。
【０３７０】
拡張（Ｅｘｔｅｎｄｅｄ）ＣＰの場合、ＯＦＤＭ  ｓｙｍｂｏｌ４、５番のＣＳＩ−ＲＳに相応するＲＥの位置と２個のＮｅｗ  ｐａｔｔｅｒｎを考慮すれば、前述した第２実施形態の方法１を適用できる。
【０３７１】
図２９は、（ＯＦＤＭ）ｓｙｍｂｏｌ４、５に該当する構成は、ＣＤＭを行うグループ内のｓｕｂｃａｒｒｉｅｒ離隔距離が「１」の場合であり、ＯＦＤＭ  ｓｙｍｂｏｌ８、９に該当する構成は、ＣＤＭを行うグループ内のｓｕｂｃａｒｒｉｅｒの離隔距離が「０」の場合である。
【０３７２】
性能的な側面では、ＣＤＭを行うｆｒｅｑｕｅｎｃｙ  ｄｏｍａｉｎの離隔距離がないパターンがより良いことができる。
【０３７３】
したがって、端末は、図３０のような構成を利用するとき、Ｎｅｗ  ｐａｔｔｅｒｎ２にさらに優先順位をおくことができる。
【０３７４】
１２−ｐｏｒｔの場合、「Ｙ」で表記されたｌｅｇａｃｙ  ＣＳＩ−ＲＳに相応するＲＥの位置にしたがって様々に存在するが、前術したＮｅｗ  ｐａｔｔｅｒｎ構成の原則の第２実施形態での方法１は、同様に適用可能である。
【０３７５】
図３２は、第２実施形態の方法２を利用したｎｅｗ  １２−ｐｏｒｔ  ＣＳＩ−ＲＳ  ｐａｔｔｅｒｎ構成の一例を示す。
【０３７６】
図３１と図３２を比較すると、ＣＤＭを行うグループ内でｓｕｂｃａｒｒｉｅｒ離隔距離がない図３２がさらに優れた性能を表すことができる。
【０３７７】
前述した、Ｎｅｗ  ＣＳＩ−ＲＳ  ｐａｔｔｅｒｎ構成も、ＣＤＭ４を適用する方式を除いた残りの過程及び特徴は、第１実施形態にしたがう。
【０３７８】
第３実施形態：第１実施形態と第２実施形態との組み合わせ（ｃｏｍｂｉｎａｔｉｏｎ）方法
【０３７９】
第３実施形態は、より多くのｆｕｌｌ  ｐｏｗｅｒを使用するＮｅｗ  ｐａｔｔｅｒｎ構成のために、前述した第１実施形態と第２実施形態との組み合わせ方法を提案する。
【０３８０】
まず、１２−ｐｏｒｔ  ＣＳＩ−ＲＳ  ｐａｔｔｅｒｎを考慮した図３３について説明する。
【０３８１】
図３３は、本明細書において提案する一般ＣＰでの１２−ｐｏｒｔ  ＣＳＩ−ＲＳ  ｐａｔｔｅｒｎの一例を示した図である。
【０３８２】
Ｎｅｗ  ｐａｔｔｅｒｎ１と２は、第２実施形態の方法１の原理を利用してＣＤＭが適用され、Ｎｅｗ  ｐａｔｔｅｒｎ３の場合は、第１実施形態の原理を利用してＣＤＭが適用されたことを示す。
【０３８３】
この場合、第１実施形態及び第２実施形態のＮｅｗ  １２−ｐｏｒｔ  ＣＳＩ−ＲＳ  ｐａｔｔｅｒｎは、２個であることに比べて、第３実施形態のＮｅｗ  １２−ｐｏｒｔ  ＣＳＩ−ＲＳ  ｐａｔｔｅｒｎは、３個を有することができるという長所があり、また、３個のＮｅｗ  ｐａｔｔｅｒｎは共にｆｕｌｌ  ｐｏｗｅｒ  ｔｒａｎｓｍｉｓｓｉｏｎを用いることができるという長所がある。
【０３８４】
１６−ｐｏｒｔ  ＣＳＩ−ＲＳ  ｐａｔｔｅｒｎを考慮した図３４も同じ原理でｎｅｗ  ＣＳＩ−ＲＳ  ｐａｔｔｅｒｎが構成されたことを示す。
【０３８５】
すなわち、図３４〜図３６は、本明細書において提案する一般ＣＰでの１６−ｐｏｒｔ  ＣＳＩ−ＲＳ  ｐａｔｔｅｒｎの一例を示した図である。
【０３８６】
図３３及び図３４は、ｔｉｍｅ  ｄｏｍａｉｎとしてＣＤＭを最大８個ＯＦＤＭシンボルの差を有するＲＥに適用するようになる。
【０３８７】
このように、ＯＦＤＭシンボル等の間隔が大きい場合、ｐｈａｓｅ  ｄｒｉｆｔのような問題のため、その性能劣化が予想され得る。
【０３８８】
したがって、図３５及び図３６は、図３３及び図３４でのｐｈａｓｅ  ｄｒｉｆｔ問題を解決するために、ｔｉｍｅ  ｄｏｍａｉｎ  ＣＤＭ４が各々５あるいは４ＯＦＤＭシンボル差を有する場合を示す。
【０３８９】
また、Ｎｅｗ  ｐａｔｔｅｒｎ２の場合も、第２実施形態によるＣＤＭ４（ｔｉｍｅ  ａｎｄ  ｆｒｅｑｕｅｎｃｙ  ｄｏｍａｉｎ）を行うＲＥ同士でサブキャリア離隔がないので、さらに優れた性能を期待できる。
【０３９０】
また、第３実施形態は、ＣＳＩ−ＲＳのｆｕｌｌ  ｐｏｗｅｒ  ｔｒａｎｓｍｉｓｓｉｏｎが可能である。
【０３９１】
第３実施形態の図面に示されたように、Ｎｅｗ  ｐａｔｔｅｒｎ１でポートナンバーは、ＣＤＭ４を行うグループ同士｛０、１、２、３｝、｛８、９、１０、１１｝、｛４、５、６、７｝、｛１２、１３、１４、１５｝あるいは｛０、１、２、３｝、｛４、５、６、７｝、｛８、９、１０、１１｝、｛１２、１３、１４、１５｝などにナンバリングされることができる。以下、ｐｏｒｔ  ｎｕｍｂｅｒｉｎｇに対するより具体的な内容は、第１実施形態で説明した方法に従う。
【０３９２】
図３７は、本明細書において提案する一般ＣＰでの１２−ｐｏｒｔ  ＣＳＩ−ＲＳ  ｐａｔｔｅｒｎ構成のさらに他の一例を示した図である。
【０３９３】
図３７は、時間領域（ｔｉｍｅ  ｄｏｍａｉｎ）でより小さなＯＦＤＭ  ｓｙｍｂｏｌ間隔を有するＲＥ間にＣＤＭを適用した一例を示す。
【０３９４】
図３７に示されたように、Ｎｅｗ  ｐａｔｔｅｒｎ１は、第２実施形態の方法１を適用し、Ｎｅｗ  ｐａｔｔｅｒｎ２及び３は、第１実施形態の方法を適用して構成したｎｅｗ  ＣＳＩ−ＲＳ  ｐａｔｔｅｒｎを示す。
【０３９５】
図３７において「Ｙ」で表記されたｌｅｇａｃｙのためのＲＥの位置は多様でありうるし、本明細書において提案する原則を拡張適用して、ＣＳＩ−ＲＳのパターンを構成できる。
【０３９６】
図３８は、本明細書において提案する一般ＣＰでの１２−ｐｏｒｔ  ＣＳＩ−ＲＳ  ｐａｔｔｅｒｎ構成のさらに他の一例を示した図である。
【０３９７】
図３８に示されたように、Ｎｅｗ  ｐａｔｔｅｒｎ１は、第２実施形態の方法２を適用し、Ｎｅｗ  ｐａｔｔｅｒｎ２と３は、第１実施形態の方法を適用して構成したｎｅｗ  ＣＳＩ−ＲＳ  ｐａｔｔｅｒｎ等である。
【０３９８】
第２実施形態の方法２は、周波数領域（ｆｒｅｑｕｅｎｃｙ  ｄｏｍａｉｎ）にＣＤＭを行うときにも互いに連続したｓｕｂｃａｒｒｉｅｒ同士に実施するようになるので、図３７の方法に比べてより良い性能を予想できる。
【０３９９】
図３９〜図４１は、本明細書において提案する一般ＣＰでの１２−ｐｏｒｔ  ＣＳＩ−ＲＳ  ｐａｔｔｅｒｎ構成のさらに他の一例を示した図である。
【０４００】
図３９〜図４１は、各図面に示されたように、Ｎｅｗ  ｐａｔｔｅｒｎ１で第２実施形態の方法２を適用し、Ｎｅｗ  ｐａｔｔｅｒｎ２と３は、第１実施形態の方法を適用して構成したｎｅｗ  ＣＳＩ−ＲＳパターン等である。
【０４０１】
３ＧＰＰ  ＴＳ３６．２１１の６．４節に下記のように、ＳＦＢＣ（Ｓｐａｃｅ  Ｆｒｅｑｕｅｎｃｙ  Ｂｌｏｃｋ  Ｃｏｄｉｎｇ）実行の際、各シンボルがＲＥにｍａｐｐｉｎｇされるとき、１つのＯＦＤＭシンボル内で最大２サブキャリアまで離れることが許される。
【０４０２】
このようなｒｅｓｔｒｉｃｔｉｏｎは、ＳＦＢＣ実行サブキャリア間隔が大きいほど、性能劣化を有するので、これを防止するためである。
【０４０３】
本発明では、時間領域のみにＣＤＭ（Ｃｏｄｅ  Ｄｉｖｉｓｉｏｎ  Ｍｕｌｔｉｐｌｅｘｉｎｇ）４（ｔｉｍｅ  ｄｏｍａｉｎ  ｏｎｌｙ  ＣＤＭ４）を適用する場合、上記の構成規則と同様に、図３９〜図４１のように、ＣＤＭ４を構成する４個のＲＥのｓｕｂｃａｒｒｉｅｒ間隔が最大２になるように制限することを提案する。
【０４０４】
図３９は、ＣＤＭ４を構成する４個のＲＥのｓｕｂｃａｒｒｉｅｒ最大間隔が２であることに対する一例であり、図４０及び図４１は、ＣＤＭ４を構成する４個のＲＥのｓｕｂｃａｒｒｉｅｒの最大間隔が１になるように構成する方法の一例である。
【０４０５】
特に、図４１の場合、Ｎｅｗ  ｐａｔｔｅｒｎ２及び３で各々１２−ｐｏｒｔ  ＣＳＩ−ＲＳをなす３対のＣＤＭ４ペアの中で１対のＣＤＭ４ペアのみが１ｓｕｂｃａｒｒｉｅｒ間隔を有する構成を示す。
【０４０６】
したがって、図４１が図３９〜図４１のうち、最も良い性能を見せることと予想される。
【０４０７】
さらに他の一例として、ＲＥにマッピングするとき、もし、ＰＤＳＣＨと連関されたＤＣＩがＣ−ＲＮＴＩまたは半−持続的（ｓｅｍｉ−ｐｅｒｓｉｓｔｅｎｔ）Ｃ−ＲＮＴＩを使用し、ＴＳ  ３６．２１１６．３．４．３節によって時間多重化（ｔｉｍｅ  ｄｉｖｅｒｓｉｔｙ）が使用される場合、ＣＳＩ−ＲＳを含むとＵＥにより推定されるＯＦＤＭ
ｓｙｍｂｏｌでのＲＥは、下記の基準が達成される場合のみにマッピングに使用される。
【０４０８】
・送信のために割り当てられた各資源ブロック内のＯＦＤＭ  ｓｙｍｂｏｌの偶数番目の資源要素と、
・複素数値シンボル（Ｃｏｍｐｌｅｘ−ｖａｌｕｅｄ  ｓｙｍｂｏｌ）ｙ（ｐ）（ｉ）及びｙ（ｐ）（ｉ＋１）は（ｉは偶数番号）、ｎ＜３を有する同じＯＦＤＭ  ｓｙｍｂｏｌ内で資源要素（ｋ、ｌ）及び（ｋ＋ｎ、ｌ）にマッピングされることができる。
【０４０９】
図４２は、本明細書において提案する一般ＣＰでの１２−ｐｏｒｔ  ＣＳＩ−ＲＳ  ｐａｔｔｅｒｎ構成のさらに他の一例を示した図である。
【０４１０】
図４２に示されたように、Ｎｅｗ  ｐａｔｔｅｒｎの特徴は、図３６に示された１６−ｐｏｒｔ  ＣＳＩ−ＲＳ  ｐａｔｔｅｒｎの部分集合で構成される。
【０４１１】
図４２のＮｅｗ  ｐａｔｔｅｒｎの構成は、表すことのできるパターンの数が２個に限定されるが、１２−ｐｏｒｔ及び１６−ｐｏｒｔを与えられたｃｏｎｆｉｇｕｒａｔｉｏｎでｐｏｒｔ数によって構成できるという長所がある。
【０４１２】
１２−ｐｏｒｔ  ＣＳＩ−ＲＳ  ｐａｔｔｅｒｎを１６−ｐｏｒｔ  ＣＳＩ−ＲＳ  ｐａｔｔｅｒｎから構成する１つの実施形態は、与えられた１６−ｐｏｒｔでｐｏｒｔ  ｎｕｍｂｅｒ基準に下位あるいは上位１２個のｐｏｒｔを選択する方法がありうる。
【０４１３】
今までは、ＣＤＭ  ｌｅｎｇｔｈ４を用いて１２−ｐｏｒｔ及び１６−ｐｏｒｔ  ＣＳＩ−ＲＳ  ｐａｔｔｅｒｎの構成方法を説明した。
【０４１４】
説明したように、ＣＤＭ  ｌｅｎｇｔｈ４を用いる場合、ｆｕｌｌ  ｐｏｗｅｒ  ｔｒａｎｓｍｉｓｓｉｏｎが可能であるという長所があるが、パターン構成で強い制限（ｒｅｓｔｒｉｃｔｉｏｎ）が加えられ得る。
【０４１５】
したがって、以下、第４実施形態を介して既存のＣＤＭ  ｌｅｎｇｔｈ２を用いてＮｅｗ  ｐａｔｔｅｒｎを構成する方法について説明する。
【０４１６】
まず、ＣＤＭ  ｌｅｎｇｔｈ２は、同じｓｕｂｃａｒｒｉｅｒで互いに連接した（または、隣接した）２個のＯＦＤＭ  ｓｙｍｂｏｌで
【化３】
2018023141.tif 000025
のｗｅｉｇｈｔｉｎｇ  ｃｏｅｆｆｉｃｉｅｎｔを用いて構成するようになる。
【０４１７】
これを用いる場合、前述した第１実施形態ないし第３実施形態でのＮｅｗ  ｐａｔｔｅｒｎに対してＣＤＭ  ｌｅｎｇｔｈ２をそのまま適用できるようになる。
【０４１８】
この場合、ＣＳＩ−ＲＳ送信のために必要なｐｏｗｅｒが減るようになるという短所があるが、さらに様々なパターン等の構成を考慮できるという長所がある。
【０４１９】
図４３及び図４４は、本明細書において提案する一般ＣＰでの１２−ｐｏｒｔ及び１６−ｐｏｒｔ  ＣＳＩ−ＲＳ  ｐａｔｔｅｒｎ構成の一例を示した図である。
【０４２０】
具体的に、図４３ａ及び図４３ｂは、一般ＣＰでの１６−ｐｏｒｔ  ＣＳＩ−ＲＳ  ｐａｔｔｅｒｎ構成の一例を示し、図４４ａ及び図４４ｂは、一般ＣＰでの１６−ｐｏｒｔ  ＣＳＩ−ＲＳ  ｐａｔｔｅｒｎ構成の一例を示す。
【０４２１】
図４４ａ及び図４４ｂに示されたように、１６−ｐｏｒｔ  ＣＳＩ−ＲＳ  ｐａｔｔｅｒｎは、既存の２個の８−ｐｏｒｔ  ＣＳＩ−ＲＳ  ｐａｔｔｅｒｎのａｇｇｒｅｇａｔｉｏｎで構成されることを見ることができる。
【０４２２】
２個の８−ｐｏｒｔ  ＣＳＩ−ＲＳグループの開始点（ｅ．ｇ．０番ポートあるいはｓｐｅｃ．基準で１５番ポート）を基準に２ｓｕｂｃａｒｒｉｅｒの分だけｓｈｉｆｔされている例示であり、図４３ａ及び図４３ｂに示されたように、２つの１６−ｐｏｒｔ  ＣＳＩ−ＲＳ  ｐａｔｔｅｒｎがありうる。
【０４２３】
すなわち、１番目の８−ｐｏｒｔ  ＣＳＩ−ＲＳグループの開始点「０」番ポートと２番目の８−ｐｏｒｔ  ＣＳＩ−ＲＳグループの開始点「８」番ポートとは、２ｓｕｂｃａｒｒｉｅｒ間隔の分だけｓｈｉｆｔされている。
【０４２４】
図４４ａ及び図４４ｂは、１２−ｐｏｒｔ  ＣＳＩ−ＲＳ  ｐａｔｔｅｒｎを示しており、これは、図４３ａ及び図４３ｂの１６−ｐｏｒｔ  ＣＳＩ−ＲＳ  ｐａｔｔｅｒｎ構成と類似する。
【０４２５】
図４４ａ及び図４４ｂに示されたように、２つの１２−ｐｏｒｔ  ＣＳＩ−ＲＳ構成が存在するが、「Ｚ」で表記されたＣＳＩ−ＲＳの位置にしたがって総４個の１２−ｐｏｒｔ  ＣＳＩ−ＲＳ  ｐａｔｔｅｒｎが存在し得る。
【０４２６】
例えば、図４４ｂにおいてＮｅｗ  ｐａｔｔｅｒｎ＃１で（２、３）、（８、９）に該当するＲＥと「Ｚ」で表記されたＲＥの位置を交換するようになると、２つのＮｅｗ  ｐａｔｔｅｒｎが構成され得る。
【０４２７】
前述した、既存のｌｅｇａｃｙ  ＣＳＩ−ＲＳの構成を結合（ａｇｇｒｅｇａｔｉｏｎ）する場合、基地局は、端末にＲＲＣ  ｓｉｇｎａｌｉｎｇを介して明示的に（ｅｘｐｌｉｃｉｔｌｙ）ＣＳＩ−ＲＳの位置を知らせるか、または、ａｇｇｒｅｇａｔｉｏｎされるＣＳＩ−ＲＳのｐｏｒｔ数と「０」番ｐｏｒｔ（または、「１５」番ポート）を知らせることができる。
【０４２８】
例えば、１６−ｐｏｒｔ  ＣＳＩ−ＲＳ  ｐａｔｔｅｒｎ構成が既存の２個の８−ｐｏｒｔ  ＣＳＩ−ＲＳ  ｐａｔｔｅｒｎで構成されると仮定すれば、基地局は、ＲＲＣ  ｓｉｇｎａｌｉｎｇを介して各２個の８−ｐｏｒｔ  ＣＳＩ−ＲＳ  ｐａｔｔｅｒｎ開始ポート（「０」番ポート）番号を知らせることができる。
【０４２９】
２個の４−ｐｏｒｔ  ＣＳＩ−ＲＳ  ｐａｔｔｅｒｎと２個の２−ｐｏｒｔ  ＣＳＩ−ＲＳ  ｐａｔｔｅｒｎで１２−ｐｏｒｔを構成する場合、基地局は、ＲＲＣ  ｓｉｇｎａｌｉｎｇを介して各ＣＳＩ−ＲＳ構成に使用される２個の４−ｐｏｒｔ  ＣＳＩ−ＲＳ  ｐａｔｔｅｒｎの「０」番ポートと２個の２−ｐｏｒｔ  ＣＳＩ−ＲＳ  ｐａｔｔｅｒｎの「０」番ポートを知らせることができる。
【０４３０】
または、図４３及び図４４を含むＣＳＩ−ＲＳ  ｐａｔｔｅｒｎが３ＧＰＰ  ｓｐｅｃ．に固定される場合、基地局は、ＲＲＣ  ｓｉｇｎａｌｉｎｇを介してＣＳＩ−ＲＳ  ｐａｔｔｅｒｎの種類を端末に知らせることができる。
【０４３１】
追加的に、基地局は、前記ＣＳＩ−ＲＳ  ｐａｔｔｅｒｎの種類とともに、ＣＤＭ  ｌｅｎｇｔｈに関する情報も共に端末にｓｉｇｎａｌｉｎｇすることができる。
【０４３２】
ここで、前記ＣＤＭ  ｌｅｎｇｔｈに関する情報は、ＣＤＭ長さ２またはＣＤＭ長さ４を表す。
【０４３３】
また、前記ＣＤＭ  ｌｅｎｇｔｈに関する情報は、ＣＤＭ  ｔｙｐｅに関する情報として呼ばれるか、または表現されることもできる。
【０４３４】
第４実施形態：ＣＤＭ−４のためのＣＳＩ−ＲＳ結合（ＣＳＩ−ＲＳ  ａｇｇｒｅｇａｔｉｏｎ  ｆｏｒ  ＣＤＭ−４）
【０４３５】
図４５〜図４８は、本明細書において提案するＣＤＭ４のための４−ｐｏｒｔ  ＣＳＩ−ＲＳ単位の資源プールの一例を示す。
【０４３６】
すなわち、図４５は、前述した第１実施形態ないし第３実施形態のうち、ＣＤＭ４のための４−ｐｏｒｔ（ＣＳＩ−ＲＳ）単位の資源プール（ｒｅｓｏｕｒｃｅ  ｐｏｏｌ）を示す。
【０４３７】
より具体的に、図４５ａ及び図４５ｂは、第２実施形態（時間及び周波数領域でＣＤＭ４適用）のｒｅｓｏｕｒｃｅ  ｐｏｏｌを示し、総１５個のｒｅｓｏｕｒｃｅ  ｐｏｏｌに表現可能である。
【０４３８】
図４６ａ、図４６ｂ、図４７ａ、図４７ｂ、図４８ａ、及び図４８ｂは、前述した第１実施形態（時間領域のみにＣＤＭ４適用）のｒｅｓｏｕｒｃｅ  ｐｏｏｌを示し、４０個のｒｅｓｏｕｒｃｅ  ｐｏｏｌが存在する。
【０４３９】
したがって、図４５〜図４８の場合、総５５個の４−ｐｏｒｔ単位のｒｅｓｏｕｒｃｅ  ｐｏｏｌが存在するようになる。
【０４４０】
これを簡略にまとめると、下記の表６のとおりである。下記の表６において、ｎｓは、スロット番号（ｓｌｏｔ  ｎｕｍｂｅｒ）を示す。
【０４４１】
表６は、一般ＣＰに対するＣＳＩ−ＲＳ  ｃｏｎｆｉｇｕｒａｔｉｏｎを（ｋ´、ｌ´）にマッピングした一例を示す。
【０４４２】
【表６】
2018023141.tif 000026
【０４４３】
表６での各Ｔｙｐｅは、図４５〜図４８において各図面でのＣＳＩ−ＲＳ  ｐａｔｔｅｒｎに該当する値を示す。
【０４４４】
すなわち、表６でのＴｙｐｅ０は、図４５ａ及び図４５ｂでのＣＳＩ−ＲＳ  ｐａｔｔｅｒｎを示す。
【０４４５】
表６でのＴｙｐｅ０の総個数は、１５個であり、図４５ａ及び図４５ｂでのＣＳＩ−ＲＳ  ｐａｔｔｅｒｎ、すなわち、４−ｐｏｒｔ  ＣＳＩ−ＲＳのｒｅｓｏｕｒｃｅ  ｐｏｏｌは、総１５個が存在することを見ることができる。
【０４４６】
同様に、Ｔｙｐｅ１は、図４６ａでのＣＳＩ−ＲＳ  ｐａｔｔｅｒｎに対応する。
【０４４７】
各Ｔｙｐｅに対応する、すなわち、図４５〜図４８のＣＳＩ−ＲＳ  ｐａｔｔｅｒｎに対応するＲＥマッピングを一般化すれば、下記の数式等のように表現することができる。
【０４４８】
すなわち、Ｔｙｐｅ０に対するＲＥマッピングの規則は、下記の数式１４のように定義される。
【０４４９】
【数１４】
2018023141.tif 000027
【０４５０】
Ｔｙｐｅ１に対するＲＥマッピングの規則は、下記の数式１５のように定義される。
【０４５１】
【数１５】
2018023141.tif 000028
【０４５２】
Ｔｙｐｅ２に対するＲＥマッピングの規則は、下記の数式１６のように定義される。
【０４５３】
【数１６】
2018023141.tif 000029
【０４５４】
Ｔｙｐｅ３に対するＲＥマッピングの規則は、下記の数式１７のように定義される。
【０４５５】
【数１７】
2018023141.tif 000030
【０４５６】
Ｔｙｐｅ４に対するＲＥマッピングの規則は、下記の数式１８のように定義される。
【０４５７】
【数１８】
2018023141.tif 000031
【０４５８】
Ｔｙｐｅ５に対するＲＥマッピングの規則は、下記の数式１９のように定義される。
【０４５９】
【数１９】
2018023141.tif 000032
【０４６０】
Ｔｙｐｅ６に対するＲＥマッピングの規則は、下記の数式２０のように定義される。
【０４６１】
【数２０】
2018023141.tif 000033
【０４６２】
Ｔｙｐｅ７に対するＲＥマッピングの規則は、下記の数式２１のように定義される。
【０４６３】
【数２１】
2018023141.tif 000034
【０４６４】
Ｔｙｐｅ８に対するＲＥマッピングの規則は、下記の数式２２のように定義される。
【０４６５】
【数２２】
2018023141.tif 000035
【０４６６】
Ｔｙｐｅ９に対するＲＥマッピングの規則は、下記の数式２３のように定義される。
【０４６７】
【数２３】
2018023141.tif 000036
【０４６８】
Ｔｙｐｅ１０に対するＲＥマッピングの規則は、下記の数式２４のように定義される。
【０４６９】
【数２４】
2018023141.tif 000037
【０４７０】
前記表１０は、４−ｐｏｒｔ単位ｒｅｓｏｕｒｃｅ  ｐｏｏｌに対するＣＳＩ−ＲＳ  ＲＥ  ｍａｐｐｉｎｇを示した。
【０４７１】
１２−ｐｏｒｔ及び１６−ｐｏｒｔ  ＣＳＩ−ＲＳ  ｐａｔｔｅｒｎを構成するためには、前記表１０に示された４−ｐｏｒｔ単位ｒｅｓｏｕｒｃｅ  ｐｏｏｌを結合して構成することができる。
【０４７２】
すなわち、１２−ｐｏｒｔ  ＣＳＩ−ＲＳ  ｐａｔｔｅｒｎは、３個の４−ｐｏｒｔ  ＣＳＩ−ＲＳ単位を結合し、１６−ｐｏｒｔ  ＣＳＩ−ＲＳ  ｐａｔｔｅｒｎは、４個の４−ｐｏｒｔ  ＣＳＩ−ＲＳ単位を結合して構成されることができる。
【０４７３】
このとき、結合されたポートナンバリング（ａｇｇｒｅｇａｔｅｄ  ｐｏｒｔ  ｎｕｍｂｅｒｉｎｇ）ｎは、ｎ＝（ｋ−１）＊４＋ｐのように計算されることができる。
【０４７４】
ここで、ｐ＝１５、１６、１７、１８であり、ｋは、結合された４−ｐｏｒｔ  ＣＳＩ−ＲＳ単位が３個である場合、ｋ＝１、２、３を有し、結合された４−ｐｏｒｔ  ＣＳＩ−ＲＳ単位が４個である場合、ｋ＝１、２、３、４を有する。
【０４７５】
すなわち、ｋは、１から始めて結合された４−ｐｏｒｔ  ＣＳＩ−ＲＳ単位の個数までの値を有する。
【０４７６】
すなわち、結合された４−ｐｏｒｔ  ＣＳＩ−ＲＳ単位の個数がｃである場合、ｋ＝１、...、ｃの値を有する。
【０４７７】
また、ＣＳＩ−ＲＳの全体電力送信（ｆｕｌｌ  ｐｏｗｅｒ  ｔｒａｎｓｍｉｓｓｉｏｎ）のために、１２−ｐｏｒｔまたは１６−ｐｏｒｔ  ＣＳＩ−ＲＳ構成の際、表１０のようなｔｙｐｅ間に結合（ａｇｇｒｅｇａｔｉｏｎ）することと制限することができる。
【０４７８】
また、同じｔｙｐｅ内で特定ＣＳＩ−ＲＳ  ｃｏｎｆｉｇｕｒａｔｉｏｎ間のａｇｇｒｅｇａｔｉｏｎに制限することができる。
【０４７９】
ｔｙｐｅ０を例に挙げると、ＣＳＩ−ＲＳ  ｃｏｎｆｉｇｕｒａｔｉｏｎ２ないし７（ｔｙｐｅ０に対する第１のＣＳＩ−ＲＳ  ｃｏｎｆｉｇｕｒａｔｉｏｎ  ｓｅｔ）で一定個数のＣＳＩ−ＲＳ  ｃｏｎｆｉｇｕｒａｔｉｏｎ間の結合（ａｇｇｒｅｇａｔｉｏｎ）、またはＣＳＩ−ＲＳ  ｃｏｎｆｉｇｕｒａｔｉｏｎ１０ないし１４（ｔｙｐｅ０に対する第２のＣＳＩ−ＲＳ  ｃｏｎｆｉｇｕｒａｔｉｏｎ  ｓｅｔ）で一定個数のＣＳＩ−ＲＳ  ｃｏｎｆｉｇｕｒａｔｉｏｎ間の結合（ａｇｇｒｅｇａｔｉｏｎ）、または第１のＣＳＩ−ＲＳ  ｃｏｎｆｉｇｕｒａｔｉｏｎ  ｓｅｔ（ＣＳＩ−ＲＳ  ｃｏｎｆｉｇｕｒａｔｉｏｎ２ないし７）と第２のＣＳＩ−ＲＳ  ｃｏｎｆｉｇｕｒａｔｉｏｎ  ｓｅｔ（ＣＳＩ−ＲＳ  ｃｏｎｆｉｇｕｒａｔｉｏｎ１０ないし１４）とで各々４−ｐｏｒｔ  ＣＳＩ−ＲＳ単位の結合（ａｇｇｒｅｇａｔｉｏｎ）に制限することができる。
【０４８０】
また、Ｌｅｇａｃｙ  ＣＳＩ−ＲＳ  ｃｏｎｆｉｇｕｒａｔｉｏｎが一般ＣＰで総３２個（表３参照）であることに鑑みて、３２個のＣＳＩ−ＲＳ  ｃｏｎｆｉｇｕｒａｔｉｏｎ以下にＣＤＭ４のための新しい４−ｐｏｒｔ  ＣＳＩ  ｃｏｎｆｉｇｕｒａｔｉｏｎを構成することもできる。
【０４８１】
これに関する一例として、下記の表１１を考慮できる。
【０４８２】
すなわち、表１１は、前記表１０において、ｔｙｐｅ０の１１個のＣＳＩ−ＲＳ  ｃｏｎｆｉｇｕｒａｔｉｏｎとｔｙｐｅ１ないし４の１６個のＣＳＩ−ＲＳ  ｃｏｎｆｉｇｕｒａｔｉｏｎとからなる。
【０４８３】
Ｔｙｐｅ０で表１１のＣＳＩ−ＲＳ  ｃｏｎｆｉｇｕｒａｔｉｏｎ１０は、１２−ｐｏｒｔのためのａｇｇｒｅｇａｔｉｏｎ  ｆｌｅｘｉｂｉｌｉｔｙのために追加された。
【０４８４】
また、時間領域のみにＣＤＭ４を適用する場合（Ｔｙｐｅ０を除いた残りのＴｙｐｅ）、ＣＤＭ４の性能を考慮してｓｕｂｃａｒｒｉｅｒ間の差が１以内になるように制限した。
【０４８５】
下記の表１１を利用する場合、例えば、図３６及び図４１の１２−ｐｏｒｔ及び１６−ｐｏｒｔ  ＣＳＩ−ＲＳ  ｐａｔｔｅｒｎを単一４−ｐｏｒｔ  ｒｅｓｏｕｒｃｅ  ｐｏｏｌを用いて容易に設定できるという長所がある。
【０４８６】
下記の表１１は一例であって、３２個のＣＳＩ−ＲＳ  ｃｏｎｆｉｇｕｒａｔｉｏｎ以内への構成は、表１０の部分集合で容易に構成されることができる。
【０４８７】
また、第１実施形態（ｔｉｍｅ  ｄｏｍａｉｎ  ｏｎｌｙ  ＣＤＭ４）のみを利用する場合、表１０において｛１５、...、５４｝のＣＳＩ−ＲＳ  ｃｏｎｆｉｇｕｒａｔｉｏｎの部分集合で構成することができ、第２実施形態（ｔｉｍｅ  ａｎｄ  ｆｒｅｑｕｅｎｃｙ  ｄｏｍａｉｎ  ＣＤＭ４）のみを利用する場合、｛０、...、１４｝のＣＳＩ−ＲＳ  ｃｏｎｆｉｇｕｒａｔｉｏｎの部分集合で構成することができる。
【０４８８】
このように、ＣＳＩ−ＲＳ  ａｇｇｒｅｇａｔｉｏｎは、ＣＳＩプロセス別に同一に設定されるか、またはＣＳＩプロセス別に独立的に設定されることができる。
【０４８９】
より具体的に、ＣＳＩプロセス当たり、同一ｔｙｐｅでＣＳＩ−ＲＳが結合されるとき、ＣＳＩプロセス別にａｇｇｒｅｇａｔｉｏｎタイプが異なるように設定されることができる。
【０４９０】
ＣＳＩプロセス当たり、互いに異なるｔｙｐｅのＣＳＩ−ＲＳがａｇｇｒｅｇａｔｉｏｎされる場合、ＣＳＩプロセス別に互いに異なるＣＳＩ−ＲＳ  ａｇｇｒｅｇａｔｉｏｎが設定され得る。
【０４９１】
下記の表１１は、一般ＣＰに対するＣＳＩ−ＲＳ  ｃｏｎｆｉｇｕｒａｔｉｏｎを（ｋ´、ｌ´）に減らしてマッピングした一例を示す。
【０４９２】
【表１１】
2018023141.tif 000038
【０４９３】
前記表１１の各ｔｙｐｅに対するＲＥマッピング規則は、下記の数式２５ないし２９のとおりである。
【０４９４】
Ｔｙｐｅ０に対するＲＥマッピングの規則は、下記の数式２５のように定義される。
【０４９５】
【数２５】
2018023141.tif 000039
【０４９６】
Ｔｙｐｅ１に対するＲＥマッピングの規則は、下記の数式２６のように定義される。
【０４９７】
【数２６】
2018023141.tif 000040
【０４９８】
Ｔｙｐｅ２に対するＲＥマッピングの規則は、下記の数式２７のように定義される。
【０４９９】
【数２７】
2018023141.tif 000041
【０５００】
Ｔｙｐｅ３に対するＲＥマッピングの規則は、下記の数式２８のように定義される。
【０５０１】
【数２８】
2018023141.tif 000042
【０５０２】
Ｔｙｐｅ４に対するＲＥマッピングの規則は、下記の数式２９のように定義される。
【０５０３】
【数２９】
2018023141.tif 000043
【０５０４】
以下において、前述した内容及び本明細書において提案する方法を簡略にまとめる。
【０５０５】
本明細書では、ＦＤ−ＭＩＭＯ（または、ｅｎｈａｎｃｅｄ  ＭＩＭＯ或いはｍａｓｓｉｖｅ  ＭＩＭＯ）を支援する（８−ｐｏｒｔより多いｐｏｒｔを支援）新しいＣＳＩ−ＲＳ構成について提案する。
【０５０６】
これは、Ｃｌａｓｓ  Ａ  ｒｅｐｏｒｔｉｎｇに対するＣＳＩ−ＲＳ  ｃｏｎｆｉｇｕｒａｔｉｏｎと関連する。
【０５０７】
１番目に、ＣＤＭ２を適用した１２−ｐｏｒｔ及び１６−ｐｏｒｔ  ＣＳＩ−ＲＳ  ｐａｔｔｅｒｎ構成である。
【０５０８】
１６−ｐｏｒｔ  ＣＳＩ−ＲＳ  ｒｅｓｏｕｒｃｅ構成は、下記のように８個のｌｅｇａｃｙ２−ｐｏｒｔ  ＣＳＩ−ＲＳ  ｒｅｓｏｕｒｃｅまたは２個のｌｅｇａｃｙ８−ｐｏｒｔ  ＣＳＩ−ＲＳ  ｒｅｓｏｕｒｃｅを結合して構成されることができる。
【０５０９】
すなわち、１６−ｐｏｒｔ  ＣＳＩ−ＲＳ  ｒｅｓｏｕｒｃｅに対して、（Ｎ、Ｋ）＝（８、２）、（２、８）でありうる。
【０５１０】
ここで、Ｎは、ｌｅｇａｃｙ  ＣＳＩ−ＲＳのｐｏｒｔ個数を示し、Ｋは、Ｎ−ｐｏｒｔ  ＣＳＩ−ＲＳ  ｒｅｓｏｕｒｃｅの個数を示す。
【０５１１】
また、１２−ｐｏｒｔ  ＣＳＩ−ＲＳ  ｒｅｓｏｕｒｃｅ構成は、下記のように３個のｌｅｇａｃｙ４−ｐｏｒｔ  ＣＳＩ−ＲＳ  ｒｅｓｏｕｒｃｅまたは６個のｌｅｇａｃｙ２−ｐｏｒｔ  ＣＳＩ−ＲＳ  ｒｅｓｏｕｒｃｅを結合して構成されることができる。
【０５１２】
すなわち、１２−ｐｏｒｔ  ＣＳＩ−ＲＳに対して、（Ｎ、Ｋ）＝（４、３）、（２、６）でありうる。
【０５１３】
また、上記のようにｌｅｇａｃｙ  ＣＳＩ−ＲＳ  ｒｅｓｏｕｒｃｅを結合する１２−ｐｏｒｔ及び１６−ｐｏｒｔ  ＣＳＩ−ＲＳのアンテナポートマッピングは下記のとおりである。
【０５１４】
・１６−ｐｏｒｔ  ＣＳＩ−ＲＳに対して、結合されるポート番号は、１５、１６、...、３０である。
・１２−ｐｏｒｔ  ＣＳＩ−ＲＳに対して、結合されるポート番号は、ｐ＝１５、１６、...、２６である。
【０５１５】
これを一般的に表現すれば、結合されるポート番号（ｎ）は、ｎ＝（ｋ−１）＊Ｎ＋ｐに示すことができ、ｐ＝１５、...、１４＋Ｎを有する。
【０５１６】
ここで、ｋ（＝１、...、Ｋ）は、ｋ番目ＣＳＩ−ＲＳ  ｃｏｎｆｉｇｕｒａｔｉｏｎに該当する。
【０５１７】
さらに具体的に説明すれば、ＣＤＭ２に対する１２−ｐｏｒｔ及び１６−ｐｏｒｔ  ＣＳＩ−ＲＳ構成は、ｌｅｇａｃｙ  ＣＳＩ−ＲＳ  ｃｏｎｆｉｇｕｒａｔｉｏｎの結合で構成されることができる。
【０５１８】
すなわち、与えられるＫ個のＣＳＩ−ＲＳ  ｒｅｓｏｕｒｃｅに対して２、４、８−ｐｏｒｔのＣＳＩ−ＲＳ（Ｎ∈｛２、４、８｝）が１２−ｐｏｒｔ及び１６−ｐｏｒｔ  ＣＳＩ−ＲＳ  ｒｅｓｏｕｒｃｅを構成するために使用される。
【０５１９】
ここで、より小さいＮ値がＣＳＩ−ＲＳ結合においてさらに多くの柔軟性を提供できるが、より大きいＮ値は、端末と基地局の両方でさらに一層簡単な実現を可能にすることができる。
【０５２０】
したがって、１６−ｐｏｒｔに対しては、（Ｎ、Ｋ）＝（８、２）が選好され、１２−ｐｏｒｔに対しては、（Ｎ、Ｋ）＝（４、３）が選好される。
【０５２１】
次に、ＣＤＭ４に対するＣＳＩ−ＲＳＲＥマッピングについて説明する。
【０５２２】
Ｆｕｌｌ−ｐｏｒｔ  ＣＳＩ−ＲＳは、ＣＳＩ−ＲＳマッピングのために使用される各ＯＦＤＭ  ｓｙｍｂｏｌでマッピングされることができる。
【０５２３】
ＣＤＭ  ＲＥセット（ｓｅｔ）構成は、下記のとおりでありうる。
【０５２４】
・Ａｌｔ１：ｔｉｍｅ  ｄｏｍａｉｎ  ｏｎｌｙ（４ＯＦＤＭ  ｓｙｍｂｏｌｓ）
・Ａｌｔ２：ｔｉｍｅ  ａｎｄ  ｆｒｅｑｕｅｎｃｙ  ｄｏｍａｉｎ（２ｓｕｂｃａｒｒｉｅｒｓ×２ＯＦＤＭ  ｓｙｍｂｏｌｓ）
【０５２５】
ＣＤＭ−４に基づいたＣＳＩ−ＲＳ  ｒｅｓｏｕｒｃｅ構成は、ＣＤＭ長さを拡張するという側面でＣＳＩ−ＲＳ送信パワーを増加（ｂｏｏｓｔ  ｕｐ）させることができる。
【０５２６】
したがって、ＣＤＭ−４を適用してＣＤＭされたＲＥは、時間及び／又は周波数領域であまり離れていてはならない。
【０５２７】
類似した脈絡で、ＳＦＢＣに対する複素数値シンボル（ｃｏｍｐｌｅｘ−ｖａｌｕｅｄ
ｓｙｍｂｏｌ）は、性能が深刻に低下することを防止するために、ｎ＜３を有する同じＯＦＤＭ  ｓｙｍｂｏｌで（ｋ、ｌ）、（ｋ＋ｎ、ｌ）の資源要素にマッピングされ得る。
【０５２８】
ここで、ｎは、ｓｕｂｃａｒｒｉｅｒ間の間隔を示す値である。
【０５２９】
また、ＣＤＭ−２に対しても、同じＣＳＩ−ＲＳ  ｒｅｓｏｕｒｃｅ内でどのポートの間にも最大時間差がｐｈａｓｅ  ｄｒｉｆｔの影響を減らすために、０．２８ｍｓより大きくてはならない。
【０５３０】
これは、ＯＦＤＭ  ｓｙｍｂｏｌ｛５、６｝及び｛１２、１３｝内のＲＥ間でａｇｇｒｅｇａｔｉｏｎは許されないということを意味する。
【０５３１】
このような構成原理を考慮するとき、ＣＤＭ−４は、ｍ＜６及びｎ＜３を有するＲＥ間で行われなければならない。
【０５３２】
ここで、ｍ及びｎは、（ｋ、ｌ）及び（ｋ＋ｎ、ｌ＋ｍ）に位置されたＲＥ間の各々の時間差及び周波数差を示す。
【０５３３】
すなわち、ＣＤＭ−４がＣｌａｓｓ  Ａ  ＣＳＩ  ｒｅｐｏｒｔｉｎｇのために適用される場合、結合されるＲＥ間の最大時間及び周波数差は、各々ｍ＜６及びｎ＜３となる。
【０５３４】
図４９は、本明細書において提案するＣＤＭ長さ４を用いた１２−ポートＣＳＩ−ＲＳ構成方法の一例を示した順序図である。
【０５３５】
まず、端末は、８ポートより多いポートを使用するＣＳＩ−ＲＳの構成と関連した制御情報を含むＲＲＣ（Ｒａｄｉｏ  Ｒｅｓｏｕｒｃｅ  Ｃｏｎｔｒｏｌ）シグナリング（ｓｉｇｎａｌｉｎｇ）を基地局から受信する（Ｓ４９１０）。
【０５３６】
ここで、前記８ポートより多いポートを使用するＣＳＩ−ＲＳは、１２アンテナポート（ｐｏｒｔ）を介して送信されるＣＳＩ−ＲＳ（Ｒｅｆｅｒｅｎｃｅ  ｓｉｇｎａｌ）を一例に挙げて説明する。
【０５３７】
前記ＲＲＣシグナリングは、ＣＤＭ長さ（ｌｅｎｇｔｈ）を示すＣＤＭ長さ情報をさらに含むことができる。
【０５３８】
前記ＣＤＭ長さは、ＣＤＭ長さ２、ＣＤＭ長さ４、ＣＤＭ長さ８などでありうる。
【０５３９】
前記ＣＤＭ長さ情報は、ＣＤＭ  ｔｙｐｅ情報に表現されることができる。
【０５４０】
その後、前記端末は、前記受信された制御情報に基づいて前記基地局から前記１２−ポートＣＳＩ−ＲＳを１２−ポートＣＳＩ−ＲＳ資源を介して受信する（Ｓ４９２０）。
【０５４１】
前記１２−ポートＣＳＩ−ＲＳ資源は、３個の４−ポートＣＳＩ−ＲＳの資源が結合（ａｇｇｒｅｇａｔｉｏｎ）されて設定される。
【０５４２】
ここで、前記１２−ポートＣＳＩ−ＲＳのポート別資源要素マッピングは、３個の４−ポートＣＳＩ−ＲＳポートグループの各々にＣＤＭ長さ４が適用される。
【０５４３】
前記ＣＤＭ長さ４は、前記数式１３のように定義される。
【０５４４】
また、前記４個のＲＥは、時間領域で連続する２個のシンボル（ｓｙｍｂｏｌ）及び周波数領域で２個のサブキャリア（ｓｕｂｃａｒｒｉｅｒ）に該当する。
【０５４５】
また、前記２個のサブキャリアは、６個のサブキャリア間隔の分だけ離れて位置する。
【０５４６】
また、各４−ポートＣＳＩ−ＲＳポートグループのポート別資源要素（Ｒｅｓｏｕｒｃｅ  Ｅｌｅｍｅｎｔ：ＲＥ）マッピングは、各ポート別｛（０、１、２、３）または（１５、１６、１７、１８）｝にＣＤＭ（Ｃｏｄｅ  Ｄｉｖｉｓｉｏｎ  Ｍｕｌｔｉｐｌｅｘｉｎｇ）長さ４が適用されて４個のＲＥにマッピングされる。
【０５４７】
前記４−ポートＣＳＩ−ＲＳ資源は、前記ＣＤＭ長さ４が適用される４−ポートＣＳＩ−ＲＳ資源プール（ｒｅｓｏｕｒｃｅ  ｐｏｏｌ）に含まれる。
【０５４８】
ここで、前記４−ポートＣＳＩ−ＲＳ資源プールは、複数の４−ポートＣＳＩ−ＲＳ資源を含み、前記複数の４−ポートＣＳＩ−ＲＳ資源は、特定タイプ別に区分されることができる。
【０５４９】
前記特定タイプは、前記ＣＤＭ長さ４がシンボル（ｓｙｍｂｏｌ）及びサブキャリア（ｓｕｂｃａｒｒｉｅｒ）の両方に適用されるタイプと前記ＣＤＭ長さ４がシンボルのみに適用されるタイプとを含む。
【０５５０】
また、前記特定タイプは、前記４−ポートＣＳＩ−ＲＳ資源の開始位置を表すＣＳＩ−ＲＳ構成（ｃｏｎｆｉｇｕｒａｔｉｏｎ）情報とマッピングされる。具体的なマッピング関係は、表１０を参照する。
【０５５１】
その後、前記端末は、前記受信されたＣＳＩ−ＲＳに基づいて前記基地局にチャネル状態情報（Ｃｈａｎｎｅｌ  Ｓｔａｔｅ  Ｉｎｆｏｒｍａｔｉｏｎ：ＣＳＩ）を報告（ｒｅｐｏｒｔｉｎｇ）する（Ｓ４９３０）。
【０５５２】
前記制御情報は、前記結合される４−ポートＣＳＩ−ＲＳ資源のそれぞれの開始位置を表す位置情報をさらに含むことができる。
【０５５３】
また、前記制御情報は、結合されるＣＳＩ−ＲＳ資源のそれぞれのポート数を表す情報をさらに含むことができる。
【０５５４】
本発明が適用され得る装置一般
【０５５５】
図５０は、本発明の一実施形態に係る無線通信装置のブロック構成図を例示する。
【０５５６】
図５０に示すように、無線通信システムは、基地局５０１０と、基地局５０１０領域内に位置した複数の端末５０２０とを備える。
【０５５７】
基地局５０１０は、プロセッサ（ｐｒｏｃｅｓｓｏｒ、５０１１）、メモリ（ｍｅｍｏｒｙ、５０１２）、及びＲＦ部（ｒａｄｉｏ  ｆｒｅｑｕｅｎｃｙ  ｕｎｉｔ、５２１３）を備える。プロセッサ５０１１は、前述した図１〜図４９において提案された機能、過程、及び／又は方法を実現する。無線インターフェースプロトコルの階層は、プロセッサ５０１１により実現されることができる。メモリ５０１２は、プロセッサ５０１１と連結されて、プロセッサ５０１１を駆動するための様々な情報を格納する。ＲＦ部５０１３は、プロセッサ５０１１と連結されて、無線信号を送信及び／又は受信する。
【０５５８】
端末５０２０は、プロセッサ５０２１、メモリ５０２２、及びＲＦ部５０２３を備える。プロセッサ５２２１は、前述した図１〜図４９において提案された機能、過程、及び／又は方法を実現する。無線インターフェースプロトコルの階層は、プロセッサ５０２１により実現されることができる。メモリ５０２２は、プロセッサ５０２１と連結されて、プロセッサ５０２１を駆動するための様々な情報を格納する。ＲＦ部５０２３は、プロセッサ５０２１と連結されて、無線信号を送信及び／又は受信する。
【０５５９】
メモリ５０１２、５０２２は、プロセッサ５０１１、５０２１の内部または外部にありうるし、よく知らされた様々な手段でプロセッサ５０１１、５０２１と連結されることができる。
【０５６０】
また、基地局５０１０及び／又は端末５０２０は、１つのアンテナ（ｓｉｎｇｌｅ  ａｎｔｅｎｎａ）または多重アンテナ（ｍｕｌｔｉｐｌｅ  ａｎｔｅｎｎａ）を有することができる。
【０５６１】
以上で説明された実施形態は、本発明の構成要素と特徴が所定の形態で結合されたものである。各構成要素または特徴は、別の明示的言及がない限り、選択的なものと考慮されるべきである。各構成要素または特徴は、他の構成要素や特徴と結合されていない形態で実施され得る。また、一部の構成要素及び／又は特徴を結合して本発明の実施形態を構成することも可能である。本発明の実施形態で説明される動作の順序は変更されることができる。ある実施形態の一部構成や特徴は、他の実施形態に含まれることができ、または、他の実施形態の対応する構成若しくは特徴と交替され得る。特許請求の範囲で明示的な引用関係がない請求項を結合して実施形態を構成するか、出願後の補正により新しい請求項として含めることができることは自明である。
【０５６２】
本発明に係る実施形態は、様々な手段、例えば、ハードウェア、ファームウエア（ｆｉｒｍｗａｒｅ）、ソフトウェア、またはそれらの結合などにより実現されることができる。ハードウェアによる実現の場合、本発明の一実施形態は、１つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより実現されることができる。
【０５６３】
ファームウエアやソフトウェアによる実現の場合、本発明の一実施形態は、以上で説明された機能または動作を行うモジュール、手順、関数などの形態で実現されることができる。ソフトウェアコードは、メモリに格納されて、プロセッサにより駆動されることができる。前記メモリは、前記プロセッサ内部または外部に位置し、既に公知された様々な手段により前記プロセッサとデータをやり取りすることができる。
【０５６４】
本発明は、本発明の必須的特徴を外れない範囲で他の特定の形態で具体化され得ることは当業者に自明である。したがって、上述した詳細な説明は、あらゆる面で制限的に解釈されてはならず、例示的なものと考慮されなければならない。本発明の範囲は、添付された請求項の合理的解釈により決定されなければならず、本発明の等価的範囲内での全ての変更は、本発明の範囲に含まれる。
【産業上の利用可能性】
【０５６５】
本発明の無線通信システムにおけるチャネル状態情報を報告する方案は、３ＧＰＰ  ＬＴＥ／ＬＴＥ−Ａシステムに適用される例を中心として説明したが、３ＧＰＰ  ＬＴＥ／ＬＴＥ−Ａシステムの他にも、様々な無線通信システムに適用することが可能である。
【図１】
2018023141.tif 000046
【図２】
2018023141.tif 000047
【図３】
2018023141.tif 000048
【図４】
2018023141.tif 000049
【図５】
2018023141.tif 000050
【図６】
2018023141.tif 000051
【図７】
2018023141.tif 000052
【図８】
2018023141.tif 000053
【図９】
2018023141.tif 000054
【図１０】
2018023141.tif 000055
【図１１】
2018023141.tif 000056
【図１２】
2018023141.tif 000057
【図１３】
2018023141.tif 000058
【図１４】
2018023141.tif 000059
【図１５】
2018023141.tif 000060
【図１６】
2018023141.tif 000061
【図１７】
2018023141.tif 000062
【図１８】
2018023141.tif 000063
【図１９】
2018023141.tif 000064
【図２０】
2018023141.tif 000065
【図２１】
2018023141.tif 000066
【図２２】
2018023141.tif 000067
【図２３】
2018023141.tif 000068
【図２４】
2018023141.tif 000069
【図２５】
2018023141.tif 000070
【図２６】
2018023141.tif 000071
【図２７】
2018023141.tif 000072
【図２８】
2018023141.tif 000073
【図２９】
2018023141.tif 000074
【図３０】
2018023141.tif 000075
【図３１】
2018023141.tif 000076
【図３２】
2018023141.tif 000077
【図３３】
2018023141.tif 000078
【図３４】
2018023141.tif 000079
【図３５】
2018023141.tif 000080
【図３６】
2018023141.tif 000081
【図３７】
2018023141.tif 000082
【図３８】
2018023141.tif 000083
【図３９】
2018023141.tif 000084
【図４０】
2018023141.tif 000085
【図４１】
2018023141.tif 000086
【図４２】
2018023141.tif 000087
【図４３】
2018023141.tif 000088
【図４４】
2018023141.tif 000089
【図４５】
2018023141.tif 000090
【図４６】
2018023141.tif 000091
【図４７】
2018023141.tif 000092
【図４８】
2018023141.tif 000093
【図４９】
2018023141.tif 000094
【図５０】
2018023141.tif 000095